(57)【要約】  識別デバイスは、個々の対象者の身体部分の皮膚表面に適合するように構成された変形可能な基板と、変形可能な基板に結合され、個々の対象者の少なくとも1つの身体的特徴に関連する1以上の識別検知信号を生成するように構成された1以上の識別センサを含むセンサアセンブリと、センサアセンブリによって生成された1以上の識別検知信号を、身元に関連する1以上の身体的特徴を示す参照データと比較するように構成された回路と、1以上の識別検知信号または身元のうちの少なくとも一方を1以上の認証パラメータと比較するように構成された回路と、回路に動作可能に結合され、1以上の認証パラメータとの比較に関連する1以上の通信信号を生成するように構成されたレポータとを含むが、これらに限定されない。
2019532386.tif 000002
【特許請求の範囲】
【請求項１】
デバイスであって、
ヘルスケアプロバイダの身体部分の皮膚表面に適合するように構成された変形可能な基板と、
上記変形可能な基板に結合され、上記ヘルスケアプロバイダの少なくとも1つの身体的特徴に関連する1以上の識別検知信号を生成するように構成された1以上の識別センサを含むセンサアセンブリと、
上記センサアセンブリに動作可能に結合され、上記1以上の識別検知信号を受信するように構成され、上記1以上の識別検知信号を少なくとも1人の個人の身元に関連する1以上の身体的特徴を示す参照データと比較して、当該1以上の識別検知信号が上記少なくとも1人の個人の身元に対応するかどうかを判定するように構成された識別比較モジュールを含む回路と、
上記回路に動作可能に結合され、かつ、上記ヘルスケアプロバイダによる個々の対象者に対するヘルスサービスを実行するための許可の前に、または当該許可と併せて、上記回路による命令に応答して1以上の通信信号を生成するように構成されたレポータとを備え、上記1以上の通信信号は、上記センサアセンブリによって生成された上記1以上の識別検知信号と、少なくとも1人の個人の身元または1以上の認証パラメータを有する上記少なくとも1人の個人の身元に関連付けられた1以上の身体的特徴を示す参照データとの比較に関連付けられており、上記1以上の認証パラメータは、少なくとも1つのスケジュールパラメータを含む、デバイス。
【請求項２】
上記1以上の通信信号は、上記1以上の識別検知信号と、上記少なくとも1人の個人の上記身元に関連付けられた1以上の身体的特徴を示す上記参照データとの間の対応関係が少なくとも対応閾値であることに応答して、上記個々の対象者に対する上記ヘルスケアプロバイダによる上記ヘルスサービスの実施を許可することに対応する、請求項１に記載のデバイス。
【請求項３】
上記1以上の識別センサは、上記個々の対象者の少なくとも1つの身体的特徴または上記ヘルスケアプロバイダの少なくとも1つの身体的特徴に関連する1以上の第2の識別検知信号を生成するように構成される、請求項１に記載のデバイス。
【請求項４】
上記識別比較モジュールは、上記1以上の第2の識別検知信号を、少なくとも1人の第2の個人の身元に関連する1以上の身体的特徴を示す参照データと比較して、上記1以上の第2の識別検知信号が、上記少なくとも1人の第2の個人の身元に対応するかどうかを判定するように構成される、請求項３に記載のデバイス。
【請求項５】
上記1以上の通信信号は、上記1以上の第2の識別検知信号と、上記少なくとも1人の第2の個人の身元に関連付けられた1以上の身体的特徴を示す上記参照データとの間の対応関係が少なくとも対応閾値であることに応答して、上記個々の対象者に対する上記ヘルスケアプロバイダによる上記ヘルスサービスの実施を許可することに対応する、請求項４に記載のデバイス。
【請求項６】
上記1以上の通信信号は、（i）上記1以上の識別検知信号と、上記少なくとも1人の個人の上記身元に関連付けられた1以上の身体的特徴を示す上記参照データとの間の対応関係が少なくとも対応閾値であること、及び(ii)上記1以上の第2の識別検知信号と、上記少なくとも1人の第2の個人の上記身元に関連付けられた1以上の身体的特徴を示す上記参照データとの間の対応関係が少なくとも対応閾値であること、の両方に応答して、上記個々の対象者に対する上記ヘルスケアプロバイダによる上記ヘルスサービスの実施を許可することに対応する、請求項５に記載のデバイス。
【請求項７】
上記回路は、上記1以上の識別検知信号および上記少なくとも1人の個人の上記身元のうちの少なくとも一方と1以上の認証パラメータとを比較するように構成された認証比較モジュールを含む、請求項１に記載のデバイス。
【請求項８】
上記1以上の通信信号は、上記1以上の識別検知信号および上記少なくとも1人の個人の上記身元のうちの少なくとも一方と上記1以上の認証パラメータとの間の対応関係が少なくとも対応閾値であることに応答して、上記個々の対象者に対する上記ヘルスケアプロバイダによる上記ヘルスサービスの実施を許可することに対応する、請求項７に記載のデバイス。
【請求項９】
上記1以上の認証パラメータは、外部デバイスを操作することを許可された1人以上の個人の身元のリストを含む、請求項８に記載のデバイス。
【請求項１０】
上記1以上の認証パラメータは、スケジュールされた手順を実行することを許可された1人以上の個人の身元のリストを含む、請求項９に記載のデバイス。
【請求項１１】
上記回路は、上記ヘルスケアプロバイダの少なくとも1つの活動状態を記憶するように構成されたロギングモジュールを含む、請求項１に記載のデバイス。
【請求項１２】
上記レポータは、上記1以上の通信信号を情報システムに送信するように構成される、請求項１に記載のデバイス。
【請求項１３】
上記情報システムは、電子ヘルス記録システム、請求システム、スケジューリングシステム、在庫管理システム、クレーム処理システム、または管理システムのうちの少なくとも1つを含む、請求項１２に記載のデバイス。
【請求項１４】
上記レポータは、上記情報システムに対して上記ヘルスケアプロバイダを識別するために、上記情報システムに上記1以上の通信信号を送信するように構成される、請求項１３に記載のデバイス。
【請求項１５】
上記レポータは、上記ヘルスケアプロバイダのために情報システムエントリに署名するために、上記情報システムに上記1以上の通信信号を送信するように構成される、請求項１４に記載のデバイス。
【請求項１６】
上記回路は、上記1以上の識別検知信号および上記少なくとも1人の個人の身元のうちの少なくとも一方と1以上の認証パラメータとを比較するように構成された認証比較モジュールを含む、請求項１に記載のデバイス。
【請求項１７】
上記1以上の通信信号は、上記1以上の識別検知信号および上記少なくとも1人の個人の上記身元のうちの少なくとも一方と1以上の認証パラメータとの間の対応関係が少なくとも対応閾値であることに応答して、上記個々の対象者に対する上記ヘルスケアプロバイダによる上記ヘルスサービスの実施を許可することに対応する、請求項１６に記載のデバイス。
【請求項１８】
上記1以上の認証パラメータは、スケジュールされた手順を受けることを許可された1以上の個人の身元のリストを含む、請求項１７に記載のデバイス。
【請求項１９】
上記1以上の認証パラメータは、治療スケジュール、回復スケジュール、リハビリテーションスケジュール、術前スケジュール、または術後スケジュールのうちの少なくとも1つに関連する少なくとも1つの認証パラメータを含む、請求項１８に記載のデバイス。
【請求項２０】
上記ヘルスサービスは、外部デバイスの操作、スケジュールされた手順の実行、または上記個々の対象者に関連する情報へのアクセスの少なくとも1つを含む、請求項１に記載のデバイス。
【請求項２１】
上記ヘルスサービスは、医療デバイス、外科デバイス、治療デバイス、補助デバイス、撮像デバイス、リハビリテーションデバイス、または薬物デリバリツールのうちの少なくとも1つを含む外部デバイスを動作させることを含む、請求項１に記載のデバイス。
【請求項２２】
上記回路は、上記センサアセンブリによって生成された上記1以上の識別検知信号を、上記個々の対象者の身体的状況に関連する1以上の身体的特徴を示す参照データと比較して、上記ヘルスケアプロバイダが上記個々の対象者に対して上記ヘルスサービスを実施することを許可されているかどうかを判定するように構成された比較モジュールをさらに含む、請求項１に記載のデバイス。
【請求項２３】
上記レポータは、上記1以上の通信信号を情報システムに送信するように構成される、請求項１に記載のデバイス。
【請求項２４】
上記情報システムは、電子ヘルス記録システム、請求システム、スケジューリングシステム、在庫管理システム、クレーム処理システム、または管理システムのうちの少なくとも1つを含む、請求項２３に記載のデバイス。
【請求項２５】
上記レポータは、上記情報システムに対して上記個々の対象者を識別するために、上記情報システムに上記1以上の通信信号を送信するように構成される、請求項２４に記載のデバイス。
【請求項２６】
上記レポータは、上記情報システムに上記1以上の通信信号を送信して、上記個々の対象者に関連する情報システムエントリを有効化するように構成される、請求項２５に記載のデバイス。
【請求項２７】
上記1以上の通信信号は、(i)上記1以上の識別検知信号および上記少なくとも1人の個人の上記身元の少なくとも一方と1以上の認証パラメータとの対応関係が少なくとも対応閾値にあることに応答して外部デバイスを操作することを上記個々の対象者に許可する、または、(ii)上記1以上の識別検知信号および上記少なくとも1人の個人の上記身元の少なくとも一方と1以上の認証パラメータとの対応関係が少なくとも対応閾値を満たさないことに応答して、上記外部デバイスを操作することを上記個々の対象者に許可しない、ことの一方に対応する、請求項１に記載のデバイス。
【請求項２８】
上記1以上の通信信号は、（i）上記1以上の識別検知信号と、上記少なくとも1人の個人の上記身元に関連付けられた1以上の身体的特徴を示す上記参照データとの間の対応関係が少なくとも対応閾値であること、及び、（ii）上記1以上の識別検知信号および上記少なくとも1人の個人の上記身元の少なくとも一方と上記1以上の認証パラメータとの間の対応関係が少なくとも対応閾値であることに応答して、外部デバイスを操作することを上記個々の対象者に許可することに対応する、請求項１に記載のデバイス。
【請求項２９】
上記少なくとも1つのスケジュールパラメータは、処置を受けるようにスケジュールされた1人以上の個人の身元のリストを含む、請求項１に記載のデバイス。
【請求項３０】
上記少なくとも1つのスケジュールパラメータは、外部デバイスを操作するようにスケジュールされた1人以上の個人の身元のリストを含む、請求項１に記載のデバイス。
【請求項３１】
上記少なくとも1つのスケジュールパラメータは、治療スケジュール、回復スケジュール、リハビリテーションスケジュール、術前スケジュール、術後スケジュール、または退院スケジュールのうちの少なくとも1つに関連付けられる、請求項１に記載のデバイス。
【請求項３２】
上記1以上の認証パラメータは、外部デバイスを操作することを許可された1以上の個人の参照身体的特徴のリストを含む、請求項１に記載のデバイス。
【請求項３３】
上記回路は、上記センサアセンブリによって生成された上記1以上の識別検知信号を、上記個人の身体的状況に関連付けられた1以上の身体的特徴を示す参照データと比較して、上記個々の対象者が外部デバイスを操作することを許可されているかどうかを判定するように構成された比較モジュールをさらに含む、請求項１に記載のデバイス。
【請求項３４】
上記レポータは、外部デバイスと無線で通信するように構成されたアンテナ構造を含む、請求項１に記載のデバイス。
【請求項３５】
上記回路は、上記個々の対象者の少なくとも1つの活動状態を記憶するように構成されたロギングモジュールを含む、請求項１に記載のデバイス。
【請求項３６】
上記レポータは、上記個々の対象者の上記少なくとも1つの活動状態に関連する1以上の通信信号を生成するようにさらに構成される、請求項３５に記載のデバイス。
【請求項３７】
上記レポータは、上記1以上の識別検知信号および上記少なくとも1人の個人の上記身元の少なくとも一方と上記1以上の認証パラメータとの比較に関連する上記1以上の通信信号を情報システムに送信するように構成される、請求項１に記載のデバイス。
【請求項３８】
上記情報システムは、電子ヘルス記録システム、請求システム、スケジューリングシステム、在庫管理システム、クレーム処理システム、または管理システムのうちの少なくとも1つを含む、請求項３７に記載のデバイス。
【請求項３９】
上記レポータは、上記情報システムに対して上記個々の対象者を識別するために、上記1以上の識別検知信号および上記少なくとも1人の個人の上記身元の少なくとも一方と上記1以上の認証パラメータとの比較に関連する上記1以上の通信信号を情報システムに送信するように構成される、請求項３７に記載のデバイス。
【請求項４０】
上記回路は、上記情報システムから上記1以上の認証パラメータを受信するように構成される、請求項３７に記載のデバイス。
【請求項４１】
ヘルスケアプロバイダの身体部分の皮膚表面に適合するように構成された変形可能な基板を有し、当該変形可能な基板に結合された1以上の識別センサを有する識別デバイスを介して、個々の対象者に対応する1以上の識別検知信号を生成し、当該1以上の識別検知信号は、当該個々の対象者の少なくとも1つの身体的特徴に関連付けられた、生成ステップと、
回路を介して、上記1以上の識別検知信号を少なくとも1人の個人の身元に関連する1以上の身体的特徴を示す参照データと比較して、当該1以上の識別検知信号が上記少なくとも1人の個人の上記身元に対応するかどうかを判定する判定ステップと、
上記ヘルスケアプロバイダによる上記個々の対象者に対するヘルスサービスを実行するための許可の前に、または当該許可と併せて、上記1以上の識別検知信号と、少なくとも1人の個人の身元、1以上の識別検知信号、および上記1以上の認証パラメータを有する上記少なくとも1人の個人の上記身元に関連付けられた1以上の身体的特徴を示す参照データとの比較に関連付けられた1以上の通信信号を外部デバイスに報告する報告ステップと、を含み、
上記1以上の認証パラメータは、少なくとも1つのスケジュールパラメータを含む、方法。
【請求項４２】
上記1以上の通信信号は、上記1以上の識別検知信号と、上記少なくとも1人の個人の上記身元に関連付けられた1以上の身体的特徴を示す上記参照データとの間の対応関係が少なくとも対応閾値にあることに応答して、上記個々の対象者に対する上記ヘルスケアプロバイダによる上記ヘルスサービスの実施を許可することに対応する、請求項４１に記載の方法。
【請求項４３】
回路を介して、上記1以上の識別検知信号および上記少なくとも1人の個人の上記身元の少なくとも一方を1以上の認証パラメータと比較する、請求項４１に記載の方法。
【請求項４４】
上記1以上の通信信号は、上記1以上の識別検知信号および上記少なくとも1人の個人の上記身元の少なくとも一方と1以上の認証パラメータとの対応関係が少なくとも対応閾値にあることに応答して、上記個々の対象者に対する上記ヘルスケアプロバイダによる上記ヘルスサービスの実施を許可することに対応する、請求項４３に記載の方法。
【請求項４５】
上記1以上の認証パラメータは、スケジュールされた手順を受けることを許可された1以上の個人の身元のリストを含む、請求項４４に記載の方法。
【請求項４６】
上記1以上の認証パラメータは、治療スケジュール、回復スケジュール、リハビリテーションスケジュール、術前スケジュール、または術後スケジュールのうちの少なくとも1つに関連する少なくとも1つの認証パラメータを含む、請求項４５に記載の方法。
【請求項４７】
上記1以上の通信信号は、上記1以上の識別検知信号および上記少なくとも1人の個人の上記身元の少なくとも一方と上記1以上の認証パラメータとの対応関係が少なくとも対応閾値にあることに応答して、上記個々の対象者が上記外部デバイスを操作することを許可することに対応する、請求項４６に記載の方法。
【請求項４８】
上記1以上の通信信号は、（i）上記1以上の識別検知信号と、上記少なくとも1人の個人の上記身元に関連付けられた1以上の身体的特徴を示す上記参照データとの間の対応関係が少なくとも対応閾値であること、及び、(ii)上記1以上の識別検知信号および上記少なくとも1人の上記身元の少なくとも一方と上記1以上の認証パラメータとの対応関係が少なくとも対応閾値であること、の両方に応答して、上記個々の対象者が外部デバイスを操作することを許可することに対応する、請求項４７に記載の方法。
【請求項４９】
上記少なくとも1つのスケジュールパラメータは、上記外部デバイスを操作するようにスケジュールされた1人の個人の身元のリストを含む、請求項４７に記載の方法。
【請求項５０】
上記少なくとも1つのスケジュールパラメータは、治療スケジュール、回復スケジュール、リハビリテーションスケジュール、術前スケジュール、術後スケジュール、または退院スケジュールのうちの少なくとも1つに関連付けられる、請求項４９に記載の方法。
【発明の詳細な説明】
【発明の詳細な説明】
【０００１】
優先権出願のすべての主題は、そのような主題が本願と矛盾しない限り、参照により本願に組み込まれる。
【０００２】
＜発明の概要＞
一態様では、識別デバイスは、ヘルスケアプロバイダまたは個々の対象者の身体部分の皮膚表面に適合するように構成された変形可能な基板と、変形可能な基板に結合されたセンサアセンブリであって、ヘルスケアプロバイダ以外の個々の対象者の少なくとも1つの身体的特徴に関連付けられた1以上の識別検知信号を生成するように構成された1以上の識別センサを含むセンサアセンブリと、センサアセンブリに動作可能に結合され、ヘルスケアプロバイダまたは個々の対象者の少なくとも1つの身体的特徴に関連付けられた1以上の識別検知信号を受信するように構成された回路と、を備え、当該回路は、センサアセンブリによって生成された1以上の識別検知信号を、少なくとも1人の個人の身元に関連付けられた1以上の身体的特徴を示す参照データと比較し、1以上の識別検知信号が、個人の身元に対応するかどうかを判定する識別比較モジュールを備え、回路に動作可能に結合され、かつ、ヘルスケアプロバイダによる個々の対象者に対するヘルスサービスを実行するための許可の前に、または当該許可と併せて、回路による命令に応答して1以上の通信信号を生成するように構成されたレポータとを備え、1以上の通信信号は、センサアセンブリによって生成された1以上の識別検知信号と、少なくとも1人の個人の身元に関連付けられた1以上の身体的特徴を示す参照データとの比較に関連付けられるが、これに限られない。
【０００３】
一態様では、方法は、ヘルスケアプロバイダの身体部分の皮膚表面に適合するように構成された変形可能な基板を有し、当該変形可能な基板に結合された1以上の識別センサを有する識別デバイスを介して、ヘルスケアプロバイダまたは個々の対象者に対応する1以上の識別検知信号を生成し、当該1以上の識別検知信号は、ヘルスケアプロバイダまたは個々の対象者の少なくとも1つの身体的特徴に関連付けられた生成ステップと、回路を介して、上記1以上の識別検知信号を少なくとも1人の個人の身元に関連する1以上の身体的特徴を示す参照データと比較して、当該1以上の識別検知信号が上記少なくとも1人の個人の上記身元に対応するかどうかを判定する判定ステップと、上記ヘルスケアプロバイダによる上記個々の対象者に対するヘルスサービスを実行するための許可の前に、または当該許可と併せて、上記1以上の識別検知信号と、少なくとも1人の個人の身元に関連付けられた1以上の身体的特徴を示す参照データとの比較に関連付けられた1以上の通信信号を外部デバイスに報告する報告ステップと、を含む。
【０００４】
前述の概要は、例示に過ぎず、決して限定することを意図していない。上述の例示的な態様、実施形態および特徴に加えて、さらなる態様、実施形態および特徴は、図面および以下の詳細な説明を参照にすることによって明らかになるであろう。
【０００５】
＜詳細な説明＞
以下の詳細な説明では、本明細書の一部を形成する添付の図面を参照する。図面において、文脈上別段の指示がない限り、類似の記号は通常、類似のコンポーネントを識別する。詳細な説明、図面、および特許請求の範囲に記載される例示的な実施形態は、限定的であることを意味しない。他の実施形態を利用することができ、また、ここに提示される主題の趣旨又は範囲から逸脱することなく、他の変更を行うことができる。
【０００６】
識別および認証プロセスの態様のために適合可能な電子機器を使用する個人の識別（身元確認）および認証のためのシステム、デバイス、および方法が説明される。このようなシステムは、個人の身体部分の皮膚表面に適用され、取り付けられ、または他の形態で接触して、個人の1つ以上の身体的（物理的）特徴を評価してよい。身体的特徴としては、皮膚トポグラフィ特徴（例えば、皮膚表面のパターン、毛包パターン、毛穴パターン、色素沈着など）、血管特性またはレイアウト、電流パターン（例えば、光起電力電流パターン）、または皮膚抵抗率測定値を含むが、これらに限定されない。身体的特徴は、既知の身元の身体的特徴を含む参照データと比較されて、測定された身体的特徴が参照身体的特徴に対応するかどうかを判断されてよい。それによって、特定の身元を判断または推察することができる。一実施形態では、識別は、システムの1つ以上のコンポーネントの動作または機能を無効化または有効化してよい。例えば、ある個人が、任意の参照身元に対応する身元に一致せず、識別されるがデバイスの動作に適した状況にない場合（例えば、中毒状態、ストレス状態など）、または、識別されるが特定の装置またはシステムの使用に対する権限が与えられない場合、システムは、システムの1つ以上のコンポーネントへの電力接続を無効化してよく、それによって、それらの使用を防止できる。個人が識別される場合、システムは、システムの1つ以上のコンポーネント（例えば、センサ、レポータなど）への電力接続を有効化してよく、それによって、それらの使用を有効化し、またはアクティブにすることができる。一実施形態では、この識別は、後続の認証、例えば、外部デバイスに報告されるかまたは外部デバイスによって処理される認証をもたらすことができる。そのような認証は、識別され認証された個人による外部デバイス、関連デバイスまたはシステムの動作を可能にすることができる。あるいは、外部デバイス、関連デバイスまたはシステムが特定のユーザの身元を知ることを可能にすることができる。
【０００７】
一実施形態では、本明細書に記載されるシステムは、個人の身体部分の皮膚表面に接着するように構成されてよく、識別および／または認証システムをより使いやすくするとともに、該システムが意図せずに誤って取り付けられることを避けることができる。一実施形態では、そのようなシステムは、例えば、システムが別のユーザに移されるのを避けるために、皮膚表面から取り外されたときに1つ以上のコンポーネントの機能を無効化するように、または、無傷で取り外すことが困難になるように、構成されてよい。一実施形態では、本明細書で説明されるシステムは、取り外し可能であり、かつ再使用可能であってよい。
【０００８】
一実施形態では、本明細書に記載されるシステムは、皮膚特性の組合せを検知して、主となる身体部分(host body portion)が、実在しかつ良好な健康状態にある個人に関連していることを確認することができ、これにより、バイオメトリックまたは他の識別／認証プロトコルを用いる識別および／または認証システムに関連する安全性の問題、すなわち、そのようなシステムは、身体部分または識別／認証に使用される埋め込みタグを取り外すことによって回避し得る、という問題を避けることができる。
【０００９】
一実施形態では、本明細書に記載のシステムは、個人の少なくとも1つの身体的特徴を監視または検知するように構成された1つ以上の識別センサを使用する。識別センサは、光学センサ、電磁センサ、インピーダンスセンサ、容量センサ、電気生理学的センサ、プレチスモグラフセンサ、抵抗センサ、バイオセンサ、または化学センサを含んでよいが、これらに限定されない。識別センサは、識別センサの出力を参照データと比較して、識別センサの出力が既知の個人の身元に対応するかどうかを判断するように構成された回路に結合されている。システムはまた、生理学的センサ、近接センサ、コンタクトセンサ、圧力センサ、または温度センサのうちの1つまたは複数を含んでよく、それにより、例えば、システムの動作を容易にしたり、識別センサからの出力と組み合わせてコンテキストデータを提供したり、システムの1つ以上のコンポーネントの作動／非作動を切り替えたりすることができる。
【００１０】
一実施形態では、本明細書で説明するシステムは、回路による命令に応答して1つ以上の通信信号を生成するように構成されたレポータを使用する。例えば、レポータは、センサの出力に向けられた1つ以上の通信信号、センサの出力と参照データ（例えば、参照識別データまたは参照身体的特徴）との比較、システムが配置されている個人の識別情報、認証情報（例えば、識別された個人が認証されているか、例えば、特定のデバイス、機械、電子デバイス等を動作させる権限が与えられているか否か）などを介して情報を伝達してよい。
【００１１】
図1に示される実施形態では、システム（またはデバイス）100は、システム100が配置されている個人の1つ以上の身体的特徴を評価して、個人の識別を容易にするように構成される。システム100は、変形可能な基板102と、センサアセンブリ104と、回路106と、レポータ108とを含む。変形可能な基板102は、個々の対象者の身体部分の輪郭（例えば、四肢の湾曲）に適合するように構成される。例えば、変形可能な基板102は、身体部分と接触し、かつ適合するように構成された変形可能な材料（例えば、適合可能な材料、可撓性を有する材料、伸縮性を有する材料など）を含んでもよい。身体部分は、図1では、手として示されているが、システム100は、任意の身体部分の皮膚表面に配置されてよい。該身体部分には、腕、肘、手首、手、指、足、膝、足首、足、つま先、顔領域、首領域、胴体領域などを含むが、これらに限定されない。変形可能な基板102の曲げやすい性質（例えば、可撓性および伸縮性）は、概して低弾性でかつ変形可能な天然の皮膚表面を含む身体部分との相互作用／接触を容易にする。一実施形態では、変形可能な基板102は、伸縮性／可撓性を有する布、紙、またはポリマー（例えば、天然または合成のエラストマーポリマー、ポリイミド、ポリビニル、PDMSなどの有機ポリマー、キシレン、パリレン、無機ポリマー、バイオポリマー、コンポジット材料、またはそれらの任意の組合せ）、フィルム（例えば、親水コロイドフィルム）、膜（例えば、シリコンナノ膜などのナノ膜）、ガス透過性エラストマーシート、または他の変形可能な材料（例えば、伸縮性を有する材料、可撓性を有する材料、曲げやすい材料）のうちの1つ以上の材料を含んでよい。変形可能な基板102は、様々な機構により皮膚表面に近接して配置（位置決め）されてよい。該機構としては、接着材料を介して皮膚に貼り付けられるもの、身体部分（例えば、布地、衣服、手袋、包帯など）の周囲または周辺に巻き付けられる材料によって与えられる圧力などの外圧によって適所に保持されるもの、織物、布地、衣服、アクセサリ（例えば、手袋、ソックス、フィンガーコットなど）に貼り付けられるもの、などを含むが、これらに限定されない。
【００１２】
実施形態では、デバイス100は、少なくとも1つの可撓性または伸縮性を有する電子コンポーネントを含む。例えば、センサアセンブリ104（例えば、本明細書に記載されるような識別センサ）、回路106、またはレポータ108のうちの少なくとも1つは、変形可能な基板102に結合された可撓性または伸縮性を有する電子コンポーネントを含むか、またはそれらから形成されてよい。例えば、これらのコンポーネント間または回路内の相互接続機器（interconnects）（図示せず）は、可撓性または伸縮性を有する電子回路（例えば、伸縮可能な相互接続を可能にする蛇行導電トレーシング）を含むか、またはそれらから形成することができ、変形可能な基板102に結合される。例えば、電源（例えば、本明細書に記載される電源600）は、可撓性または伸縮性を有する電子コンポーネントを含むか、またはそれらから形成され、変形可能な基板102に結合されてよい。実施形態では、少なくとも1つの可撓性または伸縮性を有する電子コンポーネントは、波状、屈曲形状、メッシュ（例えば、オープンメッシュ)、歪み形状（buckled）、または蛇行形状(serpentine geometry)のうちの少なくとも1つを含む。実施形態では、少なくとも1つの可撓性または伸縮性を有する電子コンポーネントは、少なくとも1つのナノワイヤ、少なくとも1つのナノリボン、または少なくとも1つのナノ膜を含む。例えば、システム100は、伸縮性／可撓性を有するシステムを含む1つ以上の多機能電子ユニットを含んでもよい。伸縮性／可撓性を有するシステムは、変形可能な基板（例えば、変形可能な基板102）の内部または上に存在する、相互接続機器を含む関連回路（例えば、回路106）を介して通信するセンサアセンブリ（例えば、センサアセンブリ104）、レポータ（例えば、レポータ108）および電源（例えば、電源600）を含む。
【００１３】
実施形態では、デバイス100は、少なくとも1つの極薄電子コンポーネントを含んでもよい。例えば、極薄（例えば、20マイクロメートル未満）の電子コンポーネントは、薄くされたウエハ（例えば、ポリマー基板に結合された、薄くされたシリコンウエハ）、極薄チップなどを含んでよい。例えば、極薄回路は、紫外線リソグラフィおよびエッチングによる蒸着によって、パリレンのような変形可能な基板（例えば、変形可能な基板102）上に形成された導電層を含んでよい。例えば、センサアセンブリ104、回路106、またはレポータ108のうちの少なくとも1つは、超薄型電子機器を含んでよい。
【００１４】
実施形態では、デバイス100は、少なくとも1つの導電性の糸、ヤーン、または織物を含んでよい。例えば、センサアセンブリ104、回路106、またはレポータ108は、少なくとも1つの導電性の糸またはヤーンを含んでよい。導電性の糸、ヤーン、または織物は、例えば電子コンポーネント間の有線または無線結合のうちの少なくとも1つを誘導するのに十分な電流を与えるように構成されてよい。例えば、電子伝導性の糸、ヤーン、または織物は、1つ以上のセンサアセンブリ106、1つ以上のレポータ108、または他の回路106の間での通信で機能するように構成された回路106を形成してもよい。例えば、電子伝導性の糸、ヤーン、または織物は、1つ以上のセンサアセンブリ106、1つ以上のレポータ108、および回路106をそれぞれ備える複数の多機能電子ユニット間での通信で機能するように構成された回路106の少なくとも一部を形成してもよい。導電性繊維、糸、およびヤーンは、金属材料、半金属材料、半絶縁材料、半導電性材料（例えば、シリコンおよびガリウムヒ素）、または透明導電性材料（例えば、インジウム錫酸化物（ITO）材料）を含んでよい。導電性の糸またはヤーンは、例えば、織布、編物または刺しゅうを使用して織物に埋め込まれてもよいし、または接着のような不織布製造技術を使用して取り付けられてもよい。例えば、湾曲形状を有する導電性の糸は、弾性織物に（例えば、縫い付けまたは接着によって）取り付けられてよい。また、当該糸は、例えば、特定の皮膚トポグラフィなどによって湾曲形状が変化するので、個人の1つ以上の身体的特徴を測定するセンサアセンブリ104の全てまたは一部を形成してもよい。
【００１５】
センサアセンブリ104は、変形可能な基板102に結合され、システム100が配置されている個々の対象者の身体的特徴に関連付けられた1つ以上の検知信号を生成するように配置される。例えば、図2に示されるように、センサアセンブリ104は、1つ以上の識別センサ（identitysensor）200を含む。識別センサ200は、個々の対象者の少なくとも1つの身体的特徴に関連付けられた1つ以上の識別検知信号を生成するように構成されている。識別センサ200は、個々の対象者の識別のための基礎を提供するために、または観察された身体的特徴に基づいて個々の対象者を容易に識別できないことを示す指示を提供するために、身体的特徴を検知することができる。識別センサ200は、光学センサ202、電磁センサ204、インピーダンスセンサ206、容量センサ208、電気生理学的センサ210、プレチスモグラフセンサ212、抵抗センサ214、バイオセンサ216、または化学センサ218のうちの1つまたは複数を含んでよいが、これらに限定されない。識別センサ200は、個々の対象者の1つ以上の身体的特徴の測定または検知に基づいて1つ以上の識別検知信号を生成してもよい。ここで、1つ以上の身体的特徴は、皮膚トポグラフィ特徴（例えば、皮膚表面のパターン、毛包パターン、毛穴パターン、色素沈着など）、血管特性またはレイアウト（例えば、動脈パターン、特性またはレイアウト；静脈パターン、特性またはレイアウトなど）、電流パターン（例えば、光起電力電流パターン）、または皮膚抵抗率測定値を含んでよいが、これらに限定されない。例えば、図3に示されるように、システム100は、身体部分の皮膚表面（図3では、手の上面として示される）に配置されてよい。システム100は、識別センサ200を介して、毛包パターン300、毛穴パターン302、皮膚色素沈着または特徴的な皮膚マーク304、または血管パターンまたはレイアウト306のうちの1つまたは複数を検出することができる。さらに、識別センサ200は、センサアセンブリ104の特定のセンサ（例えば、光学センサ202、電磁センサ204、インピーダンスセンサ206など）の構造に基づいて、1つ以上の識別検知信号を生成してもよい。このような信号は、測定されたまたは検知された身体的特徴に対応しており、個々の対象者の身元を判断するときの分析（解析）を容易にする。一実施形態では、光センサ202は、個々の対象者の1つ以上の身体的特徴の測定または検知に基づいて1つ以上の識別検知信号を生成する1つ以上の光学電子機器を含む。例えば、光学電子機器は、1つ以上のポリマー発光ダイオード（PLED）、1つ以上の有機光検出器（OPD）、またはこれらの組み合わせを含んでよいが、これらに限定されない。一実施形態では、光学電子機器は、異なる波長（例えば、緑色、赤色、青色など）の光を放射するように構成された複数のポリマー発光ダイオード（PLED）を含む。これらは、1つ以上の有機光検出器（例えば、ポリ（3-ヘキシルチオフェン)(P3HT）：（6，6）-フェニル-C61-酪酸メチルエステル（PCBM）の活性層を有する）と組み合わされて、超可撓性かつ反射性を有するパルスオキシメータとして配置される。
【００１６】
化学センサおよびバイオセンサ（例えば、化学センサ218およびバイオセンサ216）は、化学センサおよびバイオセンサの各々が特定の生理学的状態またはパラメータを検出できるように、生理学的センサの態様を含んでよい。例えば、限定されるものではないが、化学センサは、分析物の化学シグネチャを検出してよい。分析物の化学シグネチャとしては、例えば、生理学的起源の分析物（例えば、細胞化合物、抗体もしくはサイトカインのような分泌化合物、または代謝物）または外因性起源の分析物（例えば、薬物のような摂取、吸入または局所物質、またはタグ付けもしくは標識化合物）が挙げられる。化学センサの実施例としては、認識素子を有するセンサ、電子チップセンサ、マイクロバランスセンサ、および近赤外分光計を含むが、これらに限定されない。バイオセンサは、生化学的または生物学的要素を検出してもよい。バイオセンサには、例えば、関心対象の分析物に結合することができる生物学的認識素子（例えば、アプタマーベースのマイクロカンチレバー）を有するセンサと、認識および反応特性を有する酵素を利用したセンサが含まれるが、これらに限定されない。一実施形態では、化学センサまたはバイオセンサは、分子センサまたはナノセンサという態様を含んでもよい。
【００１７】
センサアセンブリ104は、センサアセンブリ104の少なくとも一部が、変形可能な基板102内に埋め込まれるか、変形可能な基板102に固定されるか、変形可能な基板102上に備わっているか、変形可能な基板102上に直接印刷されるか、またはそれらの組み合わせであるように、変形可能な基板102に対して構築（構造化）されてよい。例えば、識別センサ200の少なくとも一部は、変形可能な基板102内に埋め込まれてもよく、変形可能な基板102に固定されてもよく、変形可能な基板102上に備わっていてもよく、変形可能な基板102上に直接印刷されてもよく、またはそれらの組合せであってもよい。一実施形態では、変形可能な基板102は、伸縮性／可撓性布、エラストマーポリマー、親水コロイドフィルム、膜（例えば、シリコンナノ膜などのナノ膜）、ガス透過性エラストマーシート、または他の適合性物質のうちの1つまたは複数を含んでよい。一実施形態では、センサアセンブリ104、回路106、またはレポータ108のうちの少なくとも1つは、伸縮性／可撓性布、エラストマーポリマー、親水コロイドフィルム、膜（例えば、シリコンナノ膜などのナノ膜）、ガス透過性エラストマーシート、または他の適合性物質のうちの1つまたは複数の少なくとも一部に備わっているように、変形可能な基板102上に備わっている。例えば、センサアセンブリ104、回路106、またはレポータ108のうちの少なくとも1つの少なくとも一部は、変形可能な基板102の少なくとも一部に直接印刷されてよい。一実施形態では、センサアセンブリ104、回路106、またはレポータ108のうちの少なくとも1つは、例えば、伸縮性／可撓性布、エラストマーポリマー、親水コロイドフィルム、膜（例えば、シリコンナノ膜などのナノ膜）、ガス透過性エラストマーシート、または他の適合性物質のうちの1つまたは複数の少なくとも一部内に埋め込まれるといったように、変形可能な基板102内に埋め込まれる。
【００１８】
回路106は、システム100が配置されている個々の対象者の1つ以上の身体的特徴に関連付けられた1つ以上の識別検知信号を（例えば、センサアセンブリ104から）受信するように構成され、1つ以上の識別検知信号を分析してよい。例えば、一実施形態では、回路106は、センサアセンブリ104の1つ以上の識別センサ200から1つ以上の識別検知信号を受信するように構成されるように、センサアセンブリ104に動作可能に結合される。一実施形態では、図4に示されるように、回路106は、比較モジュール400を含む。比較モジュール400は、センサアセンブリ104によって生成された1つ以上の識別検知信号を、少なくとも1人の個人の身元に関連付けられた1つ以上の身体的特徴を示す参照データと比較することで、1つ以上の識別信号が少なくとも1人の個人の身元に対応するかどうかを判断するように構成されている。一実施形態では、参照データは、コンピュータメモリデバイス402に格納される。コンピュータメモリデバイス402は、ランダムアクセスメモリ（RAM）、リードオンリメモリ（ROM）、電気的消去可能プログラマブルリードオンリメモリ（EEPROM（登録商標））、フラッシュメモリ、若しくは他のメモリ技術、CD-ROM、デジタルバーサタイルディスク（DVD）、若しくは他の光ディスクストレージ、磁気カセット、磁気テープ、磁気ディスクストレージ、若しくは他の磁気ストレージデバイス、または、任意の他の媒体を含んでよいが、これらに限定されない。任意の他の媒体は、比較モジュール400によって維持される所望の情報を格納するために使用され、回路106または他の関連するアクセスデバイスによってアクセスされるものであってよい。
【００１９】
回路106は、センサアセンブリ104からの1つ以上の検知信号を処理するコンポーネントを含む。また、回路106は、1つ以上の識別検知信号に関連付けられるか、1つ以上の識別検知信号と、特定の個人の身元を示す参照データからの1つ以上の身体的特徴との比較に関連付けられるか、回路106によって行われた判断に関連付けられるか、または、他の情報に関連付けられた1つ以上の通信信号を生成するように、レポータ108に命令を与えるコンポーネントを含む。例えば、回路106は、マイクロプロセッサ、中央演算処理装置(CPU)、デジタル信号プロセッサ(DSP)、特定用途向け集積回路(ASIC)、フィールドプログラマブルゲートエントリ(FPGA)、またはこれらの任意の組み合わせを含んでよく、個別のデジタルまたはアナログ回路素子、電子回路、またはこれらの組み合わせを含んでもよい。一実施形態では、回路106は、複数の所定の論理コンポーネントを有する1つ以上のASICを含む。一実施形態では、回路106は、複数のプログラマブル論理コマンドを有する1つ以上のFPGAを含む。コンピュータメモリデバイスは、システム100と統合されてよく、外部デバイスに関連付けられてよく、無線または有線通信プロトコル、またはそれらの組み合わせを介してシステム100によってアクセス可能であってよい。例えば、参照データは、システム100の変形可能な基板102に結合されたコンピュータメモリ702によって記憶されてよく、無線手段を介して回路106によってアクセス可能であってよく、または遠隔ネットワーク、クラウドネットワークなどの別の手段を介して回路106に利用されてよい。一実施形態では、回路106は、システム100の動作または制御を容易にするために、無線通信プロトコルまたは有線通信プロトコルを介して、参照データ情報または他の情報（例えば、対応閾値（閾値対応）(threshold correspondence)情報、プログラム情報）を受信する受信機404または送受信機406（例えば、アンテナ等）を含む。例えば、受信機404は、制御プログラミング、認証パラメータ、参照データ、またはクエリ（例えば、システム100から外部デバイスに情報を送信するためのクエリ、センサアセンブリ104を介して識別検知信号の検知を開始するためのクエリなど）に関連付けられた1つ以上の通信信号を、外部デバイスから受信してよい。但し、この通信信号は、これらに限定されない。実施形態では、回路106はまた、システム100のコンポーネント間で情報を送信するために、または、外部デバイス（例えば、本明細書で説明される外部デバイス800）と通信するなど、システム外部のコンポーネントに情報を送信するために、送信機408または送受信機（例えば、アンテナなど）を含んでよい。このような通信は、例えば、参照またはプログラミングデータ、計算プロトコル、システムアップデートなどを記憶する1つ以上のデータベースまたはメモリデバイスに回路106がアクセスする旨の指示を含んでよい。
【００２０】
参照データは、少なくとも1人の個人の身元に関連付けられた1つ以上の身体的特徴を示すデータを含む。例えば、参照データは、個人の身元に関連付けられた皮膚トポグラフィ特徴、個人の身元に関連付けられた皮膚表面パターン、個人の身元に関連付けられた毛包パターン、個人の身元に関連付けられた毛穴パターン、個人の身元に関連付けられた色素沈着パターンまたは特徴、個人の身元に関連付けられた血管レイアウト、個人の身元に関連付けられた電流パターン、個人の身元に関連付けられた光起電力電流パターン、個人の身元に関連付けられた皮膚抵抗率測定値などを含んでよいが、これらに限定されない。例えば、参照データは、第1の人物／個人に関連付けられた1つ以上の身体的特徴、第2の人物／個人に関連付けられた1つ以上の身体的特徴、第3の人物／個人に関連付けられた1つ以上の身体的特徴などを含んでよい。回路106は、センサアセンブリ104からの識別検知信号を参照データと比較するように構成される。例えば、回路106は、比較が対応閾値以上（例えば、所定の信頼区間内）である場合、参照データによって格納された人物／個人の身元が、システム100が配置されている個人に属するものとすることができる。例えば、参照データがボブ、ジャン、およびジョーの各々についての身体的特徴情報を含む場合、回路106は、センサアセンブリ104からの識別検知信号を比較して、識別検知信号がボブ、ジャン、またはジョーの身体的特徴情報に対応するかどうかを判断してもよい。
【００２１】
回路106は、1つ以上の識別検知信号の分析に基づいて、システム100の動作を調整してよい。回路106は、1つ以上の識別検知信号を介して個々の対象者を識別することができるかどうかに基づいて、システム100の特定の動作またはコンポーネントを有効化または無効化することを含んでよいが、これに限定されない。例えば、一実施形態において、回路106は、1つ以上の識別検知信号と、少なくとも1人の個人の身元に関連付けられた1つ以上の身体的特徴との間での対応関係（一致度）が対応閾値未満であることに応答して、システム100の少なくとも1つのコンポーネントを無効化にするように構成される。1つ以上の識別検知信号と、少なくとも1人の個人の身元に関連付けられた1つ以上の身体的特徴との間での対応関係は、1つ以上の識別検知信号と、参照データ内に提供される1つ以上の身体的特徴（例えば、特定の識別された個人とリンクまたは関連付けられてよい）との間での、回路106による比較を含んでよい。したがって、システム100が配置されている個々の対象者を、回路106によって行われる比較に基づいて容易に識別できない場合、回路106は、システム100のコンポーネントの機能を無効化することができる。例えば、一実施形態において、回路106は、1つ以上の識別検知信号と、少なくとも1人の個人の身元に関連付けられた1つ以上の身体的特徴との間での対応関係が対応閾値未満であることに応答して、センサアセンブリ104への電力接続を無効化するように構成される。一実施形態では、回路106は、1つ以上の識別検知信号と、少なくとも1人の個人の身元に関連付けられた1つ以上の身体的特徴との間での対応関係が対応閾値未満であることに応答して、レポータ108への電力接続を無効化するように構成される。例えば、図5に示される実施形態において、回路106は、回路106による制御に応答して、アクティブ設定と非アクティブ設定との間で切り替え可能なスイッチ構造500を含むか、またはスイッチ構造500に動作可能に結合されてよい。スイッチ構造500は、システム100が配置されている個々の対象者を、1つ以上の識別検知信号によって識別できない場合、センサアセンブリ104またはレポータ108のうちの1つまたは複数への電力接続を自動的に無効化するか、または無効化し続けてよい（例えば、センサアセンブリ104またはレポータ108に電力を供給する電気回路における切断によって）。これにより、回路106は、スイッチ構造500を非アクティブ設定に動作させるか、または非アクティブ設定を維持させる。したがって、個々の対象者を識別できない場合、個々の対象者は、センサアセンブリ104またはレポータ108を動作させることができない。
【００２２】
回路106は、1つ以上の識別検知信号と、少なくとも1人の個人の身元に関連付けられた1つ以上の身体的特徴との間での対応関係が対応閾値以上であることに応答して、システム100の少なくとも1つのコンポーネントの動作を可能にするように構成されてよい。1つ以上の識別検知信号と、少なくとも1人の個人の身元に関連付けられた1つ以上の身体的特徴との間での対応関係は、1つ以上の識別検知信号と、参照データ内に提供される1つ以上の身体的特徴（例えば、特定の識別された個人とリンクまたは関連付けられてよい）との間での、回路106による比較を含んでよい。したがって、システム100が配置されている個々の対象者を、回路106によって行われる比較に基づいて（例えば、対応閾値の範囲内で）識別できる場合、回路106は、システム100のコンポーネントの機能を有効化することができる。例えば、一実施形態において、回路106は、1つ以上の識別検知信号と、少なくとも1人の個人の身元に関連付けられた1つ以上の身体的特徴との間での対応関係が少なくとも対応閾値であることに応答して、センサアセンブリ104への電力接続をアクティブにするように構成される。一実施形態では、回路106は、1つ以上の識別検知信号と、少なくとも1人の個人の身元に関連付けられた1つ以上の身体的特徴との間での対応関係が少なくとも対応閾値であることに応答して、レポータ108への電力接続をアクティブにするように構成される。例えば、スイッチ構造500は、システム100が配置されている個々の対象者を、1つ以上の識別検知信号によって識別できる場合、センサアセンブリ104またはレポータ108のうちの1つまたは複数への電力接続を自動的にアクティブにし、またはサポートし続けてよい（例えば、センサアセンブリ104またはレポータ108に電力を供給する電気回路における切断を完了することによって、センサアセンブリ104またはレポータ108に電力を供給する電気回路の動作を維持することによって）。これにより、回路106は、スイッチ構造500をアクティブ設定に動作させたり、スイッチ構造500をアクティブ設定に維持させたりする。したがって、個々の対象者を識別することができる場合、個々の対象者が、センサアセンブリ104またはレポータ108を動作させることができたり、システム100が機能性を維持したりすることができる。
【００２３】
一実施形態では、回路106は、ジェスチャによってアクティブにされ、制御され、または非アクティブにされる。例えば、回路106は、システムのジェスチャセンサ（例えば、加速度計、運動センサ、近接センサ、コンタクトセンサ、または他のセンサ）から、1つ以上の検知信号を受信してもよい。この検知信号は、システムが配置されている身体部分でのジェスチャ、システムが配置されている身体部分に近接する身体部分でのジェスチャ、または他の身体部分でのジェスチャなど、個々の対象者によって行われるジェスチャを示す。例えば、ジェスチャは、ウェーブ、ピンチ、擦り（rub）、スクイーズ、クリック、リフト、フリック、シェイク、または他のジェスチャを含んでよく、ジェスチャセンサからの1つ以上の検知信号を介して、回路106をアクティブ、制御、または非アクティブにするように構成される。システム100は、特定のジェスチャと回路の機能との間での対応関係を記憶していてよい。例えば、第1のジェスチャ（例えば、ウェーブジェスチャ）は、第1のプログラムまたはプロトコル（例えば、回路106が、1つ以上の通信信号を生成するようレポート108に指示するための報告プロトコル）の実行に対応していてよい。第2のジェスチャ（例えば、ピンチジェスチャ）は、第2のプログラムまたはプロトコル（例えば、回路106に、センサアセンブリ104をアクティブまたは非アクティブにさせるための検知プロトコル）の実行に対応していてよい。第3のジェスチャ（例えば、シェイクジェスチャ）は、第3のプログラムまたはプロトコル（例えば、システム100に、電力を上昇または低下させるための電力プロトコル）の実行に対応していてよい。
【００２４】
一実施形態では、図6に示すように、システム100は、センサアセンブリ104、回路106、およびレポータ108を含む（但し、これらに限定されない）システム100の1つ以上のコンポーネントに電力を供給するように構成された電源600を含む。例えば、電源600は、変形可能な基板102に結合された常駐デバイスコンポーネントであってよい。常駐デバイスコンポーネントの実施例としては、電池（例えば、薄膜電池、マイクロ電池）、システム100のコンポーネントによって使用するために光エネルギーを電気エネルギーに変換するように構成された太陽電池（例えば、シリコンベースの太陽電池）、燃料電池、およびエネルギー収集デバイス（例えば、身体部分の動き、血流の動きなどの動きから電力を生成するように構成された電力デバイス）を含むが、これらに限定されない。実施形態において、電源600は、変形可能な基板102から遠隔に配置された1つ以上のコンポーネントを含む。このコンポーネントは、電力信号の誘導結合（但し、これに限定されない）を含む、関連する無線電力方式を介して、電力信号を送信する。そのような実施形態において、システム100は、変形可能な基板102上に配置された1つ以上のコンポーネントを含む。このコンポーネントは、変形可能な基板102から遠隔に配置されたコンポーネントから発生する電力信号を、受信、処理、および／または分配するように構成される。例えば、システム100は、遠隔送信コイルから発生する遠隔電力信号のような遠隔電力信号を受信するように構成された、変形可能な基板102に結合された無線電力コイルを含んでよい。一実施形態では、電源600は、伸縮性または可撓性の電子回路を含む。例えば、電源600は、シリコンフィラメント状でかつ蛇行形状の光起電力電池を含んでよい。例えば、電源600は、フィラメント状でかつ蛇行形状の誘導コイルを含んでもよい。
【００２５】
システム100のレポータ108は、システム100の動作に関連付けられた情報を報告するための1つ以上の通信信号を生成するように構成される。一実施形態では、レポータ108は、回路106に動作可能に結合され、回路106による命令に応答して1つ以上の通信信号を生成するように構成される。通信信号は、センサアセンブリ104によって（例えば、1つ以上の識別センサ200を介して）生成される1つ以上の識別検知信号に関連付けられてもよく、1つ以上の識別検知信号と、少なくとも1人の個人の身元に関連付けられた1つ以上の身体的特徴との比較（例えば、1つ以上の識別信号が少なくとも1人の個人の身元に対応するかどうかを判断するために、回路106によって提供されるようなもの）に関連付けられてもよく、またはそれらの組み合わせと関連付けられてもよい。例えば、レポータ108は、システム100が配置されている個人が第1の個人（例えば、ボブ）に対応することを報告することができる。また、レポータ108は、送信された情報が第2の個人の身体的特徴（例えば、この情報は、ジャンの皮膚トポグラフィ特徴に対応する）であることを報告することができる。また、レポータ108は、システム100が個人の身元を判断することができない（例えば、センサアセンブリ104によって測定された身体的特徴が、ボブ、ジャン、またはジョーのいずれかに対応しない、または対応閾値を満たさない）ことを報告することができる。一実施形態では、通信信号は、外部デバイスまたはシステム（例えば、本明細書でさらに説明される外部デバイス800）に報告可能である。例えば、外部デバイスまたはシステムは、演算装置、演算システム若しくは演算ネットワーク（例えば、パーソナルコンピューティングデバイス、電子ヘルス記録など）、または電子デバイス（例えば、電子ゲーム、自動車または機器などの電子コントローラ、または他の電子機器）を含んでよいが、これらに限定されない。一実施形態では、システム100は、演算装置に、1つ以上の通信信号を送信することができ、その結果、演算装置は、通信信号内のデータを個人に関連付けることができる。この演算装置は、システム100の一部であるか、またはシステム100が配置されている個人に関連付けられた他の部分である1つ以上のウェアラブルセンサからデータを収集する回路またはプログラムのうちの少なくとも1つを有する。システム100は、レポータ108を介して、識別された個人による1つ以上のデバイス、プログラム、デバイス機能などの使用を認証する際に使用するための認証機能を備えた電子コントローラに、識別情報を送信してよい。例えば、システム100は、個人がボブとして識別される情報を送信することができ、それにより、電子コントローラは、ボブによる1つ以上のデバイス、プログラム、デバイス機能の使用を、その身元に従って容易にすることができる。
【００２６】
図7に示される実施形態では、レポータ108は、送信機700、送受信機702、または受信機704のうちの1つまたは複数を含む。例えば、レポータ108は、アンテナ構造を含んでよい。このアンテナ構造は、（例えば、送信機700、送受信機702などを介して）1つ以上の通信信号を送信する機能か、または（例えば、送受信機702、受信機704などを介して）外部デバイスから1つ以上の通信信号を受信する機能の少なくとも1つを構成する。外部デバイスからの1つ以上の通信信号は、制御プログラミング、認証パラメータ、参照データ、またはクエリ（例えば、システム100から外部デバイスに情報を送信するためのクエリ）を含んでよいが、これらに限定されない。一実施形態では、センサアセンブリ104は、外部デバイスから1つ以上の通信信号を受信するように構成された送受信機（例えば、送受信機702）または受信機（例えば、受信機704）のうちの1つまたは複数を含む。例えば、外部デバイスからの1つ以上の通信信号は、制御プログラミング、認証パラメータ、参照データ、またはクエリ（例えば、システム100が配置されている個々の対象者の身体的特徴の検知を開始するためのクエリ）を含んでよいが、これらに限定されない。
【００２７】
一実施形態では、システム100は、変形可能な基板102、センサアセンブリ104、回路106、またはレポータ108のうちの少なくとも1つに関連付けられた一意の識別子を含む。一意の識別子は、複数の識別デバイスまたはシステム100が、複数の個々の対象者を識別するために組み合わせて利用される場合、または複数の識別装置またはシステム100が、例えばある期間にわたって、個々の対象者によって利用される場合などにおいて、データソース、通信信号の発信源を識別することを容易にすることができる。例えば、レポータ108が（例えば、外部デバイスへの）伝送のために1つ以上の通信信号を生成する場合に、1つ以上の通信信号は、1つ以上の通信信号の発信源を識別するための一意の識別子に関連付けられてもよいし、または当該一意の識別子を含んでもよい。換言すれば、この1つ以上の通信信号は、システム100が配置されている特定の個人の身元に関連付けられてよい。したがって、外部デバイスは、将来の通信、アクション、クエリなどにおいて、個人の身元を特定のデバイスに関連付けることができる。複数の識別デバイスまたはシステム100が個々の対象者によって利用される場合、そのような識別デバイスまたはシステム100の使用は、各識別デバイスまたはシステムに関連付けられた一意の識別子を介して追跡することができる。例えば、一意の識別子は、例えば通信源、測定源、識別源を、特定の識別デバイスまたはシステム100（例えば、ロット番号）に誘導するものとして指定することができる。そして、通信は、順次（複数の識別デバイスまたはシステム100が、ある期間にわたって個々の対象者によって利用される場合）、並行して（複数の識別デバイスまたはシステム100が、所与の時間において個々の対象者によって利用される場合）、またはそれらの組合せで（複数の識別デバイスまたはシステム100が、ある期間にわたってかつ所与の時間に、個々の対象者によって利用される場合）、追跡することができる。
【００２８】
図8に示される実施形態では、システム100は、外部デバイスまたはシステム（本明細書では、外部デバイス800と称する）をさらに含む。外部デバイス800は、外部デバイス800による分析のために、レポータ108から通信を受信するように構成される。外部デバイス800は、レポータ108から1つ以上の通信信号を受信するように構成された受信機802（例えば、受信アンテナ、送受信機等）を含んでよい。外部デバイス800はまた、1つ以上の通信信号を、外部デバイス800を動作させる権限が与えられた1以上のユーザに関連付けられた1つ以上の認証パラメータと比較するように構成された回路804を含んでよい。例えば、外部デバイス800は、外部デバイス800の動作に関連する認証パラメータに関連付けられたデータを維持するコンピュータメモリデバイス806を含んでよく、または当該コンピュータメモリデバイス806にアクセスしてよい。認証パラメータは、外部デバイス800の機能の少なくとも一部を動作させる権限が与えられた、識別された個人、身元、デバイスまたはシステムのリスト、外部デバイス800を動作させる権限が与えられた1以上のユーザの参照身体的特徴のリスト、識別された個人が利用する権限が与えられた外部デバイス800の機能のリストなどを含んでよいが、これらに限定されない。例えば、外部デバイス800は、変形可能な基板102が配置されている個々の対象者の身元を示すレポータ108からの通信信号を受信することができる。それにより、外部デバイス800は、メモリ806に記憶された認証パラメータと個人の身元を（例えば、回路804を介して）比較することで、例えば、識別された個人に対して、外部デバイス800を動作させる権限を与えるか否かを判断することができたり、識別された個人に対して、外部デバイス800の何れの機能を動作させる権限を与えるか否かを判断することができたりする。別の実施例として、認証パラメータが、識別されたデバイスまたはシステムのリストを含む場合、そのようなデバイスまたはシステムは、外部デバイス800の機能の一部を、例えば、個々の対象者または他の個人とのインタラクションなしに、自動的に動作させてもよい。外部デバイス800は、例えば、モバイル通信デバイスまたはコンピュータシステムの1つまたは複数を含む通信デバイスまたは電子機器を含んでよい。モバイル通信デバイスまたはコンピュータシステムは、モバイルコンピューティングデバイス（例えば、ハンドヘルドポータブルコンピュータ、パーソナルデジタルアシスタント（PDA）、ラップトップコンピュータ、ネットブックコンピュータ、タブレットコンピュータなど）、モバイル電話デバイス（例えば、携帯電話およびスマートフォン）、スマートフォンおよびタブレットコンピュータ（例えば、ファブレット）に関連付けられた機能を有するデバイス、ポータブルゲームデバイス、ポータブルメディアプレーヤ、マルチメディアデバイス、衛星ナビゲーションデバイス（例えば、全地球測位システム（GPS）ナビゲーションデバイス）、電子書籍リーダデバイス（eReaders、スマートテレビ(TV）デバイス、表面コンピューティングデバイス（例えば、テーブルトップコンピュータ）、パーソナルコンピュータ（PC）デバイス、タッチベースヒューマンインタフェースを実装するデバイス、通貨処理デバイス（例えば、���金自動預入支払機（ATM）、キャッシュレジスタ、コイン／紙幣カウンタおよび選別機、クレジット／デビットカードリーダなど）、電動車両またはその制御システム（例えば、自動車、トラック、オートバイ、ボート、スノーモービル、飛行機、ヘリコプタ等）、運動設備または機器、ホームセキュリティシステム、電子薬剤ディスペンサ（例えば、丸薬ディスペンサ）、医療設備または機器（例えば、患者用スイート、外科用スイート、外科用機器等）、ユーザインタフェースを有するレンタル機器（例えば、ビデオレンタル、オーディオレンタル等）、輸送セキュリティ端末（例えば、空港セキュリティ端末、列車セキュリティ端末、フェリーセキュリティ端末等）、人員追跡機器、重機または特殊機器、特殊ツール、安全機器、セキュリティ機器（例えば、ロックまたはアクセスポイント）、医療機器（例えば、薬物デリバリデバイスまたは外科用ツール）、または、カスタマイズ可能な電子機能を有する個人用機器もしくは衣服を含むが、これらに限定されない。レポータ108は、1つ以上の接続機構または無線通信機構を介して、外部デバイス800と通信してよい（例えば、通信信号を送受信してよい）。接続機構または無線通信機構は、音響通信信号、音声通信信号（例えば、可聴、不可聴、またはそれらの組み合わせ）、光通信信号、無線通信信号、赤外線通信信号、超音波通信信号、電気信号（例えば、システム100のコンポーネントと外部デバイス800との間の伝導経路を介する）などを含むが、これらに限定されない。一実施形態では、センサアセンブリ104または回路106のうちの1つまたは複数は、外部デバイス800から通信信号を受信してよい。例えば、外部デバイス800（例えば、携帯電話またはネットワークベースのデバイス）は、1つ以上の通信信号を、センサアセンブリ104または回路106のうちの1つまたは複数に送信してよい。この場合、当該通信信号は、センサアセンブリ104または回路106の特定の機能を開始または終了（例えば、オン／オフ）する、プログラミング情報を提供する、更新された機能を提供する、比較閾値または参照データを提供または更新することができる。一実施形態では、回路106は、外部デバイス800からのクエリに応答して、1つ以上の通信を生成するようにレポータ108に指示する。一実施形態では、レポータ108は、外部デバイス800からの依頼または通信なしに、回路106による命令に応答して、1つ以上の通信信号を生成する。例えば、レポータ108は、外部デバイス800が通信信号を受信することができるか否かに関わらず、1つ以上の通信信号を生成してよい。このような場合、レポータ108によって生成された通信信号は、システム100のメモリに格納されてよく、格納された通信信号は、後に、（例えば、1つ以上の新しいシステム100、外部デバイス800などをプログラムするために）利用されてよい。
【００２９】
一実施形態では、センサアセンブリ104、回路106、またはレポータ108のうちの1つまたは複数は、システム100と、システム100が配置されている個人の身体に備わっている1つ以上の他のデバイスまたはシステムとの間でのインタラクションを容易にする。例えば、外部デバイス800は、システム100が配置されている個人にも備わっている1つ以上のデバイスまたはシステム（例えば、1つ以上のセンサ、演算装置など）を含んでよい。一実施形態では、システム100は、センサアセンブリ104、回路106、またはレポータ108のうちの1つまたは複数と通信可能に結合された追加のセンシングデバイスなど、個人の身体に備わっている1つ以上の他のデバイスまたはシステムを含む。例えば、個人の身体に備わっているセンシングデバイス（例えば、心拍数モニタ）がアクティブである場合、センシングデバイスの出力は、身体に備わっているセンシングデバイスと、センサアセンブリ104、回路106、またはレポータ108のうちの1つまたは複数のアクティビティとの間の関連によって、個人の身元と関連付けられてよい（例えば、心拍数モニタによって測定される心拍数は、デバイスまたはシステムが配置されている個人の身元と関連付けられてよい）。
【００３０】
システム100はまた、識別から独立した機能、識別をサポートする機能などを提供する他のセンサを含んでよい。例えば、図9に示される実施形態では、システム100は、生理学的センサ900、近接センサ902、コンタクトセンサ904、圧力センサ906、または温度センサ908のうちの1つまたは複数を含む。一実施形態では、生理学的センサ900、近接センサ902、コンタクトセンサ904、圧力センサ906、または温度センサ908のうちの1つまたは複数は、変形可能な基板102が個人の皮膚表面に取り付けられているか、皮膚表面に対して維持されているか、または別の方法で皮膚表面に接触しているか否かを示す検知信号を提供してよい。例えば、回路106は、生理学的センサ900、近接センサ902、コンタクトセンサ904、圧力センサ906、又は温度センサ908のうちの1つまたは複数から検知信号を受信してよく、皮膚表面上の変形可能な基板102の存在の確認に応答して、個々の対象者の識別を開始するようにセンサアセンブリ104をアクティブにしてよい。
【００３１】
図10に示す実施形態では、回路106は、識別比較モジュール1000および認証比較モジュール1002を含む。識別比較モジュール1000は、センサアセンブリ104によって生成された1つ以上の識別検知信号を、少なくとも1人の個人の身元に関連付けられた1つ以上の身体的特徴を示す参照データと比較して、1つ以上の識別検知信号が、少なくとも1人の個人の身元に対応するかどうかを判断するように構成される。例えば、識別比較モジュール1000は、本明細書に記載される比較モジュール400に類似するか、またはそれと同一の構造および機能を含んでよい。少なくとも1人の個人の身元に関連付けられた1つ以上の身体的特徴を示す参照データは、回路106、識別比較モジュール1000、または認証比較モジュール1002によってアクセス可能なコンピュータメモリデバイス1004に格納されてよい。例えば、コンピュータメモリデバイス1004は、特定の身元に帰属する身体的特徴（例えば、第1の身元と関連し、かつそれに固有の皮膚トポグラフィ特徴、第2の身元と関連し、かつそれに固有の皮膚トポグラフィ特徴など）と関連付けられた身元（例えば、個人の名前）のリストに関連付けられたデータを記憶してよい。認証比較モジュール1002は、1つ以上の識別検知信号、または少なくとも1人の個人の身元の少なくとも一方を、1つ以上の認証パラメータと比較するように構成される。認証パラメータは、システム100の機能の少なくとも一部を動作させる権限が与えられた、識別された個人または身元のリスト、システム100の機能の少なくとも一部（例えば、レポート108）を機能させることが可能な、識別され、かつ権限が与えられた個人または身元のリスト、外部デバイス（例えば、外部デバイス800）の機能の少なくとも一部を動作させる権限が与えられた、識別された個人または身元のリスト、外部デバイス（例えば、外部デバイス800）を動作させる権限が与えられた1以上のユーザに対する参照身体的特徴のリスト、識別された個人が利用する権限が与えられた外部デバイス（例えば、外部デバイス800）の機能のリストなどを含んでよいが、これらに限定されない。
【００３２】
一実施形態では、レポータ108は、回路106による命令に応答して1つ以上の通信信号を生成するように構成される。1つ以上の通信信号は、1つ以上の識別検知信号と、1つ以上の認証パラメータ、または1つ以上の認証パラメータを有する少なくとも1人の個人の身元との比較の少なくとも一方に関連付けられる。例えば、1つ以上の通信信号が、1つ以上の識別検知信号と1つ以上の認証パラメータとの比較に基づく場合には、認証比較モジュール1002は、1つ以上の識別検知信号を、メモリ1004に記憶された認証パラメータと直接比較してよい。認証パラメータは、認証された個人の身体的特徴のリストを含んでよい。この場合、識別検知信号が、メモリに記憶された、権限が与えられた個人の身体的特徴と一致するときに、個々の対象者に対して権限を与えることができる。例えば、認証（許可、認可）は、個人がシステム100を利用する権限を与えられること、または個人が外部デバイスを使用する権限を与えられること（例えばこの場合、個々の対象者が、外部デバイスを動作させる権限を与えられた個人のリストにおける1つの身元に、実質的に一致する）、またはシステム100が完全に機能できること（例えば、情報を送信できる）、または権限が与えられた個人が利用できるシステム100の機能の一部が有効化される（使用可能になる）を含んでよいが、これらに限定されない。1つ以上の通信信号が、少なくとも1人の個人の身元と、1つ以上の認証パラメータとの比較に基づく場合、識別比較モジュール1000は、最初に、1つ以上の識別検知信号に基づいて個人を識別することができる。それによって、認証比較モジュール1002は、（例えば、権限が与えられた個人または身元のリストを有する参照データと、身元を比較することによって）識別され、権限が与えられた個人であるかどうかを決定することができる。一実施形態では、1つ以上の認証パラメータが、権限が与えられた1人のユーザに対応する場合、識別比較モジュール1000および認証比較モジュール1002は、識別後の自動的な認証のための単一のモジュールとして組み込まれてよい。
【００３３】
一実施形態では、図11に示されるように、回路106は、センサアセンブリ104によって生成された1つ以上の識別検知信号を、個人の身体的状況に関連付けられた1つ以上の身体的特徴を示す参照データと比較して、個々の対象者が外部デバイスを動作させる権限を与えられているかどうかを判断するように構成された比較モジュール1100を含む。例えば、メモリ1004は、身体的状況に関連付けられた参照データを記憶してよい。身体的状況に関連付けられた参照データは、バイタルステータス（例えば、生存状態または死亡状態を示す生理学的参照データ、疲労状態またはストレス状態に関連付けられた生理学的データなど）または機能ステータス（例えば、身体的状態、精神的状態など）を含むが、これらに限定されない。一実施形態では、比較モジュールは、システムの他のセンサ（例えば、生理学的センサ900、近接センサ902、コンタクトセンサ904、圧力センサ906、または温度センサ908のうちの1つまたは複数）からの検知信号を比較して、個人のバイタルステータスまたは機能ステータスを判断する。機能ステータスに関連付けられた1つ以上の身体的特徴を示す参照データは、（例えば、薬物またはアルコールによる）酩酊または中毒といった化学的または生物学的指標、物質（例えば、毒素、毒物、処方薬）の有無、血液酸素レベル、動き、動きのパターン、または動きの欠如（例えば、意識状態の指標、または微細な運動技能の低下の指標として）などを含んでよいが、これらに限定されない。バイタルステータスまたは機能ステータスは、識別された個人が外部デバイスの動作に適した状態にあるかどうかに関する指標として機能してよい。例えば、個々の対象者を特定し、デバイスを使用する権限を与えてもよいが、個人の現在の状態によっては、外部デバイスの全部または一部を動作させることができない場合がある。例えば、システム100のセンサは、長期間にわたって自動車を安全に操作するための、血流中の充分なレベルの薬物を個人が有していないこと（例えば、震顫または発作のある人）を検出してよい。
【００３４】
一実施形態では、回路106は、1つ以上の識別検知信号と、個人の機能ステータスに関連付けられた1つ以上の身体的特徴を示す参照データとの間での対応関係が機能対応閾値を超えることに応答して、外部デバイスの少なくとも一部を動作させる（操作する）個々の対象者の認証を防止するように構成される。例えば、機能対応閾値は、外部デバイスの動作のための身体的特徴（例えば、血中アルコール含有量、投薬濃度など）の安全な閾値に関係付けられている。一実施形態では、回路106は、1つ以上の通信信号を生成または送信するようにレポータ108に指示しないことによって、個々の対象者の認証を防止する。一実施形態では、回路106は、外部デバイスの動作の部分的な認証を可能にすることで、個人が、外部デバイスの機能のサブセットのみを動作させることが可能となる。例えば、個人が識別され、スマートフォンデバイスを使用する権限が与えられたが、その個人が中毒であるか、またはその他の機能ステータスが低下していると判断される場合、回路106は、電話コールまたはウェブブラウジング機能を許容し、また金融取引機能を防止してよい。
【００３５】
図12に示される実施形態では、レポータ108は、レポータ108の出力に関連付けられた視覚的指示を提供するように構成された表示デバイス1200を含む。例えば、表示デバイス1200は、1つ以上の発光素子1202（例えば、発光ダイオード、ポリマー発光ダイオード(PLED)、レーザ、または他の光源）を含んでよい。発光素子1202は、1つ以上の識別検知信号と1つ以上の認証パラメータとの間での比較、または、少なくとも1人の個人の身元と1つ以上の認証パラメータとの間での比較の少なくとも一方に対応する所定パターンの光を提供するように構成される。所定パターンの光は、光強度または輝度、色、形状、または別個のパターン間で識別可能な他の特徴に関連付けられたパターンを含んでよい。一実施形態では、所定パターンは、1つ以上の識別検知信号と1つ以上の認証パラメータとの間での対応関係、または、少なくとも1人の個人の身元と1つ以上の認証パラメータとの間での対応関係の少なくとも一方が対応閾値未満であること（例えば、センサアセンブリ104によって測定される身体的特徴は、権限が与えられた個人に対応しない）に関連付けられた第1のパターンを含む。また、所定パターンは、1つ以上の識別検知信号と1つ以上の認証パラメータとの間での対応関係、または、少なくとも1人の個人の身元と1つ以上の認証パラメータとの間での対応関係の少なくとも一方が少なくとも対応閾値であること（例えば、センサアセンブリ104によって測定される身体的特徴は、権限が与えられた個人に対応する）に関連付けられた第2のパターンを含む。例えば、レポータ108は、個々の対象者が外部デバイスを動作させる権限を与えられていない場合、表示デバイスを介して第1のパターン（例えば、第1の強度、第1の色、第1の形状など）を表示してよい。また、個々の対象者が外部デバイスを動作させる権限を与えられている場合、別個の第2のパターン（第2の強度、第2の色、第2の形状など）を表示してよい。システム100はまた、1つ以上の有機光検出器(OPD)のような1つ以上の光検出器を含んでよい。光検出器は、身体部分によって反射または屈折された光のような、表示デバイス1200および／またはセンサアセンブリ104からの光を検出するためものである。例えば、システム100は、ポリ（3-ヘキシルチオフェン)(P3HT）：（6，6）-フェニル-C61-酪酸メチルエステル（PCBM）の活性層を含む有機光検出器を含んでよい。
【００３６】
一実施形態では、表示デバイス1200は、1つ以上の音放出素子1204（例えば、スピーカ、音源、または他の音源）を含んでよい。音放出素子1204は、1つ以上の識別検知信号と1つ以上の認証パラメータとの比較、または、少なくとも1人の個人の身元と1つ以上の認証パラメータとの比較の少なくとも一方に対応する所定パターンの音を提供するように構成される。所定パターンの音は、音の強さ、可聴および不可聴の位相、または別個のパターン間で識別可能な他の特徴に関連付けられたパターンを含んでよい。一実施形態では、所定パターンは、1つ以上の識別検知信号と1つ以上の認証パラメータとの間での対応関係、または、少なくとも1人の個人の身元と1つ以上の認証パラメータとの間での対応関係の少なくとも一方が対応閾値未満であること（例えば、センサアセンブリ104によって測定される身体的特徴は、権限が与えられた個人に対応しない）に関連付けられた第1のパターンを含む。所定パターンは、1つ以上の識別検知信号と1つ以上の認証パラメータとの間での対応関係、または、少なくとも1人の個人の身元と1つ以上の認証パラメータとの間での対応関係の少なくとも一方が少なくとも対応閾値であること（例えば、センサアセンブリ104によって測定される身体的特徴は、権限が与えられた個人に対応する）に関連付けられた第2のパターンを含む。例えば、レポータ108は、個々の対象者が外部デバイスを動作させる権限を与えられていない場合、表示デバイスを介して第1のパターン（例えば、第1の強度、第1の可聴／不可聴のパターンなど）を示してよい。また、レポータ108は、個々の対象者が外部デバイスを動作させる権限を与えられている場合、別個の第2のパターン（第2の強度、第2の可聴／不可聴のパターンなど）を示してよい。
【００３７】
一実施形態では、表示デバイス1200は、レポータ108の出力に関連付けられた視覚的指示を提供するように構成された投影ディスプレイ1206を含む。例えば、投影ディスプレイ1206は、1つ以上の識別検知信号と1つ以上の認証パラメータとの比較、または、少なくとも1つの個人の身元と1つ以上の認証パラメータとの比較の少なくとも一方に対応する投影画像（例えば、皮膚表面、衣類または衣服、壁または支持表面、スクリーンなどに投影される画像）を提供するように構成されてよい。
【００３８】
一実施形態では、回路106は、変形可能な基板102が個々の対象者の皮膚表面から除去されたかどうかを判断するように構成される。例えば、システム100は、センサアセンブリ104の一部として、またはセンサアセンブリ104とは異なる、またはそれらの組み合わせである、歪みゲージまたは近接センサのうちの1つまたは複数を含んでよい。歪みゲージまたは近接センサは、変形可能な基板102が個々の対象者の皮膚表面から除去されたかどうかを検知するように構成される。例えば、システム100は、変形可能な基板102の皮膚表面からの除去に対応する歪みまたは距離測定に関連付けられた参照データを記憶するコンピュータメモリデバイスを含んでよい。回路106は、歪みゲージまたは近接センサからの出力をこのような参照データと比較して、変形可能な基板102が除去されたかどうかを判断してよい。一実施形態では、回路106は、変形可能な基板102が、個々の対象者の皮膚表面とは異なる皮膚表面に適用されたかどうかを判断するように構成される。例えば、システム100は、センサアセンブリ104によって第1の時刻に得られた1つ以上の識別検知信号をコンピュータメモリデバイスに記憶してよい。それにより、回路106は、センサアセンブリ104によって第2の時刻に得られた1つ以上の識別検知信号と、センサアセンブリ104によって第1の時刻に得られて保存された識別検知信号とを比較して、信号が実質的に異なるか否かを判断することができる。信号が皮膚特性を対象としている場合、異なる時刻に得られる信号間の実質的な差異は、皮膚表面が第1の時刻と第2の時刻との間で異なることを示すことができ、第1の時刻と第2の時刻との間で異なる個人間でシステム100が移動したことを示すことができる。
【００３９】
レポータ108は、識別または認証のうちの1つまたは複数を含む様々なシナリオに応答して、1つ以上の通信信号を生成してよい。例えば、一実施形態において、レポータ108によって生成される1つ以上の通信信号は、1つ以上の識別検知信号と、少なくとも1人の個人の身元に関連付けられた1つ以上の身体的特徴を示す参照データとの間での対応関係が対応閾値未満であることに応答した、外部デバイスを動作させるための個々の対象者の認証の欠如に対応する。例えば、回路106が、（例えば、識別比較モジュール1000を介して）システム100が配置されている個々の対象者を識別することができない場合、レポータ108は、通信信号を介して、個々の対象者が外部デバイスを動作させる権限を与えられていないことを、そのような個々の対象者が認識できないことに基づいて報告することができる。一実施形態では、回路106が、（例えば、識別比較モジュール1000を介して）システム100が配置されている個々の対象者を識別することができない場合、回路106は、レポータ108による通信信号の生成を防止する（例えば、1つ以上の通信信号の生成に関する回路106からレポータ108への命令がない）。一実施形態では、レポータ108によって生成される1つ以上の通信信号は、（i）1つ以上の識別検知信号と、少なくとも1人の個人の身元に関連付けられた1つ以上の身体的特徴を示す参照データとの間での対応関係が少なくとも対応閾値であること、および（ii）1つ以上の識別検知信号または少なくとも1人の個人の身元の少なくとも一方と、1つ以上の認証パラメータとの間での対応関係が少なくとも対応閾値であること、の両方に応答した、外部デバイスを動作させるための個々の対象者の認証に対応する。例えば、回路106が、システム100が配置されている個々の対象者を（例えば、識別比較モジュール1000を介して）識別することができ、回路106が、システム100が配置されている個々の対象者に（例えば、認証比較モジュール1002を介して）外部デバイスの動作に対して権限を与えることができる場合には、レポータ108は、通信信号を介して、個々の対象者が外部デバイスを動作させる権限を与えられていることを報告してよい。
【００４０】
一実施形態では、レポータ108は、通信信号の静的な出力を提供するように構成される。一実施形態では、レポータ108は、1つ以上の通信信号を連続的に生成するように構成される。一実施形態では、レポータ108は、通信信号の動的な出力を提供するように構成される。一実施形態では、レポータ108は、外部デバイス（例えば、外部デバイス800）からのクエリに応答して、1つ以上の通信信号を生成するように構成される。一実施形態では、レポータ108は、レポータ108と外部デバイス（例えば、外部デバイス800）との間の接近に応答して、1つ以上の通信信号を生成するように構成される。例えば、システムは、レポータ108と外部デバイス（例えば、外部デバイス800）との間の近接を示す検知信号を生成するように構成された近接センサ（例えば、近接センサ902）を含んでよい。回路106は、近接センサからの検知信号を参照データ（例えば、近接閾値）と比較して、レポータ108および外部デバイス800が、レポータ108から外部デバイス800への通信信号の送信を開始するのに十分に近いかどうかを判断してよい。そして、回路106は、レポータ108および外部デバイス800が近接閾値内にあると判断した場合、1つ以上の通信信号を生成するようにレポータ108に命令してよい。
【００４１】
図13に示す一実施形態では、システム100は、変形可能な基板102と、センサアセンブリ104と、回路106と、接着剤1300とを含む。接着剤1300は、変形可能な基板102の表面に結合され、変形可能な基板102を個々の対象者の皮膚表面に接着するように構成される。接着剤1300は、回路106からの1つ以上のエネルギー信号（例えば、電気信号、熱信号、磁気信号、光信号など）に応答して、第1の状態（例えば、接着状態）から第2の状態（例えば、非接着状態）に遷移するように構成される。一実施形態では、回路106は、1つまたは複数の識別検知信号と、少なくとも1人の個人の身元に関連付けられた1つ以上の身体的特徴との間での対応関係が対応閾値未満であることに応答して、1つ以上のエネルギー信号を生成するように構成される。例えば、回路106が、（例えば、比較モジュール400または識別比較モジュール1000のうちの1つまたは複数を介して）システム100が配置されている個々の対象者の身元を判断できない場合、回路106は、接着剤1300を接着状態から非接着状態に遷移させるための1つ以上のエネルギー信号を生成する。非接着状態にある場合、接着剤1300は、変形可能な基板102を個々の対象者の皮膚表面に対して適所に固定したままにするのに十分な能力（例えば、接着特性、粘着性、粘着特性等）を欠く（例えば、低い接着状態）。したがって、接着剤1300が非接着状態にあるとき、システム100は、容易に識別できない個々の対象者に関して機能性または操作性を失ってよい。
【００４２】
図14に示す一実施形態では、接着剤1300は、電気活性ポリマー1400、熱応答性接着剤1402、磁気応答性接着剤1404、光応答性接着剤1406、または可逆的微細構造1408のような電気応答性接着剤のうちの1つまたは複数を含んでよい。電気活性ポリマー1400は、回路106からの1つ以上のエネルギー信号によって作動可能であり、可逆的または切り替え可能な接着特性（例えば、接着状態と非接着状態との間の遷移）を提供してよい。例えば、電気活性ポリマー1400は、1つまたは複数のエネルギー信号に応答して、寸法または形状を変えるように構成され、電気活性ポリマー1400と、システム100が適用される皮膚表面との間の接着作用を（例えば、皮膚表面に接触する表面領域の量の変化を通して）増加または減少させることができる。電気活性ポリマー1400は、例えば、電気活性ヒドロゲル、誘電性ポリマー、電歪ポリマー、電気粘弾性ポリマー、強誘電性ポリマー（例えば、PVDF）、液晶エラストマー、イオン性ポリマー（例えば、ナフィオンなどのアイオノマー）、導電性ポリマー（例えば、ポリアニリンまたはポリピロールフィルム）、アイオノマーポリマー−金属コンポジット（IPMC）、共役ポリマー（例えば、ペプチド共役PEDOT）、単一ネットワークまたは二重ネットワーク刺激応答性ゲル（例えば、PMAAおよびPOEGMAなどのメタクリレート）、炭素構造（ナノ構造を含む）などを含んでよい。一実施形態では、電気活性ポリマー1400は、回路106からの1つ以上のエネルギー信号に応答して、接着状態と非接着状態との間を可逆的に遷移するように構成される。一実施形態では、電気活性ポリマー1400は、回路106からの1つ以上のエネルギー信号に応答して、非接着状態と接着状態との間を可逆的に遷移するように構成される。
【００４３】
熱応答性接着剤1402は、接着状態から非接着状態へ遷移するように、回路106からの1つ以上のエネルギー信号に応答して、接着剤の温度変化によって作動可能である。例えば、熱応答性接着剤1402は、回路106からの1つ以上のエネルギー信号との相互作用に応答する温度の上昇により、少なくとも部分的に除去されるように構成されてよく、これにより、接着の喪失または低下を導くことができる。熱応答性接着剤1402は、例えば、熱応答性ポリマーを含んでよい。熱応答性ポリマーは、例えば、ポリアクリルアミド（例えば、ポリ（N−イソプロピルアクリルアミドまたはポリ（N，N−ジエチルアクリルアミド））、形状記憶ポリマー（例えば、エポキシベース）、またはL−3，4−ジヒドロキシルフェニルアラニン（DOPA）−修飾ポリマーを含んでよい。一実施形態では、熱応答性接着剤1402は、回路106からの1つ以上のエネルギー信号に応答して、接着状態と非接着状態との間を可逆的に遷移するように構成される。一実施形態では、熱応答性接着剤1402は、回路106からの1つ以上のエネルギー信号に応答して、非接着状態と接着状態との間を可逆的に遷移するように構成される。例えば、熱応答性接着剤は、所定の温度（例えば、32℃）を超えて組織に接着し、熱エネルギー信号に応答してその温度未満でその接着特性を失う。例えば、熱応答性接着剤は、DOPA修飾PEGポリマーおよびリポソーム中に貯蔵された酸化剤を含み、エネルギー源によって熱的に誘発されると、酸化剤を放出し、それによってポリマーを接着性ヒドロゲルに変換する。
【００４４】
磁気応答性接着剤1404は、例えば接着状態から非接着状態へ遷移するように、回路106からの1つ以上のエネルギー信号に応答して、接着剤に印加される磁界の印加、または磁界の変化によって作動可能である。例えば、磁気応答性接着剤1404は、ネオジム（NdFeB）微粒子などの金属微粒子または金属ナノ粒子を組み込んだポリジメチルシロキサンで形成されたマイクロピラーのアレイを含んでよい。一実施形態では、磁気応答性接着剤1404は、回路106からの1つ以上のエネルギー信号に応答して、接着状態と非接着状態との間を可逆的に遷移するように構成される。一実施形態では、磁気応答性接着剤1404は、回路106からの1つ以上のエネルギー信号に応答して、非接着状態と接着状態との間を可逆的に遷移するように構成される。
【００４５】
光応答性接着剤1406は、例えば接着状態から非接着状態へ遷移するように、回路106からの1つ以上のエネルギー信号に応答して、接着剤に適用される光源の適用、または光の照射量の変化によって、作動可能である。光応答性接着剤1406は、例えば、アゾベンゼン修飾糖質複合体、アゾ含有液晶ネットワーク(LCN)マイクロピラー、またはこれらの組み合わせを含んでよい。一実施形態では、光応答性接着剤1406は、回路106からの1つ以上のエネルギー信号に応答して、接着状態と非接着状態との間を可逆的に遷移するように構成される。一実施形態では、光応答性接着剤1406は、回路106からの1つ以上のエネルギー信号に応答して、非接着状態と接着状態との間を可逆的に遷移するように構成される。実施形態では、光応答性接着剤1406は、特定の波長の光（例えば、紫外光、青色光など）に対する感度がよい。例えば、特定の波長の光の適用により、光応答性接着剤1406の接着作用を弱めることができる。
【００４６】
可逆的微細構造1408は、回路106からの1つ以上のエネルギー信号に応答して、接着状態と非接着状態との間で遷移するように構成されてよい。例えば、可逆的微細構造1408は、アレイ（例えば、正方形アレイ）に配列されたポストから突出する幾何学的（例えば、ピラミッド状）構造を有する、エラストマーマイクロチップ表面などのマイクロチップ表面を含んでよい。そのような構成は、例えば力が印加されたときに、突出する幾何学的構造間のアレイ状のポスト間の領域の崩壊を可能にする。可逆的微細構造1408は、例えば、可逆的微細構造1408と、システム100が適用される皮膚表面との間に内在する引力に基づいて、異なるレベルの接着を提供することができる。例えば、可逆的微細構造1408は、可逆的微細構造1408と皮膚表面との間の接触面積を最大化するためにマイクロチップ間の領域が潰されるときに、概して高レベルの接着を提供することで、ファンデルワールス相互作用を助長することができる。ポストが休止態(resting state)（例えば、中立のエラストマー位置）まで戻ることが可能な場合、接着効果は、潰れた状態と比較して実質的に低減される。一実施形態では、可逆的微細構造1408は、回路106からの1つ以上のエネルギー信号に応答して、接着状態と非接着状態との間を可逆的に遷移するように構成される。
【００４７】
実施形態では、可逆的微細構造1408は、マイクロピラーまたはミクロフィブリル構造、またはそのアレイを含んでよい。これらは、天然セタエ（natural setae）（例えば、ゲッコセタエ（geckosetae））の密着特性（例えば、ファンデルワールス力、方向性接着、および摩擦接着）を付与する生物模倣構造設計、異方性、非対称材料または構造設計（例えば、異方性方向接着および摩擦接着）を含む設計、および端部形状設計を含んでよい。例えば、端部形状は、板形状（例えば、TまたはL形状）、半球形状、凹形状、キノコ形状、フィブリル形状、またはラメラ（例えば、階層構造）のうちの1つまたは複数を含んでよい。マイクロピラーまたはミクロフィブリル構造は、エネルギー応答性材料、エネルギー非応答性材料、またはそれらの混合物から形成されてよい。これらは、ポリイミド、PVS、PDMS、ポリ（メチルメタクリレート)(PMMA)、ポリウレタン、ポリスチレン（PS）、シリコンゴム、ポリプロピレン、ポリエチレン、ポリ（メチルビニルシロキサン)(PMVS)、IPMC、および本明細書に列挙される他のポリマー、ならびに炭素構造（ナノ構造を含む）を含むが、これらに限定されない。マイクロピラーまたはミクロフィブリル構造の異なる部分（例えば、端部形状）は、構造の別の部分（例えば、ピラーまたは繊維）を形成する材料とは異なる材料から形成されてよい。マイクロピラーまたはミクロフィブリル構造の少なくとも一部を、エネルギー応答性ポリマーまたは生体適合性を付与する物質でコーティングしてもよい。マイクロピラーまたはミクロフィブリル構造は、回路106からの1つ以上のエネルギー信号に応答して、接着状態と非接着状態との間で遷移するように構成されてよい。一実施形態では、可逆的微細構造1408は、回路106からの1つ以上のエネルギー信号に応答して、接着状態と非接着状態との間を可逆的に遷移するように構成される。例えば、マイクロピラーまたはミクロフィブリル構造を含む可逆的微細構造の接着特性は、回路106からの1つ以上のエネルギー信号に応答して、マイクロピラーまたはミクロフィブリル構造の配向を変えることによって変えることができる。一実施形態では、磁気応答性接着剤1404は、磁場の強度および向きに従って磁場の存在下で制御可能に傾く磁気応答性物質（例えば、NdFeB微粒子を有するPDMA）から形成され、かつT字形の端部を有するマイクロピラー構造を含む。その結果、マイクロピラー構造の接着は、回路106からの1つ以上の電磁信号に応答して制御可能に阻止される。
【００４８】
一実施形態では、接着剤1300は、回路106からの1つ以上のエネルギー信号に応答するアクチュエータを含む。例えば、PMVSから形成されるマイクロピラーのアレイは、IPMCのアクチュエータに取り付けられる。当該アクチュエータは、（例えば、所望の接着に依存して1．0、1．5、または2．0Vで）回路106からの1つ以上のエネルギー信号に応答して、マイクロピラーを駆動するように曲がることで、能動的に表面に接着するか、または表面から解放される。
【００４９】
図15に示す一実施形態では、システム100は、回路106からの1つ以上のエネルギー信号に応答して、接着緩和剤を放出するように構成されたリザーバ1500を含む。接着緩和剤は、接着剤1300と相互作用して、接着剤1300を接着状態から非接着状態に遷移させるように構成される。例えば、接着緩和剤は、接着剤のイオン特性を変化させるpH(例えば、酸）を有する物質（例えば、pH6で結合するが、酸性pHに曝露されると接着性を失う、単一または二重ネットワークポリ（メタクリル酸）ヒドロゲル）を含んでよい。例えば、接着緩和剤は、ポリマー接着剤を分解する溶媒を含んでよい。リザーバ1500は、変形可能な基板102の材料の一部から形成されてよく、変形可能な基板102の表面上に配置された構造から形成されてよく、またはそれらの組み合わせから形成されてよい。一実施形態では、リザーバ1500は、リザーバの内容物を、時間的に、連続的に、並行して、またはそれらの組み合わせで放出するように構成された複数のリザーバを含む。一実施形態において、リザーバ1500は、（例えば、1つ以上のエネルギー信号に応答したり、電気信号に応答したり、熱信号に応答したり、電磁信号に応答したりするなど）刺激を受けたときに、リザーバの内容物を放出するように構成されたエネルギー応答性ヒドロゲルを含む。個々の対象者を識別できないシナリオ、または、個々の対象者が識別されるが、外部デバイスを動作させる権限を与えられていないシナリオにおいて、回路106は、リザーバ1500をアクティブにして接着緩和剤を放出させ、それによって接着緩和剤と接着剤1300との間の相互作用を可能にするように、1つ以上のエネルギー信号を生成してよい。一実施形態では、接着緩和剤は、液体材料または粉末材料のうちの1つまたは複数を含む。一実施形態では、接着剤1300は、接着緩和剤を除去したとき、非接着状態から接着状態に遷移するように構成される。例えば、接着剤1300との接触から接着物質を洗浄または除去することで、接着剤1300は接着状態に達する。一実施形態では、接着緩和剤は、接着剤1300、変形可能な基板102、センサアセンブリ104、または回路106のうちの少なくとも1つの少なくとも一部を劣化させるように構成される。そのような劣化は、接着剤1300、変形可能な基板102、センサアセンブリ104、または回路106の少なくとも一部を動作不能にすることなどによって、接着剤1300、変形可能な基板102、センサアセンブリ104、または回路106のうちの1つまたは複数の機能に影響を及ぼすことができる。一実施形態では、回路106によって生成される1つ以上のエネルギー信号は、接着剤1300、変形可能な基板102、センサアセンブリ104、または回路106のうちの少なくとも1つの少なくとも一部を劣化させるように構成される。そのような劣化は、接着剤1300、変形可能な基板102、センサアセンブリ104、または回路106の少なくとも一部を動作不能にすることなどによって、接着剤1300、変形可能な基板102、センサアセンブリ104、または回路106のうちの1つまたは複数に影響を及ぼすことができる。例えば、個々の対象者を識別することができないシナリオ、または、個々の対象者が識別されるが、外部デバイスを動作させる権限が与えられていないシナリオでは、回路106は、1つ以上のエネルギー信号を生成することで、エネルギー信号との直接的な相��作用に起因して、またはリザーバ1500から放出された接着緩和剤との相互作用に起因して、接着剤1300、変形可能な基板102、センサアセンブリ104、または回路106のうちの1つまたは複数の1つ以上の機能を動作不能にすることができる。一実施形態（図示せず）では、システム100は、回路106からの1つ以上のエネルギー信号に応答して接着促進剤を放出するように構成されたリザーバを含む。例えば、接着促進剤は、pH促進剤、湿潤剤、乾燥剤などを含んでよい。
【００５０】
図16は、個人に配置された適合可能な電子機器を使用して個人を識別するための方法1600を示す。方法1600は、ブロック1602において、1つ以上の識別検知信号を生成することを示す。検知信号は、個々の対象者に対応するものであり、変形可能な基板と、変形可能な基板に結合された少なくとも1つのセンサとを有する識別デバイスによって生成される。例えば、センサアセンブリ104（例えば、1つ以上の識別センサ200）は、システム100が配置されている個々の対象者に関連付けられた1つ以上の識別検知信号を生成してよい。方法1600はまた、ブロック1604において、1つ以上の識別検知信号を、少なくとも1人の個人の身元に関連付けられた1つ以上の身体的特徴を示す参照データと比較することを含む。例えば、回路106は、識別検知信号を、（例えば、比較モジュール400を介して、または比較モジュール1000を介して）メモリ（例えば、メモリ402）に記憶された参照データと比較してよい。ここで、参照データは、既知の個人の身元にリンクまたは関連付けられた身体的特徴を含む。参照データと比較したときに、識別検知信号が対応閾値を満たすか、または対応閾値を超える場合、メモリに記憶された身体的特徴にリンクまたは関連付けられた身元を、システム100が配置されている個々の対象者と相関させることができる（すなわち、個々の対象者は、一致したこと（successful correspondence）に基づいて、既知の身元を有すると推定されてよい）。参照データと比較したときに、識別検知信号が対応閾値を満たさない場合、メモリに記憶された身体的特徴にリンクまたは関連付けられた身元を、システム100が配置されている個々の対象者に相関させることができない（すなわち、個々の対象者は、不一致であること（unsuccessful correspondence）に基づいて、既知の身元を有するとは推定されない）。方法1600はまた、ブロック1606において、識別検知信号に関係する、または識別検知信号と参照データとの比較に関係する1つ以上の通信信号を報告するステップを含む。例えば、レポータ108は、回路106による命令に応答して、1つ以上の通信信号を生成してよい。ここで、このような通信信号は、識別検知信号に関係してもよいし、または、回路106による識別検知信号の参照データとの比較に関係してもよい。例えば、通信信号は、識別信号と参照データとの間において一致したことを示してもよい（例えば、システム100が配置されている個々の対象者の、確立された身元を提供する）。また、例えば、通信信号は、識別検知信号と参照データとの間において不一致であったことを示してもよい（例えば、システム100が配置されている個々の対象者の身元が、ある対応閾値で確立できないことを提供する）。
【００５１】
図17は、個人に配置された適合可能な電子機器を使用して個人を識別し、認証するための方法1700を示す。方法1700は、ブロック1702において、1つ以上の識別検知信号を生成することを示す。検知信号は、個々の対象者に対応するものであり、変形可能な基板と、変形可能な基板に結合された少なくとも1つのセンサとを有する識別デバイスによって生成される。例えば、センサアセンブリ104（例えば、1つ以上の識別センサ200）は、システム100が配置されている個々の対象者に関連付けられた1つ以上の識別検知信号を生成してよい。方法1700はまた、ブロック1704において、1つ以上の識別検知信号を、少なくとも1人の個人の身元に関連付けられた1つ以上の身体的特徴を示す参照データと比較することを含む。例えば、回路106は、識別検知信号を、（例えば、比較モジュール400を介して、または識別比較モジュール1000を介して）メモリ（例えば、メモリ402）に記憶された参照データと比較してよい。ここで、参照データは、既知の個人の身元にリンクまたは関連付けられた身体的特徴を含む。参照データと比較したときに、識別検知信号が対応閾値を満たすか、または対応閾値を超える場合、メモリに記憶された身体的特徴にリンクまたは関連付けられた身元を、システム100が配置されている個々の対象者と相関させることができる（すなわち、個々の対象者は、一致したことに基づいて既知の身元を有すると推定されてよい）。参照データと比較したときに、識別検知信号が対応閾値を満たさない場合、メモリに記憶された身体的特徴にリンクまたは関連付けられた身元を、システム100が配置されている個々の対象者に相関させることができない（すなわち、個々の対象者は、不一致であることに基づいて既知の身元を有するとは推定されない）。方法1700はまた、ブロック1706において、1つ以上の識別検知信号または判断された身元を、1つ以上の認証パラメータと比較することを含む。例えば、回路106は、（例えば、認証比較モジュール1002を介して）1つ以上の識別検知信号を1つ以上の認証パラメータと比較することで、識別検知信号が、関連する外部デバイスを動作させる権限を与えられた個人に対応するかどうかを判断してよい（例えば、参照データが、外部デバイス800の機能の少なくとも一部を動作させる権限が与えられた個人に関連付けられた身体的特徴のリストを含む場合）。回路106は、（例えば、認証比較モジュール1002を介して）個々の対象者の身元を、外部デバイスを動作させる権限を与えられた個人のリストと比較してよい（例えば、識別検知信号が、個々の対象者を識別するために、参照データにおいて提供される身体的特徴に十分に対応する場合）。これにより、回路106は、識別された個々の対象者が、外部デバイスの機能の少なくとも一部を動作させることができるかどうかを判断してよい。方法1700はまた、ブロック1708において、認証パラメータとの比較に関係する1つ以上の通信信号を、関連する外部デバイスに報告するステップを含む。例えば、レポータ108は、回路106による外部デバイス800に報告する命令に応答して、1つ以上の通信信号を生成してよい。このような通信信号は、個々の対象者が外部デバイスを動作させる権限を与えられているかどうかに関係していてよい。例えば、(i)個人を識別することができないことにより（例えば、認証なし）、(ii)個人を識別するが、識別された個人が認証リストにないことにより（例えば、認証なし）、(iii)識別検知信号が、認証された個人の身体的特徴と一致することにより（例えば、認証）、(iv)個人を識別し、かつ識別された個人が認証リストに存在することにより（例えば、認証）、個々の対象者が外部デバイスを動作させる権限を与えられているかどうかが判断される。
【００５２】
図18は、適合可能な電子機器を使用して個人の識別に応じて接着剤の接着状態を調整する方法1800を示す。方法1800は、ブロック1802において、1つ以上の識別検知信号を生成することを示す。検知信号は、個々の対象者に対応するものであり、変形可能な基板と、変形可能な基板に結合された少なくとも1つの識別センサとを有する識別デバイスによって生成される。例えば、センサアセンブリ104（例えば、1つ以上の識別センサ200）は、システム100が配置されている個々の対象者に関連付けられた1つ以上の識別検知信号を生成してよい。方法1800はまた、ブロック1804において、1つ以上の識別検知信号を、少なくとも1人の個人の身元に関連付けられた1つ以上の身体的特徴を示す参照データと比較することを含む。例えば、回路106は、識別検知信号を、（例えば、比較モジュール400を介して、または比較モジュール1000を介して）メモリ（例えば、メモリ402）に記憶された参照データと比較してよい。ここで、参照データは、既知の個人の身元にリンクまたは関連付けられた身体的特徴を含む。参照データと比較したときに、識別検知信号が対応閾値を満たすか、または対応閾値を超える場合、メモリに記憶された身体的特徴にリンクまたは関連付けられた身元を、システム100が配置されている個々の対象者と相関させることができる（すなわち、個々の対象者は、一致したことに基づいて、既知の身元を有すると推定されてよい）。参照データと比較したときに、識別検知信号が対応閾値を満たさない場合、メモリに記憶された身体的特徴にリンクまたは関連付けられた身元を、システム100が配置されている個々の対象者に相関させることができない（すなわち、個々の対象者は、不一致であることに基づいて、既知の身元を有するとは推定されない）。方法1800はまた、ブロック1806において、識別検知信号が身体的特徴に対する対応閾値を提供しないと判断されたときに、接着剤を接着状態から非接着状態に遷移させることを含む。例えば、回路106は、システム100が配置されている個々の対象者の身元を特定の対応閾値内で判断できないとき、接着剤1300と相互作用して接着剤1300を接着状態から非接着状態に遷移させるための1つ以上のエネルギー信号を生成してよい。このような状況では、非接着状態にあるとき、接着剤1300が個々の対象者の皮膚表面への適切な接続を維持することができないため、システム100はもはや、個々の対象者に配置されなくてよい。
【００５３】
図19は、適合可能な電子機器を使用して個人の識別に応じて接着剤の接着状態を調整する方法1900を示す。方法1900は、ブロック1902において、1つ以上の識別検知信号を生成することを示す。検知信号は、個々の対象者に対応するものであり、変形可能な基板と、変形可能な基板に結合された少なくとも1つの識別センサとを有する識別デバイスによって生成される。例えば、センサアセンブリ104（例えば、1つ以上の識別センサ200）は、システム100が配置されている個々の対象者に関連付けられた1つ以上の識別検知信号を生成してよい。方法1900はまた、ブロック1904において、1つ以上の識別検知信号を、少なくとも1人の個人の身元に関連付けられた1つ以上の身体的特徴を示す参照データと比較することを含む。例えば、回路106は、識別検知信号を、（例えば、比較モジュール400を介して、または比較モジュール1000を介して）メモリ（例えば、メモリ402）に記憶された参照データと比較してよい。ここで、参照データは、既知の個人の身元にリンクまたは関連付けられた身体的特徴を含む。参照データと比較したときに、識別検知信号が対応閾値を満たすか、または対応閾値を超える場合、メモリに記憶された身体的特徴に関連付けられた身元を、システム100が配置されている個々の対象者と相関させることができる（すなわち、個々の対象者は、一致したことに基づいて、既知の身元を有すると推定されてよい）。参照データと比較したときに、識別検知信号が対応閾値を満たさない場合、メモリに記憶された身体的特徴にリンクまたは関連付けられた身元を、システム100が配置されている個々の対象者に相関させることができない（すなわち、個々の対象者は、不一致であることに基づいて、既知の身元を有するとは推定されない）。方法1900はまた、ブロック1906において、識別検知信号が身体的特徴に対する対応閾値を提供すると判断されたときに、接着剤を非接着状態から接着状態に遷移させることを含む。例えば、回路106は、システム100が配置されている個々の対象者の身元を特定の対応閾値内で判断できるとき、接着剤1300と相互作用して接着剤1300を非接着状態から接着状態に遷移させるための1つ以上のエネルギー信号を生成してよい。例えば、システム100は、センサアセンブリ104が識別検知信号を生成することを可能にするために、個々の対象者の身体部分に対して、手動で位置決めまたは保持されてよい。身元が決定されると、接着剤1300は、（例えば、回路106からのエネルギー信号との相互作用を介して）非接着状態から接着状態に遷移する。これにより、接着剤1300は、識別された個人の所定の位置にシステム100を固定するように、個々の対象者の皮膚表面への適切な接続を維持することができる。一実施形態において、システム100は、認証キーまたはパスとして構成される。例えば、個々の対象者は、ビル（例えば、クリニック、病院、ER、ケア施設）、部屋またはキオスクにアクセスし、そしてその中のシステムとインターフェース接続するために、本明細書に記載のシステムを利用してもよい。個々の対象者は、本明細書で説明するシステムを利用して、ローカルジムにアクセスし、そのシステムとインターフェース接続してもよい。個々の対象者の身元が認識され、個々の対象者は、その個々の対象者に特有の、特定の運動設備またはクラスに誘導されてよい。また、個々の対象者は、運動設備を利用したり、使用したり、例えば、センサを有するミラーまたはマットの前でエクササイズを行ったりしたときに、フィードバックを受け取ってもよい。したがって、個々の対象者は、本明細書に記載されるシステムを利用することによって、身体療法、作業療法、または当該対象者に合わせて特別にカスタマイズされたエクササイズを受けることができる。さらに、システムは、対象者のプロフィールに基づいて、個々の対象者に製品またはサービスの推薦を行ってもよい。例えば、栄養食品、運動器具または運動サービスは、選択された広告または販売促進オファー（クーポン等）を通じて、個々の対象者に合わせることができる。例えば、個々の対象者は、バス定期券、乗車券などの交通乗車券、または会場チケットとしてシステムを利用してもよい。パスを使用した後、個々の対象者の身元を認識することができ、個々の対象者を特定の座席に誘導することができる。さらに、本システムは、対象者のプロフィールに基づいて、個々の対象者に対して製品又はサービスの推薦を行ってもよい。例えば、システムは、会場において役立つ一対のヘッドホン、または選択された広告として個々の対象者に合わせて作られた特定の飲料を提案する。
【００５４】
一実施例として、個々の対象者は、本明細書で説明されるシステムを利用して、本明細書で説明されるような機器の少なくとも一部を利用してもよい。この点に関して、システムは、システムによって個人を識別し、かつ、所定の通信を受信するように構成されたいくつかの機器のいずれかのキーとして作動するように、通信をアクティブにしてよい。
【００５５】
例えば、個々の対象者は、データを収集および送信するために、本明細書に記載されるシステムを使用して、他の情報またはセンサシステムとインターフェース接続してもよい。例えば、個々の対象者が着用するヘルスセンサは、個々の対象者を識別し、かつデータ伝送を制御するシステムとインターフェース接続してよい。身元が認証され、かつ、例えば個々の対象者に特有のヘルスケア記録または日常活動記録についての通信が許可される。通信は、データを個々の対象者に関連付ける情報を含む。システムはさらに、データに基づいて、製品またはサービスを推奨してもよい（例えば、医療提供者に会うことを推奨したり、または処方箋の調合を推奨したりしてもよい）。また、システムは、データに基づいて、医療提供者のオフィスまたは薬局などの第三者とインターフェース接続することで、身元および認証を使用して、スケジュールを予約したり、または注文を出したりしてもよい。
【００５６】
個人の識別および認証のためのシステム、デバイス、および方法が、識別プロセスおよび認証プロセスの態様に適合可能な電子機器を使用して、ヘルスケアプロバイダ（例えば、医師、看護師、ケアプロバイダ、医療アシスタント、医師アシスタント、検査技師など）および患者、研究対象者、他のヘルスケアプロバイダ、ならびに医療、研究、リハビリテーション、または拡張ケア施設内の他の人々を含む個人、これら個人に限定されないが、の識別および認証のために開示される。認証は、他の個人に対する活動を実行する認証、情報にアクセスする認証、外部デバイスを操作する認証などを含むことができるが、これらに限定されない。
【００５７】
一実施形態では、本明細書に記載されるシステムまたはデバイスは、ヘルスケアプロバイダの1以上の身体的特徴を評価するためにヘルスケアプロバイダの身体部分の皮膚表面に対して適用され、維持され、またはそうでなければ接触されうる。1以上の身体的特徴は、限定されないが、皮膚トポグラフィ特徴（例えば、皮膚表面のパターン、毛包パターン、毛穴パターン、色素沈着など）、血管特性またはレイアウト、電流パターン（例えば、光起電力電流パターン）、または皮膚抵抗率測定値を含む。身体的特徴は、測定された身体的特徴が参照身体的特徴に対応するかどうかを判定（判断）するために、既知の身元の身体的特徴を含む参照データと比較され、それによって、ヘルスケアプロバイダの特定の識別が判定又は推論される。ヘルスケアプロバイダの識別は、個々の対象者に対してヘルスサービスを実行するために、ヘルスケアプロバイダの認証の前に、またはそれと併せて、決定（判断）または推論されうる。一実施形態では、ヘルスケアプロバイダの識別は、ヘルスケアプロバイダの認証の前に、またはそれと共に、決定または推論されうる。これにより、外部デバイスの操作、スケジュールされた処理の実行、または個々の対象者に関連付けられた情報へのアクセスを含むがこれらに限定されないヘルスサービスが実行される。
【００５８】
一実施形態において、本明細書に記載されるシステムまたはデバイスは、第1の個人（例えば、ヘルスケアプロバイダ）の身体部分の皮膚表面に適用（例えば、接着または他の方法で付着）され、そして、皮膚トポグラフィ特徴（例えば、皮膚表面のパターン、毛包パターン、毛穴パターン、色素沈着など）、血管特性またはレイアウト、電流パターン（例えば、光起電性電流パターン）、または皮膚抵抗率測定値を含むがこれらに限定されない、第2の個人（例えば、個々の対象者）の1以上の身体的特徴を評価するように構成されうる。身体的特徴は、測定された身体的特徴が参照身体的特徴に対応するかどうかを決定するために、既知の身元の身体的特徴を含む参照データと比較され、それによって、第2の個人の特定の身体的特徴が決定または推論されうる。一実施形態において、本明細書に記載されるシステムまたはデバイスは、第1の個人の皮膚表面に適用され、第2の個人の身体部分の皮膚表面に少なくとも部分的に適合するように構成され、第2の個人の1以上の身体的特徴を評価する。一実施形態では、本明細書に記載されるシステムまたはデバイスは、第1の個人の皮膚表面に適用され、第2の個人の身体部分の皮膚表面をある距離でスキャンして、第2の個人の1以上の身体的特徴を評価するように構成されうる。
【００５９】
一実施形態において、本明細書に記載されるシステムまたはデバイスは、皮膚トポグラフィ特徴（例えば、皮膚表面のパターン、毛包パターン、毛穴パターン、色素沈着など）、血管特性またはレイアウト、電流パターン（例えば、光起電力電流パターン）、または皮膚抵抗率測定値を含むがこれらに限定されない、個々の対象者（例えば、患者または顧客）の1以上の身体的特徴を評価するために、個々の対象者の身体部分の皮膚表面に適用され、皮膚表面に対して維持され、または皮膚抵抗率測定値と接触されうる。身体的特徴は、既知の身元の身体的特徴を含む参照データと比較されて、測定された身体的特徴が参照身体的特徴に対応するかどうかを判定することができ、それによって、個々の対象者の特定の身元を判定し又は推論することができる。個々の対象者の身元は、スケジュールパラメータに関連付けられた活動を実行するために、個々の対象者の認証の前に、またはそれと併せて、決定または推論されうる。一実施形態では、治療スケジュール、回復スケジュール、リハビリテーションスケジュール、術前スケジュール、術後スケジュール、退院スケジュールなどのうちの少なくとも1つに対応するスケジュールパラメータに関連付けられた活動を実行するために、個々の対象者の認可の前に、またはそれと併せて、個々の対象者の身元を決定または推論することができる。例えば、スケジュールパラメータは、処置を受けるようにスケジュールされた1人以上の個人の識別リスト、治療を受けるようにスケジュールされた1人以上の個人の識別リスト、外部デバイス（例えば、治療装置）を操作するようにスケジュールされた1人以上の個人の識別リスト、手術前許可または制限を有する1人以上の個人の識別リスト、手術後許可または制限を有する1人以上の個人の識別リスト、治療前許可または制限を有する1人以上の個人の識別リスト、治療後許可または制限を有する1人以上の個人の識別リスト、またはそれらの組合せを含むことができるが、これらに限定されない。
【００６０】
一実施形態では、個人の識別は、外部デバイスまたは情報システムに報告または処理される認証などの後続の認証につながる可能性がある。このような認証は、識別され認証された個人に対して、識別され認証された個人による外部デバイスの操作、情報システムによって記憶された情報へのアクセス、または関連デバイスもしくはシステムの操作を許可することができ、あるいは外部デバイス、情報システム、または関連デバイスもしくはシステムが個人の身元を知ることを許可することができる。
【００６１】
一実施形態では、本明細書で説明するシステムまたはデバイスは、個人の少なくとも1つの身体的特徴を監視または検知するように構成された1以上の識別センサを使用することができる。識別センサは、光学センサ、電磁センサ、インピーダンスセンサ、容量センサ、電気生理学的センサ、プレチスモグラフセンサ、抵抗センサ、バイオセンサ、または化学センサを含むことができるが、これらに限定されない。識別センサは、識別センサの出力を参照データと比較して、識別センサの出力が既知の個人の身元に対応するかどうかを判定するように構成された回路に結合される。システムはまた、生理学的センサ、近接センサ、コンタクトセンサ、圧力センサ、または温度センサのうちの1つまたは複数を含むことができ、システムの動作を容易にし、識別センサからの出力と組み合わせてコンテキストデータを提供し、システムの1以上の構成要素の作動/非作動を切り替えるなどする。
【００６２】
一実施形態では、本明細書で説明するシステムまたはデバイスは、回路による命令に応答して1以上の通信信号を生成するように構成されたレポータを使用することができる。例えば、レポータは、センサの出力に向けられた1以上の通信信号を介して、情報、センサの出力と参照データ（例えば、参照識別データまたは参照身体的特徴）との比較、システムまたはデバイスが配置されている個人の識別情報、システムまたはデバイスと接触またはスキャンされる身体部分の皮膚表面を有する第2の個人の識別情報、認証情報（例えば、識別された個人が、行動を実行すること、処置を受けること、特定デバイス、マシン、電子機器などを操作することを認可されるかどうか）などを伝達することができる。
【００６３】
図20に示される実施形態では、ヘルスケアプロバイダ識別デバイス2000は、ヘルスケアプロバイダの識別を容易にするために、ヘルスケアプロバイダ識別デバイス2000が配置されているヘルスケアプロバイダの1以上の身体的特徴を評価するように構成される。ヘルスケアプロバイダ識別デバイス2000は、ヘルスケアプロバイダの識別を容易にするために、本明細書で説明するシステム100などのシステム（またはデバイス）を含む。本明細書で説明し、図1に示したように、一実施形態では、システム100は、変形可能な基板102、センサアセンブリ104、回路106、およびレポータ108を含む。一実施形態では、変形可能な基板102は、ヘルスケアプロバイダの身体部分の輪郭（例えば、四肢の湾曲）に適合するように構成される。例えば、本明細書に記載されるように、変形可能な基板102は、身体部分と接触し、身体部分に適合するように構成された変形可能な材料（例えば、適合可能な材料、可撓性を有する材料、伸縮性を有する材料など）材料を含むことができる。身体部分は、図1では手として示されているが、システム100は、腕、肘、手首、手、指、足、膝、足首、足、つま先、顔領域、首領域、胴体領域などを含むがこれらに限定されない任意の身体部分の皮膚表面に配置することができる。変形可能な基板102は、接着材料を介して皮膚に貼り付けられる、身体部分の周囲または周囲に巻き付けられる材料（例えば、布地、衣服、手袋、包帯など）によって提供される圧力などの外圧によって適所に保持される、織物、布地、衣服、アクセサリ（例えば、手袋、ソックス、フィンガーコットなど）に貼り付けられるもの、などを含むが、これらに限定されない様々な機構に従って、皮膚表面に近接して設けられうる。
【００６４】
本明細書に記載されるように、センサアセンブリ104は、変形可能な基板102に結合され、システム100が配置されている個人（例えば、ヘルスケアプロバイダ）の身体的特徴に関連する1以上の検知信号を生成するように配置される。例えば、図2に示されるように、センサアセンブリ104は、ヘルスケアプロバイダの少なくとも1つの身体的特徴に関連する1以上の識別検知信号を生成するように構成された1以上の識別センサ200を含む。識別センサ200は、ヘルスケアプロバイダの識別のための基礎を提供するために、または観察された身体的特徴に基づいてヘルスケアプロバイダが容易に識別できないという指示を提供するために、身体的特徴を検知することができる。本明細書で説明するように、識別センサ200は、光学センサ202、電磁センサ204、インピーダンスセンサ206、容量センサ208、電気生理学的センサ210、プレチスモグラフセンサ212、抵抗センサ214、バイオセンサ216、または化学センサ218のうちの1つまたは複数を含むことができるが、これらに限定されない。識別センサ200は、ヘルスケアプロバイダの1以上の身体的特徴の測定または検知に基づいて1以上の識別検知信号を生成することができ、ここで、1以上の身体的特徴は、皮膚トポグラフィ特徴（例えば、皮膚表面のパターン、毛包パターン、毛穴パターン、色素沈着など）、血管特性またはレイアウト（例えば、動脈パターン、特性またはレイアウト；静脈パターン、特性またはレイアウトなど）、電流パターン（例えば、光起電力電流パターン）、または皮膚抵抗率測定値を含むことができるが、これらに限定されない。例えば、図3に示されるように、システム100は、身体部分の皮膚表面(図3に手の上面として示される)に位置させることができ、システム100は、識別センサ200を介して、毛包パターン300、毛穴パターン302、皮膚色素沈着または特徴的な皮膚マーク304、または血管パターンまたはレイアウト306のうちの1つまたは複数を検出することができる。次いで、識別センサ200は、センサアセンブリ104の特定のセンサ(例えば、光学センサ202、電磁センサ204、インピーダンスセンサ206など)の構造に基づいて1以上の識別検知信号を生成することができ、このような信号は、ヘルスケアプロバイダの身元が決定されうるかどうかの分析を促進するために、測定されたまたは検知された身体的特徴に対応する。
【００６５】
図21に示される実施形態では、1以上の識別センサ200、または1以上の識別センサ200と類似または同じ構成および機能を有する、センサアセンブリ104の別の1以上の識別センサ2100は、変形可能な基板102が配置されている個人以外の第2の個人の少なくとも1つの身体的特徴に関連する1以上の識別検知信号を生成するように構成される。例えば、センサアセンブリ104は、システム100が配置されているヘルスケアプロバイダによって評価または介護される個々の対象者（例えば、患者、別のヘルスケアプロバイダ、または別の個人）に関連する1以上の識別検知信号を生成するように構成することができる。識別センサ200（または識別センサ2100）は、第2の個人の識別のための基礎を提供するために、または観察された身体的特徴に基づいて他の個人を容易に識別できないという指示を提供するために、身体的特徴を検知することができる。識別センサ200（または識別センサ2100）は、個々の対象者の1以上の身体的特徴の測定または検知に基づいて1以上の識別検知信号を生成することができ、1以上の身体的特徴は、皮膚トポグラフィ特徴（例えば、皮膚表面のパターン、毛包パターン、毛穴パターン、色素沈着など）、血管特性またはレイアウト（例えば、動脈パターン、特性、またはレイアウト、静脈パターン、特性、またはレイアウトなど）、電流パターン（例えば、光起電力電流パターン）、または皮膚抵抗率測定値を含むことができるが、これらに限定されない。例えば、図22Aおよび22Bに示されるように、システム100は、第1の個人（例えば、ヘルスケアプロバイダ）の身体部分の皮膚表面上に位置させることができ、第2の個人（例えば、個々の対象者）の1以上の身体的特徴を検知することができ、システム100は、識別センサ200（または識別センサ2100）を介して、毛包パターン、毛穴パターン、皮膚色素沈着または特徴的な皮膚マーク、または血管パターンまたはレイアウトのうちの1つまたは複数を検知することができる。次いで、識別センサ200（または識別センサ2100）は、センサアセンブリ104の特定のセンサ（例えば、光学センサ202、電磁センサ204、インピーダンスセンサ206など）の構造に基づいて、1以上の識別検知信号を生成することができ、そのような信号は、第2の個人の身元が決定されうるかどうかの分析を促進するために、測定されたまたは検知された身体的特徴に対応する。図22Aに示す一実施形態では、センサアセンブリ104は、システムが第2の個人の身体部分の皮膚表面に接しているときに、1以上の身体的特徴を検知するように構成することができる。図22Bに示す一実施形態では、センサアセンブリ104は、第2の個人の身体部分の皮膚表面から離れた位置で、1以上の身体的特徴を検知するように構成することができる。例えば、センサアセンブリ104は、非コンタクトセンサまたは遠隔センサを利用して、第2の個人に関連する1以上の身体的特徴を検知することができる。一実施形態では、第2の個人（例えば、患者）に関連する心電図パターンまたは脳波パターンは、遠隔または非接触高入力インピーダンス電位計または容量センサを使用して電位および生体電気信号を測定することによって取得することができる。一実施形態では、心拍間隔および心電図情報は、第2の個人において送信され、第2の個人から反射される電磁信号（例えば、無線周波数またはマイクロ波信号）を使用して取得されうる。一実施形態では、皮膚の特徴情報（例えば、毛包パターン、毛穴パターン、皮膚色素沈着、または特徴的な皮膚マークのうちの1つまたは複数）は、第2の個人において送信され、第2の個人から反射される電磁信号（例えば、光または高周波信号）を伴うまたは伴わない、光学センサまたは撮像装置（例えば、スキャナ）を使用して得られうる。一実施形態では、センサアセンブリ104は、変形可能な基板102が配置されている個人の身体部分の皮膚表面に向かって配向されるように構成された第1の識別センサ200と、変形可能な基板102が配置されている個人の身体部分の皮膚表面から離れるように配向されるように構成された第2の識別センサ2100とを含むことができ、第1の識別センサ200は、変形可能な基板102が配置されている個人に関連付けられた1以上の識別検知信号を生成するように構成され、第2の識別センサ2100は、変形可能な基板102が配置されている個人の近くの第2の個人に関連付けられた1以上の識別検知信号を生成するように構成される。
【００６６】
本明細書に記載されるように、センサアセンブリ104は、センサアセンブリ104の少なくとも一部が、変形可能な基板102内に埋め込まれるか、変形可能な基板102に固定されるか、変形可能な基板102上に存在するか、変形可能な基板102上に直接印刷されるか、またはそれらの組み合わせであるように、変形可能な基板102に対して構造化されうる。例えば、識別センサ200（または識別センサ2100）の少なくとも一部は、変形可能な基板102内に埋め込むことができ、変形可能な基板102に取り付けることができ、変形可能な基板102上に存在させることができ、変形可能な基板102上に直接的に印刷することができ、またはこれらの組合せとすることができる。一実施形態では、変形可能な基板102は、伸縮性/可撓性布、エラストマーポリマー、親水コロイドフィルム、膜(例えば、シリコンナノ膜のようなナノ膜)、ガス透過性エラストマーシート、または他の適合性物質のうちの1つまたは複数を含むことができる。一実施形態では、センサアセンブリ104、回路106、またはレポータ108のうちの少なくとも1つは、伸縮性/可撓性布、エラストマーポリマー、親水コロイドフィルム、膜(例えば、シリコンナノ膜のようなナノ膜)、ガス透過性エラストマーシート、または他の適合性物質のうちの1以上の少なくとも一部に存在するように、変形可能な基板102上に存在する。例えば、センサアセンブリ104、回路106、またはレポータ108のうちの少なくとも1つの少なくとも一部は、変形可能な基板102の少なくとも一部に直接的に印刷することができる。一実施形態では、センサアセンブリ104、回路106、またはレポータ108のうちの少なくとも1つは、伸縮性/可撓性布、エラストマーポリマー、親水コロイドフィルム、膜(例えば、シリコンナノ膜などのナノ膜)、ガス透過性エラストマーシート、または他の適合性物質のうちの1つまたは複数の少なくとも一部内に埋め込まれるなど、変形可能な基板102内に埋め込まれる。
【００６７】
一実施形態では、回路106は、装置100が配置されているヘルスケアプロバイダの1以上の身体的特徴に関連する1以上の識別検知信号を（例えば、センサアセンブリ104から）受信するように構成され、1以上の識別検知信号の解析を提供することができる。例えば、実施形態では、回路106は、センサアセンブリ104の1以上の識別センサ200からの1以上の識別検知信号を受信するように、センサアセンブリ104に動作可能に結合される。一実施形態では、図4に示されるように、回路106は、センサアセンブリ104によって生成された1以上の識別検知信号を、少なくとも1人の個人の身元に関連する1以上の身体的特徴を示す参照データと比較して、1以上の識別信号が少なくとも1人の個人の身元に対応するかどうかを判断するように構成された比較モジュール400を含む。一実施形態では、参照データは、ランダムアクセスメモリ（RAM）、リードオンリメモリ（ROM）、電気的消去可能プログラマブルリードオンリメモリ（EEPROM（登録商標））、フラッシュメモリ、または他のメモリ技術、CD-ROM、デジタルバーサタイルディスク（DVD）、または他の光ディスクストレージ、磁気カセット、磁気テープ、磁気ディスクストレージ、または他の磁気ストレージデバイス、または、比較モジュール400によって維持される所望の情報を格納するために使用され、回路106または他の関連するアクセスデバイスによってアクセスされうる任意の他の媒体を含みうるが、これらに限定されない、コンピュータメモリデバイス402に格納される。
【００６８】
一実施形態では、回路106は、システム100が配置されているヘルスケアプロバイダによって評価またはケアされる個々の対象者の1以上の身体的特徴に関連する1以上の識別検知信号を（例えば、センサアセンブリ104から）受信するように構成され、1以上の識別検知信号の解析を提供することができる。例えば、実施形態では、回路106は、センサアセンブリ104の1以上の識別センサ200（または識別センサ2100）から第2の個人に関連する1以上の識別検知信号を受信するように、センサアセンブリ104に動作可能に結合される。一実施形態では、比較モジュール400は、センサアセンブリ104によって生成された1以上の識別検知信号を、少なくとも1人の個人の身元に関連する1以上の身体的特徴を示す参照データと比較して、1以上の識別信号が少なくとも1人の個人の身元に対応するかどうかを判定するように構成される。一実施形態では、参照データは、ランダムアクセスメモリ（RAM）、リードオンリメモリ（ROM）、電気的消去可能プログラマブルリードオンリメモリ（EEPROM（登録商標））、フラッシュメモリ、または他のメモリ技術、CD-ROM、デジタルバーサタイルディスク（DVD）、または他の光ディスクストレージ、磁気カセット、磁気テープ、磁気ディスクストレージ、または他の磁気ストレージデバイス、または、比較モジュール400によって維持される所望の情報を格納するために使用され、回路106または他の関連するアクセスデバイスによってアクセスされうる任意の他の媒体を含みうるが、これらに限定されない、コンピュータメモリデバイス402に格納される。
【００６９】
本明細書で説明するように、回路106は、センサアセンブリ104からの1以上の検知信号を処理し、1以上の識別検知信号に関連する1以上の通信信号を生成し、1以上の識別検知信号と特定の個人の身元を示す参照データからの1以上の身体的特徴とを比較し、回路106に判定させ、または他の情報を生成するように、レポータ108に命令するコンポーネントを含む。例えば、回路106は、マイクロプロセッサ、中央演算処理装置(CPU)、デジタル信号プロセッサ(DSP)、特定用途向け集積回路(ASIC)、フィールドプログラマブルゲートエントリ(FPGA)、またはこれらの任意の組み合わせを含むことができ、個別のデジタルまたはアナログ回路素子、電子回路、またはこれらの組み合わせを含むことができる。一実施形態では、回路106は、複数の所定の論理コンポーネントを有する1以上のASICを含む。一実施形態では、回路106は、複数のプログラマブル論理コマンドを有する1以上のFPGAを含む。コンピュータメモリデバイスは、システム100と統合することができ、外部デバイスに関連付けることができ、無線または有線通信プロトコル、あるいはそれらの組み合わせによってシステム100によってアクセスすることができる。例えば、参照データは、システム100の変形可能な基板102に結合されたコンピュータメモリ702によって記憶することができ、無線手段を介して回路106によってアクセスすることができ、または遠隔ネットワーク、クラウドネットワークなどの他の方法を介して回路106に利用されてよい。一実施形態では、回路106は、システム100の動作または制御を容易にするために、無線通信プロトコルまたは有線通信プロトコルを介して、参照データ情報または他の情報(例えば、対応閾値情報、プログラム情報)を受信する受信機404または送受信機406(例えば、アンテナ等)を含む。例えば、受信機404は、制御プログラミング、認証パラメータ、参照データ、またはクエリ(例えば、システム100から外部デバイスに情報を送信するためのクエリ、センサアセンブリ104を介して識別検知信号の検知を開始するためのクエリなど)に関連するが、これらに限定されない1以上の通信信号を、外部デバイスから受信することができる。実施形態に、回路106はまた、システム100のコンポーネント間で情報を送信するために、または、外部デバイスまたはシステム（例えば、外部デバイス800、外部デバイス2300、情報システム2500、情報システム2800、ヘルスケアプロバイダ識別デバイス2900、各対象者識別デバイス3000、またはゲストデバイス3200、またはそれらの組合せを含むがこれらに限定されない、本明細書で説明される外部デバイスまたはシステム、またはそれらの組合せ）と通信するなど、システム外部のコンポーネントに情報を送信するために、送信機408または送受信機（例えば、アンテナなど）を含むことができる。このような通信は、例えば、参照またはプログラミングデータ、計算プロトコル、システムアップデートなどを記録する1以上のデータベースまたはメモリデバイスに回路106がアクセスしている旨の指示を含むことができる。
【００７０】
参照データは、少なくとも1人の個人の身元に関連する1以上の身体的特徴を示すデータを含む。例えば、参照データは、個人の身元に関連付けられた皮膚トポグラフィ特性、個人の身元に関連付けられた皮膚表面パターン、個人の身元に関連付けられた毛包パターン、個人の身元に関連付けられた色素沈着パターンまたは特徴、個人の身元に関連付けられた血管レイアウト、個人の身元に関連付けられた電流パターン、個人の身元に関連付けられた光起電力電流パターン、個人の身元に関連付けられた皮膚抵抗率測定値などを含むことができるが、これらに限定されない。例えば、参照データは、第1の人物/個人に関連する1以上の身体的特徴、第2の人物/個人に関連する1以上の身体的特徴、第3の人物/個人に関連する1以上の身体的特徴などを含むことができる。回路106は、センサアセンブリ104からの識別検知信号を参照データと比較するように構成され、比較が対応閾値(例えば、所定の信頼区間(confidence interval)内)にあるか、または対応閾値(threshold correspondence)を超える場合、参照データによって格納された人物/個人の身元は、システム100が配置されている個人に属することができる。例えば、参照データが、ボブ医師、ジャン医師、およびジョー看護師の各々についての身体的特徴情報を含む場合には、回路106は、センサアセンブリ104からの識別検知信号を比較して、識別検知信号がボブ医師、ジャン医師、またはジョー看護師の身体的特徴情報に対応するかどうかを判定することができる。別の実施例では、参照データが、患者グレッグ、患者ジョー、および患者リサのそれぞれに関する身体的特徴情報を含む場合、回路106は、センサアセンブリ104からの識別検知信号を比較して、識別検知信号がグレッグ、ジョー、またはリサの身体的特徴情報に対応するかどうかを判定することができる。
【００７１】
本明細書で説明するように、システム100のレポータ108は、システム100の動作に関連付けられた情報を報告する1以上の通信信号を生成するように構成される。一実施形態では、レポータ108は、回路106に動作可能に結合され、回路106による命令に応答して1以上の通信信号を生成するように構成される。通信信号は、センサアセンブリ104によって（例えば、1以上の識別センサ200または1以上の識別センサ2100を介して）生成された1以上の識別検知信号に関連付けられ、1以上の識別検知信号と、少なくとも1人の個人の身元に関連する1以上の身体的特徴との比較（例えば、1以上の識別信号が少なくとも1人の個人の身元に対応するかどうかを判断するために、回路106によって提供されるようなもの）に関連付けられ、またはそれらの組合せに関連付けられうる。例えば、レポータ108は、システム100が配置されている個人が第1の個人（例えば、ボブ医師）に対応することを報告することができ、レポータ108は、送信された情報が第2の個人の身体的特徴（例えば、この情報は、ジャン医師の皮膚トポグラフィ特徴に対応する）であることを報告することができ、レポータ108は、システム100が個人の身元を判定することができない（例えば、センサアセンブリ104によって測定された身体的特徴が、ボブ医師、ジャン医師、またはジョー看護師、のいずれかに対応しないか、または対応閾値を満たさない）ことなどを報告することができる。別の実施例では、レポータ108は、システム100が配置されている個人によって評価またはケアされる第2の個人が、第1の個人に対応する（例えば、患者グレッグである）ことを報告することができ、レポータ108は、送信された情報が、第2の個人の身体的特徴である（例えば、この情報は、患者ジョーの皮膚トポグラフィ特徴に対応する）ことを報告することができ、レポータ108は、システム100が、個人の身元を決定することができない（例えば、センサアセンブリ104によって測定された身体的特徴は、患者グレッグ、患者ジョーまたは患者リサのいずれかに対応しない、または対応閾値を満たさない）ことなどを報告することができる。
【００７２】
一実施形態では、レポータ108は、個々の対象者に関してヘルスケア処置を実行するためのヘルスケアサービスの認可の前に、またはそれと共に、1以上の通信信号を生成するように構成される。例えば、1以上の通信信号は、外部デバイスまたはシステムに報告される認証信号を含むことができ、1以上の通信信号は、識別検知信号またはヘルスケアプロバイダの身元と1以上の認証パラメータとの比較に関連する1以上の信号を含むことができ、1以上の通信信号は、ヘルスケアプロバイダが個々の対象者に対してヘルスサービスを実行することを許可されているかどうかを決定するように構成された外部デバイスまたはシステムに報告される身元または識別検知信号を含むことができ、または、1以上の通信信号は、それらの組合せ（例えば、システム100による部分的な許可、および、外部デバイスまたはシステムによる部分的な許可）を含むことができる。ヘルスケアプロバイダが個々の対象者に対して実行することを認可されうるヘルスサービスは、外部デバイス（例えば、本明細書で説明される外部デバイス800または外部デバイス2300）を操作すること、スケジュールされた手順を実行すること、処置を提供すること、（例えば、本明細書で説明される情報システム2500または情報システム2800を介して）個々の対象者に関連する情報にアクセスすることなどを含むが、これらに限定されない。
【００７３】
一実施形態では、1以上の通信信号は、1以上の識別検知信号と、少なくとも1人の個人の身元に関連付けられた1以上の身体的特徴を示す参照データとの間の対応関係が対応閾値未満であることに応答して、ヘルスケアプロバイダが個々の対象者に対するヘルスサービスを実行する権限がないことに対応する。例えば、レポータ108は、識別検知信号がボブ医師の身元に関連する1以上の身体的特徴を示す参照データに対応しない場合、すなわち、システム100が配置されている個人がボブ医師として識別できない場合、システム100が配置されている個人に対してヘルスサービスを実行またはこれに参加する権限の欠如に対応する1以上の通信信号を生成するように構成することができる。一実施形態では、1以上の通信信号は、1以上の識別検知信号と、少なくとも1人の個人の身元に関連付けられた1以上の身体的特徴を示す参照データとの間の対応関係が少なくとも対応閾値であることに応答して、ヘルスケアプロバイダが個々の対象者に対してヘルスケアを実行することを許可することに対応する。例えば、レポータ108は、識別検知信号が、ボブ医師の身元に関連する1以上の身体的特徴を示す参照データに対する対応閾値を満たした場合、すなわち、システム100が配置されている個人がボブ医師として識別されうる場合に、システム100が配置されている個人に対してヘルスサービスを実行するかまたはこれに参加する認可に対応する1以上の通信信号を生成するように構成することができる。
【００７４】
一実施形態では、1以上の通信信号は、個々の対象者に関連する1以上の識別検知信号と、少なくとも1人の個人の身元に関連する1以上の身体的特徴を示す参照データとの間の対応関係が対応閾値未満であることに応答して、ヘルスケアプロバイダが個々の対象者に対するヘルスサービスを実行する権限がないことに対応する。例えば、レポータ108は、第2の個人（例えば、図22Aおよび22Bに示されるように、システム100がヘルスケアプロバイダに配置される場合、システム100によって評価される患者）に関連する識別検知信号が、患者グレッグの身元に関連する1以上の身体的特徴を示す参照データに対応しない場合、すなわち、システム100が配置されている個人によって評価またはケアされる個人が、システム100によって患者グレッグとして識別できない場合、システム100が配置されている個人に対してヘルスサービスを実行またはこれに参加する許可が欠如していることに対応する1以上の通信信号を生成するように構成されてよい。一実施形態では、1以上の通信信号は、個々の対象者に関連する1以上の識別検知信号と、少なくとも1人の個人の身元に関連する1以上の身体的特徴を示す参照データとの間の対応関係が少なくとも対応閾値であることに応答して、ヘルスケアプロバイダが個々の対象者に対してヘルスサービスを実行する権限を与えることに対応する。例えば、レポータ108は、第2の個人（例えば、図22Aおよび22Bに示されるように、システム100がヘルスケアプロバイダに配置される場合、システム100によって評価される患者）に関連する識別検知信号が、患者グレッグの識別に関連する1以上の身体的特徴を示す参照データに対応する場合、すなわち、システム100が配置されている個人によって評価またはケアされる個人が、患者グレッグとして識別されうる場合、システム100が配置されている個人のための認証に対応する1以上の通信信号を生成するように構成されうる。
【００７５】
一実施形態では、1以上の通信信号は、（i）システム100が配置されている個人に関連付けられた1以上の識別検知信号と、少なくとも1人の個人の身元に関連付けられた1以上の身体的特徴を示す参照データとの間の対応関係が少なくとも対応閾値である（例えば、システム100が配置されている個人をボブ医師として識別することができる）ことと、（ii）個々の対象者（例えば、図22Aおよび22Bに示されるように、システム100がヘルスケアプロバイダ上に配置され、そのシステム100によりスキャンされる患者）に関連付けられた1以上の第2の識別検知信号と、少なくとも1人の第2の個人の身元に関連する1以上の身体的特徴を示す参照データとの対応関係が少なくとも対応閾値である（例えば、システム100が配置された個人によって評価されケアされる第2の個人が患者グレッグと特定される）ことの両方に応答して、ヘルスケアプロバイダが個々の対象者に対してヘルスケアサービスを実行する権限を与えることに対応する。
【００７６】
実施形態において、レポータ108は、(1)外部デバイスまたはシステムによる認証のためにヘルスケアプロバイダ（またはヘルスケアプロバイダによって評価またはケアされる個々の対象者）を識別するために、(2)（例えば、身元、識別検知信号、または関連する比較に基づいて）ヘルスケアプロバイダがヘルスサービスを実行するための認証を外部デバイスまたはシステムからリクエストするために、または(3)ヘルスケアプロバイダが個々の対象者に対してヘルスケアサービスを実行することを少なくとも部分的に認証するために、1以上の通信信号を報告するように構成される。例えば、レポータ108は、ボブ医師または患者グレッグを識別する1以上の通信信号を外部デバイスまたはシステムに報告し、ボブ医師が患者グレッグに対してスケジュールされた外科手術手順を実行するための認可を外部デバイスまたはシステムから要求するか、または、ボブ医師が患者グレッグに対してスケジュールされた外科手術手順を実行するための認可を少なくとも部分的に外部デバイスまたはシステムから要求することができる。
【００７７】
一実施形態では、通信信号は、外部デバイスまたはシステム（例えば、外部デバイス800、外部デバイス2300、情報システム2500、情報システム2800、ヘルスケアプロバイダ識別デバイス2900、各対象者識別デバイス3000、またはゲストデバイス3200、またはそれらの組み合わせを含むがこれらに限定されない、本明細書で説明される外部デバイスまたはシステム）に報告可能である。例えば、外部デバイスまたはシステムは、演算装置、演算システムまたは演算ネットワーク（例えば、パーソナルコンピューティングデバイス、サーバ、電子ヘルス記録システム、請求（課金）システム、スケジューリングシステム、在庫管理システム、クレーム処理システム、管理システムなど）、または電子機器（例えば、医療デバイス、外科デバイス、治療デバイス、補助デバイス、撮像デバイス、リハビリテーションデバイス、薬物デリバリツール、自動販売機、表示デバイス、または他の電子機器などの電子コントローラ）を含むことができるが、これらに限定されない。一実施形態では、システム100は、システム100の一部であるか、またはシステム100が配置される個人に関連付けられる1以上のウェアラブルセンサからデータを収集する回路またはプログラムのうちの少なくとも1つを有する演算装置に、1以上の通信信号を送信することができ、その結果、演算装置は、通信信号内のデータを個人に関連付けることができる。システム100は、レポータ108を介して、識別された個人による1以上のデバイス、プログラム、デバイス機能などの使用を認証する際に使用するための認証機能を備えた電子コントローラに、識別情報を送信することができる。例えば、システム100は、個人がボブ医師として識別される情報を送信することができ、それにより、電子コントローラは、ボブ医師による1以上のデバイス、プログラム、デバイス機能の使用を、その身元に従って容易にすることができる。
【００７８】
図7に示される実施形態では、レポータ108は、送信機700、送受信機702、または受信機704のうちの1つまたは複数を含む。例えば、本明細書に記載されるように、レポータ108は、（例えば、送信機700、送受信機702等を介して）1以上の通信信号を送信する、及び／または、（例えば、送受信機702、受信機704等を介して）外部デバイスから1以上の通信信号を受信するように構成されたアンテナ構造を含むことができる。
【００７９】
外部デバイスからの1以上の通信信号は、制御プログラミング、認証パラメータ、参照データ、またはクエリ(例えば、システム100から外部デバイスに情報を送信するためのクエリ)を含むことができるが、これらに限定されない。一実施形態では、センサアセンブリ104は、外部デバイスから1以上の通信信号を受信するように構成された送受信機(例えば、送受信機702)または受信機(例えば、受信機704)のうちの1つまたは複数を含む。例えば、外部デバイスからの1以上の通信信号は、制御プログラミング、認証パラメータ、参照データ、またはクエリ（例えば、身元または識別検知信号に関連する1以上の通信信号のためのクエリ、またはシステム100が配置されているヘルスケアプロバイダの身体的特徴の検知を開始するためのクエリ）を含むことができるが、これらに限定されない。
【００８０】
図23に示される実施形態では、ヘルスケアプロバイダ識別デバイス2000は、外部デバイスまたは外部システム（本明細書では外部デバイス2300と呼ぶ）と通信するように構成される。外部デバイス2300は、外部デバイス2300による分析のためにレポータ108から通信を受信するように構成される。外部デバイス2300は、レポータ108から1以上の通信信号を受信するように構成された受信機2302(例えば、受信アンテナ、受信機等)を含むことができる。外部デバイス2300はまた、1以上の通信信号を、外部デバイス2300を操作することを許可された1以上のユーザに関連する1以上の認証パラメータと比較するように構成された回路2304を含むことができる。例えば、外部デバイス2300は、外部デバイス2300の操作に関連する認証パラメータに関連するデータを維持するコンピュータメモリデバイス2306を含むことができ、またはアクセスすることができる。認証パラメータは、外部デバイス2300の特徴の少なくとも一部を操作することを認可された、識別された個人、身元、デバイス、又はシステムのリスト、外部デバイス2300を操作することを認可された1以上のユーザの参照身体的特徴のリスト、識別された個人が利用することを認可された外部デバイス2300の機能のリスト等を含むことができるが、これらに限定されない。例えば、外部デバイス2300は、変形可能な基板102が配置されているヘルスケアプロバイダの身元を示す通信信号をレポータ108から受信することができ、それによって、外部デバイス2300は、（例えば、回路2304を介して）個人の身元をメモリ2306に格納されている認証パラメータと比較して、識別された個人が外部デバイス2300を操作することを許可されているかどうかを判断したり、識別された個人が外部デバイス2300のどの機能を操作することを許可されているかを判断したりすることなどができる。別の例として、認証パラメータが識別された装置又はシステムのリストを含む場合、そのような装置又はシステムは、ヘルスケアプロバイダまたは他の個人との接点を伴うことなく、外部デバイス2300の機能の一部を自動的に動作させることができる。一実施形態では、外部デバイス2300は、身元または識別検知信号と1以上の認証パラメータとの比較に基づいて、または、変形可能な基板102が配置されている個人が外部デバイス2300を操作する権限を有すると外部デバイス2300に識別されるかどうかに基づいて、外部デバイス2300の少なくとも一部をオンまたはオフにするか、または外部デバイス2300の1以上の機能を部分的に有効化または無効化する制御スイッチ2308を含む。
【００８１】
図24に示される実施形態において、外部デバイスは、医療デバイス2400（例えば、侵襲性医療デバイスまたは非侵襲性医療デバイス（例えば、ガンマナイフ））、外科デバイス2402（例えば、内視鏡ツール、鋸、ガンマナイフ、ステープル留めまたは縫合デバイス、ロボット外科ツールなど）、治療デバイス2406、補助デバイス2410（例えば、歩行補助デバイス、補助スピーキングデバイス、補助聴覚デバイス、補助視覚デバイスなど）、撮像デバイス2404（例えば、X線デバイス、磁気共鳴撮像（MRI）デバイス、超音波デバイス、内視鏡デバイス、エラストグラフィデバイス、触覚イメージングデバイス、サーモグラフィデバイス、陽電子放射断層撮影（PET）デバイス、単一光子放射断層撮影（SPECT）デバイス)、リハビリテーションデバイス2412、薬物デリバリツール2408（丸薬ディスペンサ、蠕動ポンプ、シリンジ等）、自動販売機2414（例えば、薬物用、医療器具（例えば、使い捨てまたは再利用可能な道具、包帯等）用、または消耗品（例えば、キャンディ、食品、飲料等）用の自動販売機）、表示デバイス2416、またはそれらの任意の組合せを含むが、これらに限られない。一実施形態では、表示デバイス2416は、液晶ディスプレイ（LCD）、LEDディスプレイ2420、およびOLEDディスプレイ2422、タッチスクリーンアセンブリ2424（例えば、抵抗性または容量性タッチパネル）、投影ベースディスプレイ2426（例えば、ビルトイン投影ディスプレイ（本明細書で説明される表示デバイス1200の投影ディスプレイ2106）、外部投影ディスプレイ、ヘッドアップ表示デバイス等）、インタラクティブドレープ2428（例えば、投影ディスプレイを備えたインタラクティブ外科ドレープまたは患者室ドレープ、または埋め込まれた可撓性ディスプレイを含む）を含むことができるが、これらに限定されない。一実施形態では、表示デバイス2416は、仮想現実または拡張現実ディスプレイとして構成することができる。例えば、表示デバイス2416は、仮想現実環境または拡張現実環境を表示するように構成することができる。表示デバイス2416は、識別された個人のための1以上の認証パラメータに関連付けられた1以上の表示特性または機能を有する仮想現実または拡張現実環境を表示するように構成されうる。例えば、ボブ医師として識別された個人は、手術シミュレータの完全な機能にアクセスすることができる一方で、ジョー看護師として識別された個人は、手術シミュレータの1以上の特性または機能へのアクセスを拒否される。
【００８２】
実施形態において、外部デバイス2300は、例えば、モバイル通信デバイスまたはコンピュータシステムの1つまたは複数を含む通信デバイスまたは電子機器を含んでよい。モバイル通信デバイスまたはコンピュータシステムは、モバイルコンピューティングデバイス（例えば、ハンドヘルドポータブルコンピュータ、パーソナルデジタルアシスタント（PDA）、ラップトップコンピュータ、ネットブックコンピュータ、タブレットコンピュータ等）、モバイル電話デバイス（例えば、携帯電話およびスマートフォン）、スマートフォンおよびタブレットコンピュータ（例えば、ファブレット）に関連する機能を有するデバイス、ポータブルゲームデバイス、ポータブルメディアプレーヤ、マルチメディアデバイス、衛星ナビゲーションデバイス（例えば、全地球測位システム（GPS）ナビゲーションデバイス）、電子書籍リーダデバイス（eReaders）、スマートテレビ(TV）デバイス、表面コンピューティングデバイス（例えば、テーブルトップコンピュータ）、パーソナルコンピュータ（PC）デバイス、タッチベースヒューマンインタフェースを実装するデバイス、通貨処理デバイス（現金自動預入支払機（ATM）、キャッシュレジスタ、コイン／紙幣カウンタおよび選別機、クレジット／デビットカードリーダ等）、電動車両またはその制御システム（例えば、自動車、トラック、オートバイ、ボート、スノーモービル、飛行機、ヘリコプタ等）、運動設備または機器、ホームセキュリティシステム、電子薬剤ディスペンサ（例えば、丸薬ディスペンサ）、医療施設または機器（例えば、患者用スイート、外科用スイート、外科用機器等）、ユーザインタフェースを備えたレンタル機器（例えば、ビデオレンタル、オーディオレンタル等）、輸送セキュリティ端末（例えば、空港セキュリティ端末、列車セキュリティ端末、フェリーセキュリティ端末等）、人員追跡機器、重機または特殊機器、特殊ツール、安全機器、セキュリティ機器（例えば、ロックまたはアクセスポイント）、医療機器（例えば、薬物デリバリデバイス、外科用ツール）、または、カスタマイズ可能な電子機能を有する個人用機器もしくは衣服を含むが、これらに限定されない。レポータ108は、1つ以上の接続機構または無線通信機構を介して、外部デバイス2300と通信してよい（例えば、通信信号を送受信してよい）。接続機構または無線通信機構は、音響通信信号、音声通信信号（例えば、可聴、不可聴、またはそれらの組み合わせ）、光通信信号、無線通信信号、赤外線通信信号、超音波通信信号、電気信号（例えば、システム100のコンポーネントと外部デバイス2300との間の伝導経路を介する）などを含むが、これらに限定されない。一実施形態では、センサアセンブリ104または回路106のうちの1つまたは複数は、外部デバイス2300から通信信号を受信してよい。例えば、外部デバイス2300（例えば、携帯電話またはネットワークベースのデバイス）は、1つ以上の通信信号を、センサアセンブリ104または回路106のうちの1つまたは複数に送信してよい。この場合、当該通信信号は、センサアセンブリ104または回路106の特定の機能を開始または終了（例えば、オン／オフ）する、プログラミング情報を提供する、更新された機能を提供する、比較閾値または参照データを提供���たは更新することができる。一実施形態では、回路106は、外部デバイス2300からのクエリに応答して、1つ以上の通信を生成するようにレポータ108に指示する。一実施形態では、レポータ108は、外部デバイス2300からの依頼または通信なしに、回路106による命令に応答して、1つ以上の通信信号を生成する。例えば、レポータ108は、外部デバイス2300が通信信号を受信することができるか否かに関わらず、1つ以上の通信信号を生成してよい。このような場合、レポータ108によって生成された通信信号は、システム100のメモリに格納されてよく、格納された通信信号は、後に、（例えば、1つ以上の新しいシステム100、外部デバイス2300などをプログラムするために）利用されてよい。
【００８３】
本明細書で説明し、図10に示したように、一実施形態では、回路106は、識別比較モジュール1000および認証比較モジュール1002を含むことができる。識別比較モジュール1000は、センサアセンブリ104によって生成された1以上の識別検知信号を、少なくとも1人の個人の身元に関連する1以上の身体的特徴を示す参照データと比較して、1以上の識別検知信号が少なくとも1人の個人の身元に対応するかどうかを判定するように構成される。例えば、識別比較モジュール1000は、本明細書に記載される比較モジュール400に類似するか、またはそれと同一の構造および機能を含みうる。少なくとも1人の個人の身元に関連する1以上の身体的特徴を示す参照データは、回路106、識別比較モジュール1000、または認証比較モジュール1002によってアクセス可能なコンピュータメモリデバイス1004に格納することができる。例えば、コンピュータメモリデバイス1004は、特定の身元に帰属する身体的特徴(例えば、第1の身元と関連し、かつそれに固有の皮膚トポグラフィ特徴、第2の身元と関連し、かつそれに固有の皮膚トポグラフィ特徴など)に関連付けられた身元(例えば、個人の名前)のリストに関連したデータを記憶することができる。認証比較モジュール1002は、1以上の識別検知信号または少なくとも1人の個人の身元の少なくとも一方を、1以上の認証パラメータと比較するように構成される。一実施形態では、認証比較モジュール1002は、システム100が配置されているヘルスケアプロバイダまたはヘルスケアプロバイダの身元に関連する1以上の識別検知信号のうちの少なくとも1つを、1以上の認証パラメータと比較するように構成される。一実施形態では、認証比較モジュール1002は、システム100が配置されているヘルスケアプロバイダによって評価またはケアされる個々の対象者に関連する1以上の識別検知信号、または個々の対象者の身元のうちの少なくとも一方を、1以上の認証パラメータと比較するように構成される。実施形態において、1以上のヘルスケアプロバイダまたは他の個人に関連付けられた1以上の認証パラメータは、システム100の特徴の少なくとも一部を操作することを許可された、識別された個人または身元のリスト、システム100の特徴の少なくとも一部を機能させることが可能な、識別され、かつ認証された個人または身元のリスト（例えば、レポータ108）、外部デバイス（例えば、外部デバイス800または外部デバイス2300）の特徴の少なくとも一部を操作することを許可された識別された個人または身元のリスト、外部デバイス（例えば、外部デバイス800または外部デバイス2300）を操作することを許可された1以上のユーザのための参照身体的特徴のリスト、識別された個人が使用を許可された外部デバイス（例えば、外部デバイス800または外部デバイス2300）の機能のリスト、スケジュールされた手順を実施またはそれに参加することを許可された1以上の個人の身元のリスト、個々の対象者（例えば、患者）に関連付けられた情報にアクセスすることを許可された1以上の個人の身元のリスト、時間、日付、または場所のうちの少なくとも1つに関連付けられた1以上の個人の身元のリスト、スケジュールされた手順を実行することを許可された1以上の個人についての参照身体的特徴のリスト、個々の対象者に関連付けられた情報にアクセスすることを許可された1以上の個人についての参照身体的特徴のリスト、を含むことができるが、これらに限定されない。いくつかの実施形態では、1以上の個々の対象者（例えば、1以上の患者または他の個人）に関連する1以上の認証パラメータは、スケジュールされた手順を受けることを認可された1以上の個人の身元のリスト、治療を受けることをスケジュールされた1以上の個人の身元のリスト、術前許可または制限を有する1以上の個人の身元のリスト、術後許可または制限を有する1以上の個人の身元のリスト、治療前許可または制限を有する1以上の個人の身元のリスト、術前スケジュール、または制限を有する1以上の個人の身元のリスト、治療スケジュール、回復スケジュール、リハビリテーションスケジュール、術前スケジュール、または術後スケジュールのうちの少なくとも1つに関連する少なくとも1つの認証パラメータ、ヘルスケアプロバイダに割り当てられた1以上の個人の身元のリスト、時間、日付、または場所等のうちの少なくとも1つに関連付けられた1人以上の個人の身元のリスト、を含むことができるが、これらに限定されない。
【００８４】
一実施形態では、レポータ108は、回路106による命令に応答して1以上の通信信号を生成するように構成され、1以上の通信信号は、1以上の識別検知信号と1以上の認証パラメータとの比較、または、少なくとも1人の個人の身元と1以上の認証パラメータとの比較の少なくとも一方に関連付けられる。例えば、1以上の通信信号が1以上の識別検知信号と1以上の認証パラメータとの比較に基づく場合には、認証比較モジュール1002は、1以上の識別検知信号をメモリ1004に記憶された認証パラメータと直接比較することができる。認証パラメータは、認可された個人の身体的特徴のリストを含むことができ、識別検知信号がメモリに記憶された認可された個人の身体的特徴と一致するとき、ヘルスケアプロバイダは認可されてよい。例えば、許可（認証）は、限定されるものではないが、個人が医療サービス活動を実行またはそれに参加すること、システム100を利用すること、または外部デバイスを使用することが許可されることを含む（例えば、ヘルスケアプロバイダが、外部デバイスを操作することを認可された個人のリストの1つの識別子と実質的に一致する場合）。それに加えて、またはその代わりに、システム100は、完全に機能することができ（例えば、情報を送信することができ）、または、認可された個人の利用が許可されるシステム100の機能の一部が有効化される。1以上の通信信号が、少なくとも1人の個人の身元と1以上の認証パラメータとの比較に基づく場合、識別比較モジュール1000は、最初に、1以上の識別検知信号に基づいて個人を識別することができ、それによって、認証比較モジュール1002は、識別された個人が認可された個人であるかどうかを（例えば、認可された個人または身元のリストを有する参照データと、身元を比較することによって）決定することができる。一実施形態では、1以上の認証パラメータが単一の許可されたユーザに対応する場合、識別比較モジュール1000および認証比較モジュール1002は、識別後の自動認証のための単一のモジュールとして組み込まれることができる。
【００８５】
一実施形態では、図11に示されるように、回路106は、センサアセンブリ104によって生成された1以上の識別検知信号を、個人の身体的状況に関連する1以上の身体的特徴を示す参照データと比較して、ヘルスケアプロバイダが外部デバイスを操作する権限を与えられているかどうかを判断するように構成された比較モジュール1100を含む。例えば、メモリ1004は、限定されるものではないが、バイタルステータス(例えば、生存状態または死亡状態を示す生理学的参照データ、疲労状態またはストレス状態に関連する生理学的データ)または機能ステータス(例えば、身体的状態、精神的状態など)を含む身体的状況に関連する参照データを記憶することができる。一実施形態では、比較モジュールは、システムの他のセンサ(例えば、生理学的センサ900、近接センサ902、コンタクトセンサ904、圧力センサ906、または温度センサ908のうちの1つまたは複数)からの検知信号を比較して、個々のバイタルステータスまたは機能ステータスを決定する。機能ステータスに関連する1以上の身体的特徴を示す参照データは、（例えば、薬物またはアルコールによる）酩酊または中毒といった化学的または生物学的指標、物質（例えば、毒素、毒物、処方薬）の有無、血液酸素レベル、動き、動きのパターン、または動きの欠如（例えば、意識状態の指標、または微細な運動技能の低下の指標として）などを含むことができるが、これらに限定されない。バイタルステータスまたは機能ステータスは、識別された個人が外部デバイスの動作に適した状態にあるかどうかに関する指標として機能することができる。ヘルスケアプロバイダは、識別され、かつ外部デバイス（例えば、外部デバイス2300）を使用することを許可されうるが、個人の現在の状態によっては、外部デバイスの全体的または部分的な動作が排除されうる。例えば、システム100のセンサは、ヘルスケアプロバイダが実施許可されていた、スケジュールされた外科的処置を（例えば、鋸（saw）を使用して）実施することが安全ではない血中アルコール含有量をヘルスケアプロバイダが有することを検出しうる。一実施形態では、システム100は、スケジュールパラメータ（例えば、手順のスケジュール）、ヘルスケアプロバイダのログされた活動状態（例えば、ロギングモジュール2002によって格納されうるログされた手順）、タイミング情報（例えば、チェックイン時間、最後の手順からの時間など）などに基づいて、ヘルスケアプロバイダの状態を判定するように構成される。例えば、システム100は、ヘルスケアプロバイダが長時間にわたって待機しているため、ヘルスケアプロバイダが許可されていた選択的外科処置を実施することが不適当であると判断することができる。別の実施例では、装置100は、ボブ医師が32時間待機中であるため、選択的外科手術の権限を与えないことを決定することができる。別の実施例では、システム100は、ボブ医師が08：00に処置の部分A（例えば、造影剤の投与）を実施し、ボブ医師または別の認可されたヘルスケアプロバイダ（例えば、CT技師）が10：00までにCTスキャンを実施する必要があり、10：00以降、（例えば、CT機器の使用を無効にするかまたは禁止することによって）CTスキャンを禁止することを決定することができる。一実施形態では、回路106は、1��上の識別検知信号と、個人の機能ステータスに関連付けられた1以上の身体的特徴を示す参照データとの間の対応関係が機能対応閾値を上回ることに応答して、外部デバイスの少なくとも一部をヘルスケアプロバイダが操作することの認証（認可）を防止するように構成される。例えば、機能対応閾値は、外部デバイスの操作のための身体的特徴(例えば、血中アルコール含有量、投薬濃度など)の安全閾値に関係しうる。一実施形態では、回路106は、1以上の通信信号を生成または送信するようにレポータ108に指示しないことによって、ヘルスケアプロバイダの認証を防止する。一実施形態では、回路106は、外部デバイスの機能のサブセットのみがヘルスケアプロバイダにより操作可能となるように、外部デバイスの動作の部分的な認可を可能にすることができる。例えば、ヘルスケアプロバイダが識別され、（例えば、演算装置を介して）患者情報にアクセスする権限が与えられ、かつヘルスケアプロバイダが中毒であるかまたは他の方法で機能ステータスが減少していると決定される場合、回路106は、「読み取り専用」機能を許容することができるが、患者情報の追加、変更、または削除に関連する機能を防止することができる。
【００８６】
本明細書で説明され、図12に示されるように、一実施形態では、レポータ108は、レポータ108の出力に関連する視覚的指示を提供するように構成された表示デバイス1200を含む。例えば、表示デバイス1200は、(1)1以上の識別検知信号と1以上の認証パラメータ、及び、(2)少なくとも1人の個人と1以上の認証パラメータ、の少なくとも一方の比較に対応する所定パターンの光を提供するように構成された、1以上の発光素子1202（例えば、発光ダイオード、ポリマー発光ダイオード(PLED)、レーザ、または他の光源）を含むことができる。所定パターンの光は、光強度または輝度、色、形状、または別個のパターン間で識別可能な他の特徴に関連するパターンを含むことができる。一実施形態では、所定のパターンは、対応閾値を下回る、(1)1以上の識別検知信号と1以上の認証パラメータとの対応関係、及び、(2)少なくとも1人の個人の身元と1以上の認証パラメータとの対応関係の少なくとも一方が対応閾値未満であること（例えば、センサアセンブリ104によって測定された身体的特徴が認証された個人に対応しない）に関連する第1のパターンを含み、所定のパターンは、(1)1以上の識別検知信号と1以上の認証パラメータとの対応関係、及び、(2)少なくとも1人の個人の身元と1以上の認証パラメータとの対応関係の少なくとも一方が少なくとも対応閾値であることに関連する第2のパターン（例えば、センサアセンブリ104によって測定される身体的特徴が認証された個人に対応する）を含む。例えば、レポータ108は、ヘルスケアプロバイダが個々の対象者に対してヘルスサービスを実施することを許可されていない場合、表示デバイスを介して第1のパターン（例えば、第1の強度、第1の色、第1の形状など）を表示することができ、ヘルスケアプロバイダが個々の対象者に対してヘルスサービスを実施することを許可されている場合、別個の第2のパターン（第2の強度、第2の色、第2の形状など）を表示することができる。システム100はまた、身体部分によって反射または屈折された光のような、表示デバイス1200および/またはセンサアセンブリ104からの光を検出するために、1以上の有機光検出器(OPD:organic photodetector)のような1以上の光検出器(photodetector)を含むことができる。例えば、システム100は、ポリ(3-ヘキシルチオフェン)(P3HT):(6,6)-フェニル-C61-酪酸メチルエステル(PCBM)の活性層を含む有機光検出器を含むことができる。
【００８７】
一実施形態では、表示デバイス1200は、(1)1以上の識別検知信号と1以上の認証パラメータとの比較、及び、(2)少なくとも1人の個人の身元と1以上の認証パラメータとの比較の少なくとも一方に対応する所定パターンの音を提供するように構成された1以上の音放出素子1204(例えば、スピーカ、音源、または他の音源)を含むことができる。所定パターンの音は、音の強さ、可聴および不可聴の位相、または別個のパターン間で識別可能な他の特徴に関連付けられたパターンを含むことができる。一実施形態では、所定のパターンは、(1)1以上の識別検知信号と1以上の認証パラメータとの対応関係、及び、(2)少なくとも1人の個人の身元と1以上の認証パラメータとの対応関係の少なくとも一方が対応閾値未満であること（例えば、センサアセンブリ104によって測定された身体的特徴が認証された個人に対応しない）に関連する第1のパターンを含み、所定のパターンは、(1)1以上の識別検知信号と1以上の認証パラメータとの対応関係、及び、(2)少なくとも1人の個人の身元と1以上の認証パラメータとの対応の少なくとも一方が少なくとも対応閾値であること（例えば、センサアセンブリ104によって測定される身体的特徴が認証された個人に対応する）に関連する第2のパターンを含む。例えば、レポータ108は、ヘルスケアプロバイダが個々の対象者に対してヘルスサービスを実施することを許可されていない場合、表示デバイスを介して第1のパターン（例えば、第1の強度、第1の可聴／不可聴パターンなど）を示すことができ、ヘルスケアプロバイダが個々の対象者に対してヘルスサービスを実施することを許可されている場合、別個の第2のパターン（第2の強度、第2の可聴／不可聴パターンなど）を示すことができる。
【００８８】
一実施形態では、表示デバイス1200は、レポータ108の出力に関連する視覚的指示を提供するように構成された投射ディスプレイ1206を含む。例えば、投影ディスプレイ1206は、(1)1以上の識別検知信号と1以上の認証パラメータとの比較、及び、(2)少なくとも1人の個人の身元と1以上の認証パラメータとの比較の少なくとも一方に対応する投影画像（例えば、皮膚表面、衣類または衣服、壁または支持表面、スクリーン、ドレープなどに投影される画像）を提供するように構成することができる。
【００８９】
一実施形態では、回路106は、変形可能な基板102がヘルスケアプロバイダの皮膚表面から除去されたかどうかを判定するように構成される。例えば、システム100は、センサアセンブリ104の一部として、センサアセンブリ104とは異なる、またはそれらの組み合わせである、変形可能な基板102がヘルスケアプロバイダの皮膚表面から除去されているかどうかを検知するように構成された歪みゲージまたは近接センサのうちの1つまたは複数を含むことができる。例えば、システム100は、変形可能な基板102の皮膚表面からの除去に対応する歪みまたは距離測定に関連する参照データを記憶するコンピュータメモリデバイスを含むことができる。回路106は、歪みゲージまたは近接センサからの出力をこのような参照データと比較して、変形可能な基板102が除去されたかどうかを判定することができる。一実施形態では、回路106は、変形可能な基板102が、ヘルスケアプロバイダの皮膚表面とは異なる皮膚表面に適用されたかどうかを判定するように構成される。例えば、システム100は、センサアセンブリ104によって第1の時刻に得られた1以上の識別検知信号をコンピュータメモリデバイスに保存することができ、それにより、回路106は、センサアセンブリ104によって第2の時刻に得られた1以上の識別検知信号と、センサアセンブリ104によって第1の時刻に得られ保存された識別検知信号とを比較して、信号が実質的に異なるか否かを判断することができる。信号が皮膚特性に向けられている場合、異なる時間に得られる信号間の実質的な差異は、皮膚表面が第1の時間と第2の時間とで異なることを示すことができ、これは、システム100が第1の時間と第2の時間との間で異なる個人間に移動されたことを示すことができる。
【００９０】
レポータ108は、識別または認証のうちの1つまたは複数を含む様々なシナリオに応答して、1以上の通信信号を生成することができる。例えば、実施形態において、レポータ108によって生成される1以上の通信信号は、1以上の識別検知信号と、少なくとも1つの個人の身元に関連する1以上の身体的特徴を示す参照データとの間の対応関係が対応閾値未満であることに応答した、ヘルスサービスを実施する（例えば、外部デバイスを操作する）ためのヘルスケアプロバイダの権限の欠如に対応する。例えば、回路106が、（例えば、識別比較モジュールを介して）システム100が配置されているヘルスケアプロバイダを識別することができない場合、レポータ108は、ヘルスケアプロバイダを認識できないことに基づいてヘルスケアプロバイダがヘルスサービスを実施することを許可されていないことを、通信信号を介して報告することができる。一実施形態では、回路106が、（例えば、識別比較モジュールを介して）システム100が配置されているヘルスケアプロバイダを識別することができない場合、回路106は、レポータ108による通信信号の生成を防止する（例えば、1以上の通信信号の生成に関する回路106からレポータ108への命令がない）。一実施形態では、レポータ108によって生成される1以上の通信信号は、（i）1以上の識別検知信号と、少なくとも1人の個人の身元に関連する1以上の身体的特徴を示す参照データとの間の対応関係が少なくとも対応閾値であること、および、（ii）1以上の識別検知信号及び少なくとも1人の個人の身元の少なくとも一方と1以上の認証パラメータとの対応関係が少なくとも対応閾値であること、の両方に応答した、ヘルスケアプロバイダがヘルスサービスを実施する認証に対応する。例えば、回路106が、システム100が配置されているヘルスケアプロバイダを（例えば、識別比較モジュール1000を介して）識別することができ、回路106が、システム100が配置されているヘルスケアプロバイダを（例えば、認証比較モジュール1002を介して）外部デバイスの操作に対して認証することができる場合には、レポータ108は、ヘルスケアプロバイダが、個々の対象者に対してヘルスサービスを実施すること、外部デバイスを操作すること、またはヘルスケアプロバイダの認証を必要とする任意の他の活動に参加することを認証されていることを、通信信号を介して報告することができる。
【００９１】
一実施形態では、レポータ108は、通信信号の静的出力を提供するように構成される。一実施形態では、レポータ108は、1以上の通信信号を連続的に生成するように構成される。一実施形態では、レポータ108は、通信信号の動的出力を提供するように構成される。一実施形態では、レポータ108は、外部デバイスまたはシステム（例えば、外部デバイス800、外部デバイス2300、情報システム2500、情報システム2800、ヘルスケアプロバイダ識別デバイス2900、各対象者識別デバイス3000、またはゲストデバイス3200、またはそれらの組合せを含むがこれらに限定されない、本明細書で説明される外部デバイスまたはシステム）からのクエリに応答する1以上の通信信号を生成するように構成される。一実施形態では、レポータ108は、レポータ108と外部デバイスまたはシステム（例えば、外部デバイス800、外部デバイス2300、情報システム2500、情報システム2800、ヘルスケアプロバイダ識別デバイス2900、各対象者識別デバイス3000、またはゲストデバイス3200、またはそれらの組み合わせを含むがこれらに限定されない、本明細書で説明される外部デバイスまたはシステム）との間の近接に応答して、1以上の通信信号を生成するように構成される。例えば、システム100は、レポータ108と外部デバイスまたはシステム（例えば、外部デバイス800、外部デバイス2300、情報システム2500、情報システム2800、ヘルスケアプロバイダ識別デバイス2900、各対象者識別デバイス3000、またはゲストデバイス3200、またはこれらの組合せを含むが、これらに限定されない、本明細書に記載の外部デバイスまたはシステム）との間の近接を示す検知信号を生成するように構成された近接センサ（例えば、近接センサ902）を含むことができる。回路106は、近接センサからの検知信号を参照データ（例えば、近接閾値）と比較して、レポータ108および外部デバイスまたはシステムが、レポータ108から外部デバイスまたはシステムへの通信信号の送信を開始するのに十分に近いかどうかを判定し、レポータ108および外部デバイスまたはシステムが近接閾値内にあると判定された場合、1以上の通信信号を生成するようにレポータ108に命令することができる。
【００９２】
図25に示される実施形態では、ヘルスケアプロバイダ識別デバイス2000は、情報システム2500と通信するように構成される。情報システム2500は、情報システム2500による分析のためにレポータ108から通信を受信するように構成される。情報システム2500は、通信インターフェース2504（例えば、受信機2506、送信機2508、送受信機2510、またはそれらの任意の組合せ）を有する少なくとも1つのサーバ2502（例えば、演算装置または演算装置のネットワーク）と、メモリ2514と通信する少なくとも1つのプロセッサ2512（またはコントローラ）とを含むことができる。メモリ2514は、情報システム2500によって受信された情報、認証パラメータ、活動ログなどを記憶するように構成されたデータベース2516を含むことができる。情報システム2500は、レポータ108から1以上の通信信号を（例えば、通信インターフェース2504を介して）受信するように構成することができる。情報システム2500は、1以上の通信信号を1以上の認証パラメータと比較するように構成された回路（例えば、プロセッサ2512）も含むことができる。例えば、データベース2516は、ヘルスサービスの実行、外部デバイスの動作、情報（例えば、患者の健康記録、請求情報、在庫データなど）にアクセスすることに関連する認証パラメータに関連するデータを維持することができる。一実施形態では、情報システム2500は、変形可能な基板102が配置されているヘルスケアプロバイダの身元、またはヘルスケアプロバイダによって評価またはケアされている第2の個人の身元を示す通信信号をレポータ108から受信することができ、それによって、情報システム2500は、（例えば、プロセッサ2512を介して）その身元をメモリ2514に格納された認証パラメータと比較して、ヘルスケアプロバイダが、ヘルスサービスを実施すること、外部デバイスを動作させること、または情報システム2500を介して情報にアクセスすること、またはヘルスケアプロバイダの許可を必要とする任意の他の活動を実行することを許可されているかどうかを判断することができる。
【００９３】
一実施形態では、情報システム2500は、ヘルスケアプロバイダが、ヘルスケアプロバイダのヘルスサービスを実施すること、外部デバイスを動作させること、または情報システム2500を介して情報にアクセスすること、またはヘルスケアプロバイダの認可を必要とする任意の他の活動を実行することを認可されているかどうかに関連付けられた1以上の通信信号を（たとえば、通信インターフェース2504を介して）生成することができる。例えば、情報システム2500は、1以上の通信信号を、（例えば、通信インターフェース2504を介して）ヘルスケアプロバイダ識別デバイス2000または外部デバイスもしくはシステム（例えば、外部デバイス800、外部デバイス2300、第2のヘルスケアプロバイダ識別デバイス2900、または第2の情報システム2800など）に送信することができる。実施形態において、情報システム2500は、1以上の認証パラメータを（例えば、通信インターフェース2504を介して）ヘルスケアプロバイダ識別デバイス2000または外部デバイスもしくはシステム（例えば、外部デバイス800、外部デバイス2300、第2のヘルスケアプロバイダ識別デバイス2900、または第2の情報システム2800など）に送信することができ、それにより、1以上の認証パラメータを受け取る装置またはシステムは、1以上の認証パラメータと、個人（例えば、システム100が配置されているヘルスケアプロバイダ、またはヘルスケアプロバイダによって評価またはケアされている第2の個人）に関連する身元または識別検知信号との間の比較を実行することができる。
【００９４】
図26に示される一実施形態では、情報システム2500は、電子ヘルス記録システム2600、請求システム2602（例えば、患者、保険事業体、他の医療施設（例えば、ラボなど）のための請求システム）、スケジューリングシステム2604（例えば、患者スケジューリングシステム、医師またはスタッフスケジューリングシステム、部屋スケジューリングシステム、機器スケジューリングシステムなど）、在庫管理システム2606（例えば、医療用品在庫管理システム、消耗品（例えば、食品および飲料）在庫管理システム、薬剤在庫管理システムなど）、クレーム処理システム2608（例えば、保険クレーム処理システム、不法行為クレーム処理システムなど）、または管理システム2610（例えば、病院管理システム、ナースステーションコンピューティングシステムまたはデバイス、または受付コンピューティングシステムまたはデバイスなど）、またはそれらの任意の組合せを含むが、これらに限定されない。実施形態では、レポータ108は、限定はしないが、音響通信信号、音声通信信号（例えば、可聴、不可聴、またはそれらの組合せ）、光通信信号、無線通信信号、赤外線通信信号、超音波通信信号、電気信号（例えば、システム100のコンポーネントと情報システム2500との間の伝導経路を介する）などを含む1つまたは複数の接続機構または無線通信機構を介して、情報システム2500と通信（例えば、通信信号の送受信）することができる。一実施形態では、センサアセンブリ104または回路106のうちの1つまたは複数は、情報システム2500から通信信号を受信することができる。例えば、通信インターフェース2504（例えば、携帯電話またはネットワークベースのデバイス）は、1つ以上の通信信号をセンサアセンブリ104または回路106のうちの1つまたは複数に送信することができ、この場合、かかる通信信号は、センサアセンブリ104または回路106の特定の機能を開始または終了（例えば、オン／オフ）し、プログラミング情報を提供し、更新された機能を提供し、認証パラメータ、比較閾値または参照データなどを提供または更新することができる。一実施形態では、回路106は、情報システム2500からのクエリに応答して1つ以上の通信を生成するようにレポータ108に指示する。一実施形態では、レポータ108は、情報システム2500に左右されることなしにまたは情報システム2500からの通信なしに、回路106による命令に応答して1つ以上の通信信号を生成する。例えば、レポータ108は、情報システム2500が通信信号を受信できるかどうかに関係なく、1つ以上の通信信号を生成することができる。このような場合、レポータ108によって生成された通信信号は、システム100のメモリに格納することができ、格納された通信信号は、後に（例えば、情報システム2500のメモリ2514（例えば、データベース2516）に格納されたエントリを追加または変更するために）利用することができる。
【００９５】
一実施形態では、図25に示されるように、システム100の回路106は、ヘルスケアプロバイダの少なくとも1つの活動状況をシステム100のメモリデバイス（例えば、本明細書に記載のメモリ402またはメモリ1004など）に格納するように構成されたロギングモジュール2002を含む。例えば、ロギングモジュール2002は、ヘルスケアプロバイダによって実行されるヘルスサービス活動に対応する情報を含む、ヘルスケアプロバイダの少なくとも1つの活動状況を格納するように構成することができる。実施形態では、ロギングモジュール2002は、ヘルスケアプロバイダによって実行される処置に対応する情報、ヘルスケアプロバイダによって操作される外部デバイスに対応する情報、ヘルスケアプロバイダによって使い尽くされた供給品（例えば、医療供給品）に対応する情報、ヘルスケアプロバイダによって評価された1人以上の個々の対象者に対応する情報、またはそれらの任意の組合せを含むが、これらに限定されない、ヘルスケアプロバイダの少なくとも1つの活動状況を格納するように構成され得る。一実施形態では、レポータ108は、ヘルスケアプロバイダのログされた活動状況に関連付けられた1つ以上の通信信号を生成するように構成される。レポータ108は、ヘルスケアプロバイダのログされた活動状況に関連付けられた1つ以上の通信信号を情報システム2500に通信するように構成され得る。例えば、レポータ108は、ボブ医師として識別された個人が、予定された外科的処置を08：00に実施しそれが４時間続いたことを示す1つ以上の通信信号を情報システム2500に送信することができる。ボブ医師として識別された個人が予定された外科的処置を行ったことを示す情報システム2500に応答して、情報システム2500は、1つ以上のデータベースエントリを更新することができる（例えば、処置を計上するための課金情報に対する更新、在庫情報に対する更新（例えば、処置のために使い尽くされた供給品に基づく更新）、ヘルスケアプロバイダまたは施設用のスケジューリング情報に対する更新、処置が行われた個人に関する患者情報に対する更新（例えば、電子ヘルス記録に対する更新）、処置が行われた個人用のスケジューリング情報に対する更新（例えば、手術後のスケジュールを生成する）など）。
【００９６】
図27に示すように、情報システム2500は、ヘルスケアプロバイダ識別デバイス2000および外部デバイス2300と通信することができる。一実施形態では、情報システム2500は、ヘルスケアプロバイダ識別デバイス2000と外部デバイス2300との間のネットワークコネクションを容易にするように構成される。一実施形態では、情報システム2500は、ヘルスケアプロバイダ識別デバイス2000から受信した1つ以上の通信信号に基づいて、外部デバイス2300の機能を制御するための1つ以上の通信信号を提供するように構成される。例えば、ヘルスケアプロバイダ識別デバイス2000は、ヘルスケアプロバイダの身元または識別検知信号に関連する1つ以上の通信信号を情報システム2500に送信することができ、それにより、情報システム2500は、1つ以上の認証パラメータとの比較を実行することができる。情報システム2500は、ヘルスケアプロバイダが上記比較に基づいて外部デバイス2300を完全にまたは部分的に操作することを可能にする1つ以上の通信信号を外部デバイス2300に送信することができる。例えば、情報システム2500は、ヘルスケアプロバイダ識別デバイス2000から、当該ヘルスケアプロバイダ識別デバイス2000が配置されている個人をボブ医師として識別することができることを示す1つ以上の通信信号を受信することに基づいて、外部デバイス2300を動作モードに配置する1つ以上の通信信号を送信することができる。
【００９７】
図28に示すように、情報システム2500は、情報システム2500と同様の構造及び機能を有することができる少なくとも1つの他の情報システム2800と通信することができる。情報システム2800は、情報システム2500および他のデバイスまたはシステム（例えば、外部デバイス800、ヘルスケアプロバイダ識別デバイス2000、ヘルスケアプロバイダ識別デバイス2900、各対象者識別デバイス3000、ゲスト識別デバイス3200など）との間で通信を送信または受信するように構成され得る。一実施形態では、情報システム2800は、通信インターフェース2804（例えば、受信機2806、送信機2808、送受信機2810、またはそれらの任意の組合せ）と、メモリ2814と通信する少なくとも1つのプロセッサ2812（またはコントローラ）とを有する少なくとも1つのサーバ2802（例えば、演算装置または演算装置のネットワーク）を含むことができる。メモリ2814は、情報システム2800によって受信された情報、認証パラメータ、活動ログなどを格納するように構成されたデータベース2816を含むことができる。一実施形態では、情報システム2800は、電子ヘルス記録システム、請求システム、スケジューリングシステム、在庫管理システム、クレーム処理システム、管理システム、またはそれらの任意の組合せを含むが、これらに限定されない。一実施形態では、情報システム2500は、電子ヘルス記録システム、請求システム、スケジューリングシステム、在庫管理システム、クレーム処理システム、または管理システムのうちの1つを含み、情報システム2800は、電子ヘルス記録システム、請求システム、スケジューリングシステム、在庫管理システム、クレーム処理システム、または管理システムのうちの別の1つを含む。情報システム2500は、外部デバイス（例えば、外部デバイス800、ヘルスケアプロバイダ識別デバイス2000、ヘルスケアプロバイダ識別デバイス2900、各対象者識別デバイス3000、ゲスト識別デバイス3200など）から受信された1つ以上の通信に応答して、1つ以上の通信信号を情報システム2800に送信するように構成され得る。例えば、第1の情報システム2500（例えば、スケジューリングシステム）は、ヘルスケアプロバイダ識別デバイス2000から、当該ヘルスケアプロバイダ識別デバイス2000が配置されている個人がボブ医師として識別できることを示す1つ以上の通信信号を受信し、それに応じて、情報システム2500は、ボブ医師が行うことが予定されている1つ以上の処置と関連する1つ以上の通信信号を第2の情報システム2800（例えば、病院管理システム、請求システムなど）に送信することができる。
【００９８】
図29Aに示す一実施形態では、ヘルスケアプロバイダ識別デバイス2000は、別のヘルスケアプロバイダ識別デバイス2900と通信するように構成される。ヘルスケアプロバイダ識別デバイス2900は、ヘルスケアプロバイダ識別デバイス2000と同一または類似の構造および機能を有することができる。例えば、ヘルスケアプロバイダ識別デバイス2900は、ヘルスケアプロバイダの識別を容易にするために、本明細書に記載のシステム100などのシステムを含むこともできる。一実施形態では、ヘルスケアプロバイダ識別デバイス2900は、第2のヘルスケアプロバイダの身元に関連付けられた、または第2のヘルスケアプロバイダの1つ以上の身体的特徴に対応する識別検知信号に関連付けられた、1つ以上の通信信号を（例えば、レポータ108を介して）生成するように構成される。ヘルスケアプロバイダ識別デバイス2000は、ヘルスケアプロバイダ識別デバイス2900から1つ以上の通信信号を（例えば、回路106の受信機404または送受信機406を介して）受信するように構成されることができ、それによって、ヘルスケアプロバイダ識別デバイス2000は、ヘルスケアプロバイダ識別デバイス2900によって生成される身元または識別検知信号が、参照データ（例えば、参照身体的特徴、認証パラメータなど）と少なくとも閾値一致する場合に、第2のヘルスケアプロバイダの認証に対応する1つ以上の通信信号を（例えば、レポータ108を介して）生成してヘルスサービス活動（ヘルスサービス）を実行またはヘルスサービス活動に参加するように構成されることができる。例えば、ヘルスプロバイダ識別デバイス2000がボブ医師として識別された個人に配置されている場合、ヘルスプロバイダ識別デバイス2900が配置された個人は、ヘルスプロバイダ識別デバイス2000が、当該個人をジョー看護師として識別する1つ以上の通信信号を受信するとき、患者グレッグから採血する権限を与えられることができる。当該個人がジョー看護師として識別されない場合、ヘルスケアプロバイダ識別デバイス2000は、（例えば、レポータ108を介して）警報を(例えば、表示デバイス1200を介して）ボブ医師にまたは外部デバイスもしくはシステムに提供するように構成され得る。
【００９９】
図29Bに示す実施形態では、ヘルスケアプロバイダ識別デバイス2000およびヘルスケアプロバイダ識別デバイス2900は、情報システム2500と通信するように構成される。情報システム2500は、ヘルスケアプロバイダ識別デバイス2000およびヘルスケアプロバイダ識別デバイス2900がそれぞれ配置された個人の身元に関連付けられた通信信号を受信するように構成することができる。一実施形態では、情報システム2500は、通信信号を1つ以上の認証パラメータと比較し、その比較に基づいて通信信号を生成するように構成される。例えば、情報システム2500は、ヘルスケアプロバイダ識別デバイス2900が配置されている個人が、ヘルスサービス活動の実行またはヘルスサービス活動への参加の権限を与えられた個人として識別され得ない（例えば、ヘルスケアプロバイダ識別デバイス2900が配置されている個人がジョー看護師として識別され得ない）場合、1つ以上の通信信号をヘルスケアプロバイダ識別デバイス2000に送信して、ヘルスケアプロバイダ識別デバイス2000が配置されている個人（例えば、ヘルスケアプロバイダ識別デバイス200によってボブ医師として識別される個人）に警報を発することができる。
【０１００】
レポータ108は、ヘルスケアプロバイダ識別デバイス2000が配置されている個人の身元に関連付けられた1つ以上の通信信号を様々なシナリオで送信するように構成することができる。一実施形態では、レポータ108は、情報システム2500に対してヘルスケアプロバイダを識別するために、情報システム2500に1つ以上の通信信号を送信するように構成される。例えば、レポータ108は、ボブ医師を情報システム2500にログインさせるための1つ以上の通信信号を送信することができ、それによって、情報システム2500は、ボブ医師に対応する1つ以上の認証パラメータ（例えば、許可）に基づいて、ボブ医師にアクセスを許可する。一実施形態では、レポータ108は、情報システム2500に1つ以上の通信信号を送信して、ヘルスケアプロバイダのための情報システムエントリにサインするよう構成される。例えば、レポータ108は、1つ以上の通信信号を情報システム2500に送信して、ヘルスケアプロバイダ識別デバイス2000が配置されている個人によって承認されたエントリを認証することができる。一実施形態では、レポータ108は、情報システム2500に1つ以上の通信信号を送信して、ヘルスケアプロバイダまたは外部デバイスからの要求に応じて情報システム入力にサインするように構成される。例えば、レポータ108は、1つ以上の通信信号を情報システム2500に送信して、ヘルスケアプロバイダからのユーザ入力（例えば、ユーザコマンド）または外部デバイス（例えば、ヘルスケアプロバイダがアクセスしている装置）からの要求に応答して、ヘルスケアプロバイダ識別デバイス2000が配置されている個人によって承認されたエントリを認証することができる。一実施形態では、ヘルスケアプロバイダまたは個々の対象者は、外部デバイスまたは情報システムとのインターフェースを（例えば、レポータ108を介して）開始することができる。例えば、医師は、外部デバイス又は情報システムとのインターフェースを（例えば、レポータ108を介して）開始して電子文書にサインすることができ、あるいは、医師又は患者は、外部デバイス又は情報システムとのインターフェースを開始してセッション（例えば、処置、治療、デバイス操作セッション）を開始することができる。一実施形態では、レポータ108は、情報システム2500からのクエリに応じて、1つ以上の通信信号を情報システム2500に送信するように構成される。例えば、情報システム2500は、ヘルスケアプロバイダ識別デバイス2000に照会して、ヘルスケアプロバイダ識別デバイス2000が配置されている個人が認証された個人であるかどうかを判定することができる。実施形態では、情報システム2500は、ヘルスサービス活動を認可する前に、情報へのアクセスを提供する前に、または定期的に（例えば、ボブ医師が依然としてヘルスケアプロバイダ識別デバイス2000が配置されている人であることを確認するために）、ヘルスケアプロバイダ識別デバイス2000に照会することができる。一実施形態では、レポータ108は、識別検知信号またはヘルスケアプロバイダの身元のうちの少なくとも1つに関連付けられた1つ以上の通信信号を情報システム2500に送信するように構成される。一実施形態では、レポータ108は、ヘルスケアプロバイダの日付、時刻、位置、またはヘルスケアプロバイダの活動状況のうちの少なく��も1つに関連付けられた1つ以上の通信信号を情報システム2500に送信するように構成される。
【０１０１】
レポータ108は、ヘルスケアプロバイダ識別デバイス2000が配置されているヘルスケアプロバイダによって評価またはケアされる個人の身元に関連する1つ以上の通信信号を様々なシナリオで送信するように構成することができる。例えば、本明細書で説明し、図22Aおよび図22Bに示すように、ヘルスケアプロバイダ識別デバイス2000は、ヘルスケアプロバイダ識別デバイス2000が配置されているヘルスケアプロバイダ以外の個々の対象者の身元に関連する1つ以上の身体的特徴を評価するように構成することができる。一実施形態では、レポータ108は、情報システム2500に1つ以上の通信信号を送信して情報システム2500に対して個々の対象者を識別するように構成される。例えば、レポータ108は、情報システム2500に対して個人を患者グレッグとして識別する1つ以上の通信信号を送信することができ、それにより、情報システム2500は、データエントリを患者グレッグに関連付けたり、患者グレッグに関連付けられた情報へのアクセスをヘルスケアプロバイダに提供したりすることができる。一実施形態では、レポータ108は、情報システム2500に1つ以上の通信信号を送信して、個々の対象者に関連付けられた情報システムエントリを検証するように構成される。例えば、レポータ108は、1つ以上の通信信号を情報システム2500に送信して、当該エントリが、ヘルスケアプロバイダ識別デバイス2000が配置されているヘルスケアプロバイダによって評価またはケアされている個人に対応すると認証することができる。一実施形態では、レポータ108は、情報システム2500からのクエリに応じて、1つ以上の通信信号を情報システム2500に送信するように構成される。例えば、情報システム2500は、ヘルスケアプロバイダ識別デバイス2000に問い合わせて、ヘルスケアプロバイダ識別デバイス2000が配置されているヘルスケアプロバイダによって評価またはケアされている個人が、ヘルスケアプロバイダがヘルスサービス活動を実行する権限を与えられている個人であるかどうかを判定する（例えば、ボブ医師が、彼の患者、患者グレッグとして識別され得る個人を評価またはケアしていることを確認する）ことができる。実施形態では、情報システム2500は、ヘルスサービス活動を認証する前に、情報へのアクセスを提供する前に、または定期的に（例えば、ボブ医師は、彼が任意の時点で見るようにスケジュールされている患者といることを確認するために）、ヘルスケアプロバイダ識別デバイス2000に問い合わせることができる。
【０１０２】
ヘルスケアプロバイダ識別デバイス2000は、情報システム2500から通信信号を受信するように構成することもできる。一実施形態では、回路106は、情報システム2500から1つ以上の認証パラメータを（例えば、受信機404または送受信機406を介して）受信するように構成される。例えば、情報システム2500は、ヘルスケアプロバイダ識別デバイス2000が動作可能な1人以上の個人に認証パラメータを提供することによって、ヘルスケアプロバイダ識別デバイス2000をプログラムすることができる。例えば、ヘルスケアプロバイダ識別デバイス2000は、情報システム2500から個人のリスト（例えば、ボブ医師、ジャン医師、ジョー看護師)に関連する認証パラメータを受信するように構成することができる。回路106は、情報システム2500から受信した1つ以上の認証パラメータをシステム100のメモリ（例えば、メモリ402）に格納するように構成することができる。
【０１０３】
ヘルスケアプロバイダ識別デバイス2000は、単回使用デバイス、複数回使用デバイス、使い捨てデバイス、リサイクル可能なデバイス、再構成可能なデバイスなどとして構成することができる。一実施形態では、ヘルスケアプロバイダ識別デバイス2000は、単回使用デバイスとして構成される。例えば、回路106は、単回のヘルスサービス活動を許可するように、または変形可能な基板102が配置されている個人に関連する識別検知信号と参照データとの単回の比較を提供するように構成することができる。一実施形態では、ヘルスケアプロバイダ識別デバイス2000をヘルスケアプロバイダの身体部分の皮膚表面に取り付けるための接着剤（例えば、接着剤1300）は、単回使用用途のために構成され得、それによって、ヘルスケアプロバイダ識別デバイス2000が皮膚表面に接着され、次いで除去された後、接着剤は、もはやヘルスケアプロバイダ識別デバイス2000を皮膚表面に取り付けることができない。一実施例では、ヘルスケアプロバイダは、各処置又は他のスケジュールされたヘルスサービス活動の前に、新しいヘルスケアプロバイダ識別デバイス2000を受け取ることができる。一実施形態では、回路106は、単一の個々の対象者に対して1つ以上のヘルスサービス活動を許可するように構成される。例えば、回路106は、ボブ医師として識別された個人に、1つ以上の処置または他のヘルスサービス活動を、患者グレッグに対してのみ実施することを許可するように構成することができる。一実施例では、ヘルスケアプロバイダは、それぞれの患者を見る前に、新しいヘルスケアプロバイダ識別デバイス2000を受け取ることができる。一実施形態では、回路106は、複数のヘルスサービス活動を許可するように構成される。例えば、回路106は、ボブ医師として識別された個人に、いくつかの処置またはいくつかの他のヘルスサービス活動を行うことを許可するように構成することができる。一実施形態では、回路106は、所定の期間にわたって1つ以上のヘルスサービス活動を許可するように構成される。例えば、回路106は、ボブ医師として識別された個人に、所定の期間内（例えば、1時間内、4時間内、12時間内、1日内、1週間内など）に、1つ以上の処置または他のヘルスサービス活動を実施することを許可するように構成することができる。一実施例では、ヘルスケアプロバイダは、毎日、または各シフト（例えば、朝のシフト、午後のシフト、夕方のシフト、晩のシフト、夜のシフト、夜通しのシフトなど）の前に、新しいヘルスケアプロバイダ識別デバイス2000を受け取ることができる。一実施形態では、回路106は、スケジュールに基づいて1つ以上のヘルスサービス活動を許可するように構成される。例えば、回路106は、ヘルスケアプロバイダ識別デバイス2000が配置されるヘルスケアプロバイダの所定のスケジュールに基づく認証パラメータを備えて構成することができる。例えば、回路106は、ボブ医師によって評価またはケアされることになっている患者のスケジュール、ボブ医師が実行する予定の処置のスケジュールなどに基づく認証パラメータで構成することができる。
【０１０４】
図30Aに示す実施形態では、ヘルスケアプロバイダ識別デバイス2000は、各対象者識別デバイス3000と通信するように構成される。各対象者識別デバイス3000は、ヘルスケアプロバイダ識別デバイス2000と同一または類似の構造および機能を有することができる。例えば、各対象者識別デバイス3000は、各対象者識別デバイス3000が配置されている個々の対象者（例えば、患者または他の個人）の識別を容易にするために、本明細書に記載されるシステム100のようなシステムを含むこともできる。一実施形態では、各対象者識別デバイス3000は、個々の対象者の身元に関連付けられた、または個々の対象者の1つ以上の身体的特徴に対応する識別検知信号に関連付けられた、1つ以上の通信信号を（たとえば、レポータ108を介して）生成するように構成される。ヘルスケアプロバイダ識別デバイス2000は、各対象者識別デバイス3000から1つ以上の通信信号を（例えば、回路106の受信機404または送受信機406を介して）受信するように構成することができる。一実施形態では、ヘルスケアプロバイダ識別デバイス2000は、各対象者識別デバイス3000によって生成された身元または識別検知信号が、参照データ（例えば、参照身体的特徴、認証パラメータなど）と少なくとも閾値一致する場合、ヘルスケアプロバイダの認証に対応する1つ以上の通信信号を（例えば、レポータ108を介して）生成して、個々の対象者に対するヘルスサービス活動を実行またはこれに参加するように構成することができる。例えば、ヘルスケアプロバイダ識別デバイス2000がジョー看護師として識別される個人に配置されている場合、ジョー看護師は、各対象者識別デバイス3000が配置されている個人からの採血を、ヘルスケアプロバイダ識別デバイス2000が各対象者識別デバイス3000から当該個人を患者グレッグとして識別する1つ以上の通信信号を受信したときに、許可され得る。1つ以上の通信信号は、各対象者識別デバイス3000によって生成された1つ以上の識別検知信号と、少なくとも1人の第2の個人の身元に関連付けられた1つ以上の身体的特徴を示す参照データとの間の対応関係が対応閾値未満であることに応じて、個々の対象者に関してヘルスケアプロバイダがヘルスサービス活動を実行する権限がないことに対応することができる。例えば、個人が、各対象者識別デバイス3000によってヘルスケアプロバイダ識別デバイス2000に対して患者グレッグとして識別されない場合、ヘルスケアプロバイダ識別デバイス2000は、（例えば、表示デバイス1200を介して）ジョー看護師に、または外部デバイスまたはシステムに（例えば、外部デバイス2300または情報システム2500などに）、（例えば、レポータ108を介して）警報を提供し、それによって、例えば、処置を進めることを（例えば、器具の使用を禁止することによって）認めないように構成され得る。一実施形態では、警報は、外部デバイス2300またはヘルスケアプロバイダがアクセスしようとしている他の機器／器具の使用を禁止する1つまたは複数の制御信号を含むことができる。例えば、個人が各対象者識別デバイス3000によってヘルスケアプロバイダ識別デバイス2000に対して患者グレッグとして識別されない場合、ヘルスケアプロバイダ識別デバイス2000は、（例えば、レポータ108を介して）制御信号を提供して、外部デバイス2300���無効にするか、または外部デバイス2300をヘルスケアプロバイダに対して少なくとも部分的にアクセス不能にするように構成され得る。一実施形態では、警報は、情報システム2500に、外部デバイス2300またはヘルスケアプロバイダがアクセスしようとしている他の機器／器具の使用を禁止させる1つ以上の通信信号を含むことができる。例えば、個人が各対象者識別デバイス3000によってヘルスケアプロバイダ識別デバイス2000に対して患者グレッグとして識別されない場合、ヘルスケアプロバイダ識別デバイス2000は、情報システム2500に外部デバイス2300を無効にするか、または外部デバイス2300をヘルスケアプロバイダに対して少なくとも部分的にアクセス不能にする通信信号を（例えば、レポータ108を介して）情報システム2500に提供するように構成され得る。
【０１０５】
図30Bに示す一実施形態では、ヘルスケアプロバイダ識別デバイス2000および各対象者識別デバイス3000は、情報システム2500と通信するように構成される。情報システム2500は、ヘルスケアプロバイダ識別デバイス2000および各対象者識別デバイス3000がそれぞれ配置されている個人の身元に関連する通信信号を受信するように構成することができる。一実施形態では、情報システム2500は、通信信号を1つ以上の認証パラメータと比較し、その比較に基づいて通信信号を生成するように構成される。例えば、情報システム2500は、各対象者識別デバイス3000が配置されている個人が、ヘルスケアプロバイダがヘルスサービス活動を行う権限を与えられた個人として識別できない（例えば、各対象者識別デバイス3000が配置されている個人が患者グレッグとして識別できない）場合、1つ以上の通信信号をヘルスケアプロバイダ識別デバイス2000に送信して、ヘルスケアプロバイダ識別デバイス2000が配置されているヘルスケアプロバイダ（例えば、ヘルスケアプロバイダ識別デバイス200によってボブ医師として識別される個人）に警報を出すことができる。一実施形態では、情報システム2500は、外部デバイス2300または他の機器／機器に警報を送信し、それによって、処置が進むのを（例えば、外部デバイス2300の使用を禁止することによって）認めないようにすることができる。一実施形態では、警報は、外部デバイス2300またはヘルスケアプロバイダがアクセスしようとしている他の機器／器具の使用を禁止する1つ以上の制御信号を含むことができる。例えば、ヘルスケアプロバイダが情報システム2500に対してボブ医師として識別されない場合、または個々の対象者が情報システム2500に対して患者グレッグとして識別されない場合、情報システム2500は、外部デバイス2300に制御信号を供給して、外部デバイス2300を無効にするか、または外部デバイス2300を少なくとも部分的にヘルスケアプロバイダにアクセス不能にするように構成することができる。別の実施例では、患者グレッグがボブ医師によって実行される外科的処置を受けるようにスケジュールされ、各対象者識別デバイス3000が、当該各対象者識別デバイス3000が配置されている個人を情報システム2500に対して患者グレッグとして識別し、ヘルスケアプロバイダ識別デバイス2000が、当該ヘルスケアプロバイダ識別デバイス2000が配置されている個人を情報システム2500に対してボブ医師として識別する場合、情報システム2500は、ヘルスケアプロバイダ識別デバイス2000が配置されている個人（すなわち、ボブ医師）が各対象者識別デバイス3000が配置されている個人（すなわち、患者グレッグ）に対して外科的処置を実行する認証に関連する1つ以上の通信信号を生成するように構成され得る。
【０１０６】
一実施形態では、各対象者識別デバイス3000は、個々の対象者の識別を容易にするために、本明細書で説明するシステム100などのシステム（またはデバイス）を含む。本明細書で説明し、図1に示したように、一実施形態では、システム100は、変形可能な基板102、センサアセンブリ104、回路106、およびレポータ108を含む。一実施形態では、変形可能な基板102は、個々の対象者の身体部分の輪郭（例えば、四肢の湾曲）に適合するように構成される。例えば、本明細書に記載されるように、変形可能な基板102は、身体部分と接触しかつ身体部分に適合するように構成された変形可能な材料(例えば、適合可能な材料、可撓性を有する材料、伸縮性を有する材料など)を含むことができる。身体部分は、図1で手として示されているが、システム100は、腕、肘、手首、手、指、脚、膝、足首、足、つま先、顔領域、首領域、胴体領域などを含むがこれらに限定されない任意の身体部分の皮膚表面に配置することができる。変形可能な基板102は皮膚表面に近接して配置することができ、当該配置は様々なメカニズム（接着材料を介して皮膚に貼り付けるメカニズム、身体部分の周りにまたは周囲に巻きつけられる材料（例えば、布地、衣服、手袋、包帯など）によって与えられる圧力などの外圧によって適所に保持されるメカニズム、織物、布地、衣服、アクセサリ（例えば、手袋、ソックス、フィンガーコットなど）に入れて貼り付けられるメカニズムなどを含むがこれらに限定されない）に従って行われる。
【０１０７】
本明細書に記載されるように、センサアセンブリ104は、変形可能な基板102に結合され、システム100が配置されている個々の対象者（例えば、患者）の身体的特徴に関連する1つ以上の検知信号を生成するように配置される。例えば、図2に示されるように、センサアセンブリ104は、個々の対象者の少なくとも1つの身体的特徴に関連する1つ以上の識別検知信号を生成するように構成された1つ以上の識別センサ200を含む。識別センサ200は身体的特徴を検知して、個々の対象者の識別のための基礎を提供することができる、または個々の対象者が観察された身体的特徴に基づいては容易に識別できないと示すことができる。本明細書で記載するように、識別センサ200は、光学センサ202、電磁センサ204、インピーダンスセンサ206、容量センサ208、電気生理学的センサ210、プレチスモグラフセンサ212、抵抗センサ214、バイオセンサ216、または化学センサ218のうちの1つまたは複数を含むことができるが、これらに限定されない。識別センサ200は、個々の対象者の1つ以上の身体的特徴の測定または検知に基づいて1つ以上の識別検知信号を生成することができ、ここで、1つ以上の身体的特徴は、皮膚トポグラフィ特徴（例えば、皮膚表面のパターン、毛包パターン、毛穴パターン、色素沈着など）、血管特性またはレイアウト（例えば、動脈パターン、特性またはレイアウト；静脈パターン、特性またはレイアウトなど）、電流パターン（例えば、光起電力電流パターン）、または皮膚抵抗率測定値を含むことができるが、これらに限定されない。例えば、図3に示されるように、システム100は、身体部分の皮膚表面(図3に手の上面として示される)に位置させることができ、システム100は、識別センサ200を介して、毛包パターン300、毛穴パターン302、皮膚色素沈着または特徴的な皮膚マーク304、または血管パターンまたはレイアウト306のうちの1つまたは複数を検出することができる。次いで、識別センサ200は、センサアセンブリ104の特定のセンサ(例えば、光学センサ202、電磁センサ204、インピーダンスセンサ206など)の構造に基づいて、1つ以上の識別検知信号を生成することができ、このような信号は、測定されたまたは検知された身体的特徴に対応し、個々の対象者の身元が決定され得るかどうかの分析を容易にする。
【０１０８】
本明細書に記載されるように、センサアセンブリ104は、センサアセンブリ104の少なくとも一部が、変形可能な基板102内に埋め込まれるか、変形可能な基板102に固定されるか、変形可能な基板102上に備わっているか、変形可能な基板102上に直接印刷されるか、またはそれらの組み合わせであるように、変形可能な基板102に対して構築されてよい。例えば、識別センサ200の少なくとも一部は、変形可能な基板102内に埋め込まれてもよく、変形可能な基板102に固定されてもよく、変形可能な基板102上に備わっていてもよく、変形可能な基板102上に直接印刷されてもよく、またはそれらの組合せであってもよい。一実施形態では、変形可能な基板102は、伸縮性／可撓性布、エラストマーポリマー、親水コロイドフィルム、膜（例えば、シリコンナノ膜などのナノ膜）、ガス透過性エラストマーシート、または他の適合性物質のうちの1つまたは複数を含んでよい。一実施形態では、センサアセンブリ104、回路106、またはレポータ108のうちの少なくとも1つは、伸縮性／可撓性布、エラストマーポリマー、親水コロイドフィルム、膜（例えば、シリコンナノ膜などのナノ膜）、ガス透過性エラストマーシート、または他の適合性物質のうちの1つまたは複数の少なくとも一部に備わっているように、変形可能な基板102上に備わっている。例えば、センサアセンブリ104、回路106、またはレポータ108のうちの少なくとも1つの少なくとも一部は、変形可能な基板102の少なくとも一部に直接印刷されてよい。一実施形態では、センサアセンブリ104、回路106、またはレポータ108のうちの少なくとも1つは、例えば、伸縮性／可撓性布、エラストマーポリマー、親水コロイドフィルム、膜（例えば、シリコンナノ膜などのナノ膜）、ガス透過性エラストマーシート、または他の適合性物質のうちの1つまたは複数の少なくとも一部内に埋め込まれるといったように、変形可能な基板102内に埋め込まれる。
【０１０９】
一実施形態では、回路106は、システム100が配置されている個々の対象者の1つ以上の身体的特徴に関連付けられた1つ以上の識別検知信号を（例えば、センサアセンブリ104から）受信するように構成され、1つ以上の識別検知信号を分析してよい。例えば、一実施形態では、回路106は、センサアセンブリ104の1つ以上の識別センサ200から1つ以上の識別検知信号を受信するように構成されるように、センサアセンブリ104に動作可能に結合される。一実施形態では、図4に示されるように、回路106は、比較モジュール400を含む。比較モジュール400は、センサアセンブリ104によって生成された1つ以上の識別検知信号を、少なくとも1人の個人の身元に関連付けられた1つ以上の身体的特徴を示す参照データと比較することで、1つ以上の識別信号が少なくとも1人の個人の身元に対応するかどうかを判断するように構成されている。一実施形態では、参照データは、コンピュータメモリデバイス402に格納される。コンピュータメモリデバイス402は、ランダムアクセスメモリ（RAM）、リードオンリメモリ（ROM）、電気的消去可能プログラマブルリードオンリメモリ（EEPROM（登録商標））、フラッシュメモリ、若しくは他のメモリ技術、CD-ROM、デジタルバーサタイルディスク（DVD）、若しくは他の光ディスクストレージ、磁気カセット、磁気テープ、磁気ディスクストレージ、若しくは他の磁気ストレージデバイス、または、任意の他の媒体を含んでよいが、これらに限定されない。任意の他の媒体は、比較モジュール400によって維持される所望の情報を格納するために使用され、回路106または他の関連するアクセスデバイスによってアクセスされるものであってよい。
【０１１０】
本明細書で記載するように、回路106は、センサアセンブリ104からの1つ以上の検知信号を処理するコンポーネントを含む。また、回路106は、1つ以上の識別検知信号に関連付けられるか、1つ以上の識別検知信号と、特定の個人の身元を示す参照データからの1つ以上の身体的特徴との比較に関係付けられるか、回路106によって行われた判断に関係付けられるか、または、他の情報に関連付けられた1つ以上の通信信号を生成するように、レポータ108に命令を与えるコンポーネントを含む。例えば、回路106は、マイクロプロセッサ、中央演算処理装置(CPU)、デジタル信号プロセッサ(DSP)、特定用途向け集積回路(ASIC)、フィールドプログラマブルゲートエントリ(FPGA)、またはこれらの任意の組み合わせを含んでよく、個別のデジタルまたはアナログ回路素子、電子回路、またはこれらの組み合わせを含んでもよい。一実施形態では、回路106は、複数の所定の論理コンポーネントを有する1つ以上のASICを含む。一実施形態では、回路106は、複数のプログラマブル論理コマンドを有する1つ以上のFPGAを含む。コンピュータメモリデバイスは、システム100と統合されてよく、外部デバイスに関連付けられてよく、無線または有線通信プロトコル、またはそれらの組み合わせを介してシステム100によってアクセス可能であってよい。例えば、参照データは、システム100の変形可能な基板102に結合されたコンピュータメモリ702によって記憶されてよく、無線手段を介して回路106によってアクセス可能であってよく、または遠隔ネットワーク、クラウドネットワークなどの別の手段を介して回路106に利用されてよい。一実施形態では、回路106は、システム100の動作または制御を容易にするために、無線通信プロトコルまたは有線通信プロトコルを介して、参照データ情報または他の情報（例えば、対応閾値情報、プログラム情報）を受信する受信機404または送受信機406（例えば、アンテナ等）を含む。例えば、受信機404は、制御プログラミング、認証パラメータ、参照データ、またはクエリ（例えば、システム100から外部デバイスに情報を送信するためのクエリ、センサアセンブリ104を介して識別検知信号の検知を開始するためのクエリなど）に関連付けられた1つ以上の通信信号を、外部デバイスから受信してよい。但し、この通信信号は、これらに限定されない。実施形態では、回路106は、送信機408または送受信機（例えば、アンテナなど）も含むことができ、それにより、システム100のコンポーネント間で情報を送信したり、あるいは当該システムの外部のコンポーネントへ情報を送信することができ、例えば、外部デバイスまたはシステム（例えば、外部デバイス800、外部デバイス2300、情報システム2500、情報システム2800、ヘルスケア識別デバイス2000、ゲストデバイス3200、またはそれらの組み合わせを含むがこれらに限定されない、本明細書に記載の外部デバイスまたはシステム）と通信することができる。このような通信は、例えば、回路106は、参照またはプログラミングデータ、計算プロトコル、システムアップデートなどを記憶する1つ以上のデータベースまたはメモリデバイスにアクセスする旨の指示を含んでよい。
【０１１１】
参照データは、少なくとも1人の個人の身元に関連付けられた1つ以上の身体的特徴を示すデータを含む。例えば、参照データは、個人の身元に関連付けられた皮膚トポグラフィ特徴、個人の身元に関連付けられた皮膚表面パターン、個人の身元に関連付けられた毛包パターン、個人の身元に関連付けられた毛穴パターン、個人の身元に関連付けられた色素沈着パターンまたは特徴、個人の身元に関連付けられた血管レイアウト、個人の身元に関連付けられた電流パターン、個人の身元に関連付けられた光起電力電流パターン、個人の身元に関連付けられた皮膚抵抗率測定値などを含んでよいが、これらに限定されない。例えば、参照データは、第1の人物／個人に関連付けられた1つ以上の身体的特徴、第2の人物／個人に関連付けられた1つ以上の身体的特徴、第3の人物／個人に関連付けられた1つ以上の身体的特徴などを含んでよい。回路106は、センサアセンブリ104からの識別検知信号を参照データと比較するように構成される。例えば、回路106は、比較が対応閾値以上（例えば、所定の信頼区間内）である場合、参照データによって格納された人物／個人の身元が、システム100が配置されている個人に属するものとすることができる。例えば、参照データが患者グレッグ、患者ジョー、および患者リサのそれぞれに関する身体的特徴情報を含む場合、回路106は、センサアセンブリ104からの識別検知信号を比較して、識別検知信号がグレッグ、ジョー、またはリサの身体的特徴情報に対応するかどうかを判定することができる。
【０１１２】
本明細書で記載するように、システム100のレポータ108は、システム100の動作に関連付けられた情報を報告する1つ以上の通信信号を生成するように構成される。一実施形態では、レポータ108は、回路106に動作可能に結合され、回路106による命令に応答して1つ以上の通信信号を生成するように構成される。通信信号は、センサアセンブリ104によって(例えば、1つ以上の識別センサ200を介して)生成される1つ以上の識別検知信号に関連付けられてよく、1つ以上の識別検知信号と、少なくとも1人の個人の身元に関連する1つ以上の身体的特徴との比較(例えば、1つ以上の識別信号が少なくとも1人の個人の身元に対応するかどうかを判断するために回路106によって提供されるような比較)、またはそれらの組み合わせと関連付けられてもよい。例えば、レポータ108は、システム100が配置されている個人が第1の個人に対応すること（例えば、患者グレッグ）を報告することができ、レポータ108は、送信された情報が第2の個人の身体的特徴である（例えば、この情報は、患者ジョーの皮膚トポグラフィ特徴に対応する）ことを報告することができ、レポータ108は、システム100が個人の身元を判定することができない（例えば、センサアセンブリ104によって測定された身体的特徴は、グレッグ、ジョー、またはリサのいずれかに対応しないか、またはグレッグ、ジョー、またはリサのいずれかとの対応閾値を満たさない）ことなどを報告することができる。
【０１１３】
実施形態では、レポータ108は、1つ以上の通信信号を報告し、それによって、外部デバイスまたはシステムによる認証のために個々の対象者を識別したり、個々の対象者が活動を行ったり、処置を受けたり、外部デバイスを操作したりするなどの許可を（例えば、身元、識別検知信号、または関連する比較に基づいて）外部デバイスまたはシステムに要求したり、または、個々の対象者が活動を行ったり、処置を受けたり、外部デバイスを操作したりするなどを少なくとも部分的に許可したりするよう構成される。例えば、レポータ108は、患者グレッグを識別する1つ以上の通信信号を外部デバイスまたはシステムに報告し、それにより、患者グレッグが活動を実行したり、治療を受けたり、外部デバイスを動作させたりなどする権限を外部デバイスまたはシステムに要求したり、または、患者グレッグが活動を実行したり、治療を受けたり、外部デバイスを動作させたりなどする権限を少なくとも部分的に与えることができる。
【０１１４】
一実施形態では、通信信号は、外部デバイスまたはシステム（例えば、外部デバイス800、外部デバイス2300、情報システム2500、情報システム2800、ヘルスケア識別デバイス2000、ゲストデバイス3200、またはそれらの組合せを含むがこれらに限定されない、本明細書に記載の外部デバイスまたはシステム）に報告可能である。例えば、外部デバイスまたはシステムは、演算装置、演算システムまたは演算ネットワーク（例えば、パーソナルコンピューティングデバイス、サーバ、電子ヘルス記録システム、請求システム、スケジューリングシステム、在庫管理システム、クレーム処理システム、管理システムなど）、または電子機器（例えば、医療デバイス、外科デバイス、治療デバイス、補助デバイス、撮像デバイス、リハビリテーションデバイス、薬物デリバリツール、自動販売機、表示デバイス、または他の電子機器などの電子コントローラ）を含むことができるが、これらに限定されない。一実施形態では、システム100は、演算装置に、1つ以上の通信信号を送信することができ、その結果、演算装置は、通信信号内のデータを個人に関連付けることができる。この演算装置は、システム100の一部であるか、またはシステム100が配置される個人に関連付けられた他の部分である1つ以上のウェアラブルセンサからデータを収集する回路またはプログラムのうちの少なくとも1つを有する。システム100は、レポータ108を介して、識別された個人による1つ以上のデバイス、プログラム、デバイス機能などの使用を認証する際に使用するための認証機能を備えた電子コントローラに、識別情報を送信してよい。例えば、システム100は、個人が患者グレッグとして識別される情報を送信することができ、それにより、電子コントローラは、患者グレッグによる1つ以上のデバイス、プログラム、デバイス機能の使用を、その身元に従って容易にすることができる。
【０１１５】
図7に示される実施形態では、レポータ108は、送信機700、送受信機702、または受信機704のうちの1つまたは複数を含む。例えば、本明細書に記載されるように、レポータ108は、1つ以上の通信信号を(例えば、送信機700、送受信機702等を介して)送信するか、または外部デバイスから(例えば、送受信機702、受信機704等を介して)1つ以上の通信信号を受信するうちの少なくとも1つを行うよう構成されたアンテナ構造を含むことができる。外部デバイスからの1つ以上の通信信号は、制御プログラミング、認証パラメータ、参照データ、またはクエリ(例えば、システム100から外部デバイスに情報を送信するためのクエリ)を含むことができるが、これらに限定されない。一実施形態では、センサアセンブリ104は、外部デバイスから1つ以上の通信信号を受信するように構成された送受信機(例えば、送受信機702)または受信機(例えば、受信機704)のうちの1つまたは複数を含む。例えば、外部デバイスからの1つ以上の通信信号は、制御プログラミング、認証パラメータ、参照データ、またはクエリ（例えば、身元または識別検知信号に関連する1つ以上の通信信号のためのクエリ、またはシステム100が配置されている個々の対象者の身体的特徴の検知を開始するためのクエリ）を含むことができるが、これらに限定されない。
【０１１６】
図31Aに示されるように、各対象者識別デバイス3000は、外部デバイス2300と通信するように構成することができる。本明細書に記載するように、外部デバイス2300は、外部デバイス2300による分析のためにレポータ108から通信を受信するように構成される。外部デバイス2300は、レポータ108から1つ以上の通信信号を受信するように構成された受信機2302(例えば、受信アンテナ、送受信機等)を含むことができる。外部デバイス2300はまた、1つ以上の通信信号を、外部デバイス2300を操作する権限を与えられた1人以上のユーザに関連する1つ以上の認証パラメータと比較するように構成された回路2304を含むことができる。例えば、外部デバイス2300は、外部デバイス2300の動作に関連する認証パラメータに関連するデータを維持するコンピュータメモリデバイス2306を含むことができ、またはアクセスすることができる。一実施形態では、1つ以上の認証パラメータは、少なくとも1つのスケジュールパラメータを含む。スケジュールパラメータは、治療スケジュール、回復スケジュール、リハビリテーションスケジュール、術前スケジュール、術後スケジュール、退院スケジュール、それらの任意の組合せなどに関連付けられ得る。例えば、スケジュールパラメータは、処置を受けるようにスケジュールされた1人以上の個人の身元のリスト、治療を受けるようにスケジュールされた1人以上の個人の身元のリスト、外部デバイスを操作するようにスケジュールされた1人以上の個人の身元のリスト、術前許可または制限を有する1人以上の個人の身元のリスト、術後許可または制限を有する1人以上の個人の身元のリスト、治療前許可または制限を有する1人以上の個人の身元のリスト、治療後許可または制限を有する1人以上の個人の身元のリスト、またはそれらの組合せを含むことができるが、これらに限定されない。一実施形態では、2つ以上のスケジュールパラメータが認可に影響を及ぼすことができる。例えば、患者グレッグとして識別された個人は、手術後2日であり得るが、治療（例えば、化学療法治療）もスケジュールされており、したがって、グレッグの手術後許可に優先する治療に関連する制限を有することがある（例えば、手術後の患者は外出が許可されるが、化学療法前の患者はそうではない。認証パラメータとの比較に基づき、グレッグは自動ドアを通って外に出ることが許可されない）。一実施形態では、1つ以上の認証パラメータは、外部デバイスを操作することを許可された1人または複数の個人の参照身体的特徴のリストを含むことができる。例えば、ピーナッツアレルギーのない患者が自動販売機を操作することを許可される場合、グレッグとして識別される個人は、グレッグがピーナッツアレルギーを有する場合、自動販売機を操作することを許可されない。一実施形態では、1つ以上の認証パラメータは、時間によって影響を受けるスケジュールパラメータ（例えば、1時間後、2時間後、3時間後、……、1日後、2日後、3日後、……、1週間後、2週間後、3週間後などの様々な許可／制限）を含むことができる。例えば、グレッグとして識別された個人が手術後1日である場合、その個人は、歩行デバイスを操作する権限を与えられ、グレッグとして識別された個人が手術後3日である場合、その個人は、クラッチまたはケーンデ��イスを操作する権限を与えられ得るが、もはや歩行デバイスを操作する権限を与えられない。一実施形態では、外部デバイス2300は、変形可能な基板102が配置されている個々の対象者の身元を示す通信信号をレポータ108から受信することができ、それによって、外部デバイス2300は、個人の身元を、メモリ2306に格納された認証パラメータと（例えば、回路2304を介して）比較して、識別された個人が外部デバイス2300を操作することを認可されているかどうかを判断したり、識別された個人が外部デバイス2300のどの機能を操作することを認可されているかどうかを判断したりすることなどができる。認証パラメータが識別されたデバイスまたはシステムのリストを含む実施形態では、そのようなデバイスまたはシステムは、例えば個々の対象者との相互作用なしに、外部デバイス2300の特徴の一部を自動的に操作することができる。一実施形態では、外部デバイス2300は、身元または識別検知信号と1つ以上の認証パラメータとの比較に基づいて、または変形可能な基板102が配置されている個人が外部デバイス2300に対して当該外部デバイス2300を操作する許可を有すると識別されるかどうかに基づいて、外部デバイス2300の少なくとも一部をオンまたはオフにするか、または外部デバイス2300の1つ以上の機能を部分的に有効化または無効化する制御スイッチ2308を含む。
【０１１７】
本明細書に記載し図10に示したように、一実施形態では、回路106は、識別比較モジュール1000および認証比較モジュール1002を含むことができる。識別比較モジュール1000は、センサアセンブリ104によって生成された1つ以上の識別検知信号を、少なくとも1人の個人の身元に関連する1つ以上の身体的特徴を示す参照データと比較して、1つ以上の識別検知信号が上記少なくとも1人の個人の身元に対応するかどうかを判定するように構成される。例えば、識別比較モジュール1000は、本明細書に記載される比較モジュール400に類似するか、またはそれと同一の構造および機能を含み得る。少なくとも1人の個人の身元に関連する1つ以上の身体的特徴を示す参照データは、回路106、識別比較モジュール1000、または認証比較モジュール1002によってアクセス可能なコンピュータメモリデバイス1004に格納することができる。例えば、コンピュータメモリデバイス1004は、特定の身元に帰属する身体的特徴(例えば、第1の身元と関連しかつ第1の身元に固有の皮膚トポグラフィ特徴、第2の身元と関連しかつ第2の身元に固有の皮膚トポグラフィ特徴など)に関連付けられた身元(例えば、個人の名前)のリストに関連したデータを格納することができる。認証比較モジュール1002は、1つ以上の識別検知信号、または少なくとも1人の個人の身元の少なくとも1つを、1つ以上の認証パラメータと比較するように構成される。一実施形態では、認証比較モジュール1002は、システム100が配置されている個々の対象者に関連する1つ以上の識別検知信号、または個々の対象者の身元のうちの少なくとも1つを、1つ以上の認証パラメータと比較するように構成される。一実施形態では、1つ以上の認証パラメータは、少なくとも1つのスケジュールパラメータを含む。スケジュールパラメータは、治療スケジュール、回復スケジュール、リハビリテーションスケジュール、術前スケジュール、術後スケジュール、退院スケジュール、それらの任意の組合せなどに関連付けられ得る。例えば、スケジュールパラメータは、処置を受けるようにスケジュールされた1人以上の個人の身元のリスト、治療を受けるようにスケジュールされた1人以上の個人の身元のリスト、外部デバイスを操作するようにスケジュールされた1人以上の個人の身元のリスト、術前許可または制限を有する1人以上の個人の身元のリスト、術後許可または制限を有する1人以上の個人の身元のリスト、治療前許可または制限を有する1人以上の個人の身元のリスト、治療後許可または制限を有する1人以上の個人の身元のリスト、またはそれらの組合せを含むことができるが、これらに限定されない。
【０１１８】
一実施形態では、レポータ108は、回路106による命令に応答して1つ以上のの通信信号を生成するように構成される。1つ以上の通信信号は、1つ以上の識別検知信号と、1つ以上の認証パラメータ、または1つ以上の認証パラメータを有する少なくとも1人の個人の身元との比較の少なくとも一方に関連付けられる。例えば、1つ以上の通信信号が、1つ以上の識別検知信号と1つ以上の認証パラメータとの比較に基づく場合には、認証比較モジュール1002は、1つ以上の識別検知信号を、メモリ1004に記憶された認証パラメータと直接比較してよい。認証パラメータは、認証された個人の身体的特徴のリストを含んでよい。この場合、識別検知信号が、メモリに記憶された、権限が与えられた個人の身体的特徴と一致するときに、個々の対象者に対して権限を与えることができる。例えば、認証（許可、認可）は、個人がシステム100を利用する権限を与えられること、または個人が外部デバイスを使用する権限を与えられること（例えばこの場合、個々の対象者が、外部デバイスを動作させる権限を与えられた個人のリストにおける1つの身元に、実質的に一致する）、またはシステム100が完全に機能できること（例えば、情報を送信できる）、または権限が与えられた個人が利用できるシステム100の機能の一部が有効化される（使用可能になる）を含むことを含んでよいが、これらに限定されない。1つ以上の通信信号が、少なくとも1人の個人の身元と、1つ以上の認証パラメータとの比較に基づく場合、識別比較モジュール1000は、最初に、1つ以上の識別検知信号に基づいて個人を識別することができる。それによって、認証比較モジュール1002は、（例えば、権限が与えられた個人または身元のリストを有する参照データと、身元を比較することによって）識別され、権限が与えられた個人であるかどうかを決定することができる。一実施形態では、1つ以上の認証パラメータが、権限が与えられた1人のユーザに対応する場合、識別比較モジュール1000および認証比較モジュール1002は、識別後の自動的な認証のための単一のモジュールとして組み込まれてよい。
【０１１９】
一実施形態では、図11に示されるように、回路106は、センサアセンブリ104によって生成された1つ以上の識別検知信号を、個人の身体的状況に関連する1つ以上の身体的特徴を示す参照データと比較して、個々の対象者が外部デバイスを操作する権限を与えられているかどうかを判断するように構成された比較モジュール1100を含む。例えば、メモリ1004は、身体的状況に関連する参照データを格納することができる。該身体的状況として、バイタルステータス(例えば、生存状態または死亡状態を示す生理学的参照データ、疲労状態またはストレス状態に関連する生理学的データなど)または機能ステータス(例えば、身体的状態、精神的状態など)が挙げられるが、これらに限定されない。一実施形態では、比較モジュールは、システムの他のセンサ(例えば、生理学的センサ900、近接センサ902、コンタクトセンサ904、圧力センサ906、または温度センサ908のうちの1つまたは複数)からの検知信号を比較して、個人の生命ステータスまたは機能ステータスを判定する。機能ステータスに関連する1つ以上の身体的特徴を示す参照データは、（例えば、薬物またはアルコールによる）酩酊または中毒といった化学的または生物学的指標、物質（例えば、毒素、毒物、処方薬）の有無、血液酸素レベル、動き、動きのパターン、または動きの欠如（例えば、意識状態の指標または微細な運動技能の低下の指標として）などを含むことができるが、これらに限定されない。生命ステータスまたは機能ステータスは、識別された個人が外部デバイスの動作に適した状態にあるかどうかに関する指標として機能することができる。個々の対象者は認証されて外部デバイス（例えば、外部デバイス2300）を使用する権限を与えられるかもしれないが、個人の現在の状態によっては、外部デバイスの全体的または部分的な操作は除外されるかもしれない。例えば、システム100のセンサは、個々の対象者が血圧が高く、そのためコーヒーを摂取するのは安全ではないことを検出してもよく、この場合、個々の対象者は、血圧が高くなければ、自動販売機からコーヒーを受け取る権限を有する（例えば、患者グレッグは、カフェインおよび熱い液体を摂取する権限を有する個人のリストにある）。別の実施例では、個々の対象者に歩行デバイスを操作する権限を与えてもよいが、システム100のセンサは、個々の対象者が起立性低血圧（起立時の低血圧）を経験しており、その特定の時刻に個々の対象者が歩くのは危険だと検出してもよく、それにより使用の許可が妨げられる。一実施形態では、システム100は、スケジュールパラメータ（例えば、処置のスケジュール）、個々の対象者のログされた活動状態（例えば、ログされた処置、ログされた食品、液体、または薬物の摂取、外部デバイスのログされたモビリティまたは操作など。これらはロギングモジュール3002によって格納され得る）、タイミング情報（例えば、チェックイン時間、睡眠／休止時間、活動時間など）などに基づいて、個々の対象者の状態を判定するように構成される。例えば、システム100は、患者がこの2時間以内にX線を受けていると判定することができ、従って、2時間が経過するまで、さらなるX線治療の許可を妨げる。別の実施例では、患者のログされた活動状況は、患者が何回の治療または���療曝露を受けたか（例えば、X線治療、総放射線曝露、患者に対する総放射線曝露等）を含むことができ、システム100は、X線治療または総放射線曝露の回数に基づいて、別の治療、患者の活動、患者の摂取量、患者の訪問等を許可したり許可を妨げたりすることができる（例えば、患者が24時間で2つの治療（例えば、放射線治療）を受けたため、12時間が経過するまで第3の治療を受けることができない）。別の実施例では、システム100は、患者が過去24時間に装置を使用したか否か、患者が最後に使用した時の装置の設定などに基づいて、患者が装置を使用することを許可されていると判定することができる。別の実施例では、患者のログされた活動状況は、患者が08：00に処置の準備をしており、したがって、患者は10：00までに処置を受ける必要があるという情報を含むことができる。10：00後、システム100は、ヘルスケアプロバイダがもはや処置を開始する権限がないと判定してもよい。一実施形態では、回路106は、1つ以上の識別検知信号と、個人の機能ステータスに関連付けられた1つ以上の身体的特徴を示す参照データとの間の対応関係が機能対応閾値を上回ることに応答して、外部デバイスの少なくとも一部を個々の対象者が操作する許可を防止するように構成される。例えば、機能対応閾値は、外部デバイスの操作のための身体的特徴の安全閾値(例えば、血中アルコール含有量、投薬濃度など)に関係し得る。一実施形態では、回路106は、1つ以上の通信信号を生成または送信するようにレポータ108に指示しないことによって、個々の対象者の許可を防止する。一実施形態では、回路106は、外部デバイスの操作を部分的に許可し、それにより、外部デバイスの機能の一部のみが個々の対象者に操作可能であるようにできる。例えば、個々の対象者が識別され、スマートフォンを使用する権限が与えられ、個々の対象者が1つ以上の薬剤の結果として機能ステータスが減少すると判定される場合、回路106は、その対象者にインターネット閲覧機能を使用することを許可するが、メッセージング機能を使用することは妨げることができる。
【０１２０】
本明細書で説明され、図12に示されるように、一実施形態では、レポータ108は、レポータ108の出力に関連付けられた視覚的指示を提供するように構成された表示デバイス1200を含む。例えば、表示デバイス1200は、1つ以上の発光素子1202（例えば、発光ダイオード、ポリマー発光ダイオード(PLED)、レーザ、または他の光源）を含んでよい。発光素子1202は、1つ以上の識別検知信号と1つ以上の認証パラメータとの間での比較、または、少なくとも1人の個人の身元と1つ以上の認証パラメータとの間での比較の少なくとも一方に対応する所定パターンの光を提供するように構成される。所定パターンの光は、光強度または輝度、色、形状、または別個のパターン間で識別可能な他の特徴に関連付けられたパターンを含んでよい。一実施形態では、所定パターンは、1つ以上の識別検知信号と1つ以上の認証パラメータとの間での対応関係、または、少なくとも1人の個人の身元と1つ以上の認証パラメータとの間での対応関係の少なくとも一方が対応閾値未満であること（例えば、センサアセンブリ104によって測定される身体的特徴は、権限が与えられた個人に対応しない）に関連付けられた第1のパターンを含む。また、所定パターンは、1つ以上の識別検知信号と1つ以上の認証パラメータとの間での対応関係、または、少なくとも1人の個人の身元と1つ以上の認証パラメータとの間での対応関係の少なくとも一方が少なくとも対応閾値であること（例えば、センサアセンブリ104によって測定される身体的特徴は、権限が与えられた個人に対応する）に関連付けられた第2のパターンを含む。例えば、レポータ108は、個々の対象者が外部デバイスを動作させる権限を与えられていない場合、表示デバイスを介して第1のパターン（例えば、第1の強度、第1の色、第1の形状など）を表示してよい。また、個々の対象者が外部デバイスを動作させる権限を与えられている場合、別個の第2のパターン（第2の強度、第2の色、第2の形状など）を表示してよい。システム100はまた、1つ以上の有機光検出器(OPD)のような1つ以上の光検出器を含んでよい。光検出器は、身体部分によって反射または屈折された光のような、表示デバイス1200および／またはセンサアセンブリ104からの光を検出するためものである。例えば、システム100は、ポリ（3-ヘキシルチオフェン)(P3HT）：（6，6）-フェニル-C61-酪酸メチルエステル（PCBM）の活性層を含む有機光検出器を含んでよい。
【０１２１】
一実施形態では、表示デバイス1200は、1つ以上の音放出素子1204（例えば、スピーカ、音源、または他の音源）を含んでよい。音放出素子1204は、1つ以上の識別検知信号と1つ以上の認証パラメータとの比較、または、少なくとも1人の個人の身元と1つ以上の認証パラメータとの比較の少なくとも一方に対応する所定パターンの音を提供するように構成される。所定パターンの音は、音の強さ、可聴および不可聴の位相、または別個のパターン間で識別可能な他の特徴に関連付けられたパターンを含んでよい。一実施形態では、所定パターンは、1つ以上の識別検知信号と1つ以上の認証パラメータとのの間での対応関係、または、少なくとも1人の個人の身元と1つ以上の認証パラメータとの間での対応関係の少なくとも一方が対応閾値未満であること（例えば、センサアセンブリ104によって測定される身体的特徴は、権限が与えられた個人に対応しない）対応関係に関連付けられた第1のパターンを含む。所定パターンは、1つ以上の識別検知信号と1つ以上の認証パラメータとの間での対応関係、または、少なくとも1人の個人の身元と1つ以上の認証パラメータとの間での対応関係の少なくとも一方が少なくとも対応閾値であること（例えば、センサアセンブリ104によって測定される身体的特徴は、権限が与えられた個人に対応する）対応関係に関連付けられた第2のパターンを含む。例えば、レポータ108は、個々の対象者が外部デバイスを動作させる権限を与えられていない場合、表示デバイスを介して第1のパターン（例えば、第1の強度、第1の可聴／不可聴のパターンなど）を示してよい。また、レポータ108は、個々の対象者が外部デバイスを動作させる権限を与えられている場合、別個の第2のパターン（第2の強度、第2の可聴／不可聴のパターンなど）を示してよい。
【０１２２】
一実施形態では、表示デバイス1200は、レポータ108の出力に関連付けられた視覚的指示を提供するように構成された投影ディスプレイ1206を含む。例えば、投影ディスプレイ1206は、1つ以上の識別検知信号と1つ以上の認証パラメータとの比較、または、少なくとも1つの個人の身元と1つ以上の認証パラメータとの比較の少なくとも一方に対応する投影画像（例えば、皮膚表面、衣類または衣服、壁または支持表面、スクリーン、ドレープなどに投影される画像）を提供するように構成されてよい。
一実施形態では、回路106は、変形可能な基板102が個々の対象者の皮膚表面から除去されたかどうかを判断するように構成される。例えば、システム100は、センサアセンブリ104の一部として、またはセンサアセンブリ104とは異なる、またはそれらの組み合わせである、歪みゲージまたは近接センサのうちの1つまたは複数を含んでよい。歪みゲージまたは近接センサは、変形可能な基板102が個々の対象者の皮膚表面から除去されたかどうかを検知するように構成される。例えば、システム100は、変形可能な基板102の皮膚表面からの除去に対応する歪みまたは距離測定に関連付けられた参照データを記憶するコンピュータメモリデバイスを含んでよい。回路106は、歪みゲージまたは近接センサからの出力をこのような参照データと比較して、変形可能な基板102が除去されたかどうかを判断してよい。一実施形態では、回路106は、変形可能な基板102が、個々の対象者の皮膚表面とは異なる皮膚表面に適用されたかどうかを判断するように構成される。例えば、システム100は、センサアセンブリ104によって第1の時刻に得られた1つ以上の識別検知信号をコンピュータメモリデバイスに記憶してよい。それにより、回路106は、センサアセンブリ104によって第2の時刻に得られた1つ以上の識別検知信号と、センサアセンブリ104によって第1の時刻に得られて保存された識別検知信号とを比較して、信号が実質的に異なるか否かを判断することができる。信号が皮膚特性を対象としている場合、異なる時刻に得られる信号間の実質的な差異は、皮膚表面が第1の時刻と第2の時刻との間で異なることを示すことができ、第1の時刻と第2の時刻との間で異なる個人間でシステム100が移動したことを示すことができる。
【０１２３】
レポータ108は、識別または認証のうちの1つまたは複数を含む様々なシナリオに応答して、1つ以上の通信信号を生成してよい。例えば、一実施形態において、レポータ108によって生成される1つ以上の通信信号は、1つ以上の識別検知信号と、少なくとも1人の個人の身元に関連付けられた1つ以上の身体的特徴を示す参照データとの間での対応関係が対応閾値未満であることに応答した、外部デバイスを動作させるための個々の対象者の認証の欠如に対応する。例えば、回路106が、（例えば、識別比較モジュール1000を介して）システム100が配置されている個々の対象者を識別することができない場合、レポータ108は、通信信号を介して、個々の対象者が外部デバイスを動作させる権限を与えられていないことを、そのような個人が認識できないことに基づいて報告することができる。一実施形態では、回路106が、（例えば、識別比較モジュール1000を介して）システム100が配置されている個々の対象者を識別することができない場合、回路106は、レポータ108による通信信号の生成を防止する（例えば、1つ以上の通信信号の生成に関する回路106からレポータ108への命令がない）。一実施形態では、レポータ108によって生成される1つ以上の通信信号は、（i）1つ以上の識別検知信号と、少なくとも1人の個人の身元に関連付けられた1つ以上の身体的特徴を示す参照データとの間での対応関係が少なくとも対応閾値であること、および（ii）1つ以上の識別検知信号または少なくとも1人の個人の身元の少なくとも一方と、1つ以上の認証パラメータとの間での対応関係が少なくとも対応閾値であること、の両方に応答した、外部デバイスを動作させるための個々の対象者の認証に対応する。例えば、回路106が、システム100が配置されている個々の対象者を（例えば、識別比較モジュール1000を介して）識別することができ、回路106が、システム100が配置されている個々の対象者に（例えば、認証比較モジュール1002を介して）外部デバイスの動作に対して権限を与えることができる場合には、レポータ108は、通信信号を介して、個々の対象者が外部デバイスを動作させる権限、あるいは個々の対象者の認証を必要とする他の任意の活動に参加する権限を与えられていることを報告してよい。
【０１２４】
一実施形態では、レポータ108は、通信信号の静的な出力を提供するように構成される。一実施形態では、レポータ108は、1つ以上の通信信号を連続的に生成するように構成される。一実施形態では、レポータ108は、通信信号の動的な出力を提供するように構成される。一実施形態では、レポータ108は、外部デバイスまたはシステム（例えば、本明細書に記載の外部デバイスまたはシステム。外部デバイス800、外部デバイス2300、情報システム2500、情報システム2800、ヘルスケア識別デバイス2000、ゲストデバイス3200、またはそれらの組み合わせを含むが、それらに限定されない）からのクエリに応答して、1つ以上の通信信号を生成するように構成される。一実施形態では、レポータ108は、レポータ108と外部デバイスまたはシステム（例えば、本明細書に記載の外部デバイスまたはシステム。外部デバイス800、外部デバイス2300、情報システム2500、情報システム2800、ヘルスケア識別デバイス2000、ゲストデバイス3200、またはそれらの組み合わせを含むが、それらに限定されない）との間の接近に応答して、1つ以上の通信信号を生成するように構成される。例えば、システム100は、レポータ108と外部デバイスまたはシステム（例えば、本明細書に記載の外部デバイスまたはシステム。外部デバイス800、外部デバイス2300、情報システム2500、情報システム2800、ヘルスケア識別デバイス2000、ゲストデバイス3200、またはそれらの組み合わせを含むが、それらに限定されない）との間の近接を示す検知信号を生成するように構成された近接センサ（例えば、近接センサ902）を含んでよい。回路106は、近接センサからの検知信号を参照データ（例えば、近接閾値）と比較して、レポータ108および外部デバイスまたはシステムが、レポータ108から外部デバイスまたはシステムへの通信信号の送信を開始するのに十分に近いかどうかを判断してよい。そして、回路106は、レポータ108および外部デバイスまたはシステムが近接閾値内にあると判断した場合、1つ以上の通信信号を生成するようにレポータ108に命令してよい。
【０１２５】
本明細書で説明し、図30Bに示すように、各対象者識別デバイス3000は、情報システム2500と通信するように構成することができる。情報システム2500は、レポータ108から1つ以上の通信信号を（例えば、通信インターフェース2504を介して）受信するように構成することができる。情報システム2500はまた、1つ以上の通信信号を1つ以上の認証パラメータと比較するように構成された回路（例えば、プロセッサ2512）を含むことができる。例えば、データベース2516は、外部デバイスの操作、アクセス情報（例えば、患者の健康記録、請求情報、在庫データなど）に関連する認証パラメータに関連するデータを保持することができる。一実施形態では、情報システム2500は、変形可能な基板102が配置されている個々の対象者の身元を示す通信信号をレポータ108から受信することができ、それによって、情報システム2500は、当該身元を、メモリ2514に格納された認証パラメータと（例えば、プロセッサ2512を介して）比較して、個々の対象者が、治療を受けること、外部デバイスを操作すること、または情報システム2500を介して情報にアクセスすること、または個々の対象者の認証を必要とする任意の他の活動を行う権限を与えられているかどうかを判定することができる。
【０１２６】
一実施形態では、情報システム2500は、個々の対象者が、治療を受けること、外部デバイスを操作すること、または情報システム2500を介して情報にアクセスすること、またはヘルスケアプロバイダの認証を必要とする任意の他の活動を行う権限を与えられているかどうかに関連付けられた1つ以上の通信信号を（例えば、通信インターフェース2504を介して）生成することができる。例えば、情報システム2500は、1以上の通信信号を（例えば、通信インターフェース2504を介して）各対象者識別デバイス3000または外部デバイスまたはシステム（例えば、外部デバイス800、外部デバイス2300、ヘルスケアプロバイダ識別デバイス2000、第2の情報システム2800など）に送信することができる。一実施形態では、情報システム2500は、1つ以上の認証パラメータを、各対象者識別デバイス3000または外部デバイスもしくはシステム（例えば、外部デバイス800、外部デバイス2300、ヘルスケアプロバイダ識別デバイス2000、または第2の情報システム2800など）に（例えば、通信インターフェース2504を介して）送信することができ、それによって、1つ以上の認証パラメータを受信するデバイスまたはシステムは、1つまたは複数の認証パラメータと、システム100が配置されている個々の対象者に関連付けられた身元または識別検知信号との間の比較を実行することができる。
【０１２７】
一実施形態では、システム100の回路106は、システム100のメモリデバイスに（例えば、本明細書で説明するメモリ402またはメモリ1004などに）個々の対象者の少なくとも1つの活動状況を格納するように構成されたロギングモジュール3002を含む。例えば、ロギングモジュール3002は、治療を受けること、外部デバイスを操作すること、場所、時間、日付、それらの任意の組合せ等に対応する情報を含む、個々の対象者の少なくとも1つの活動状態を格納するように構成することができる。実施形態では、ロギングモジュール3002は、個々の対象者の少なくとも1つの活動状況を格納するよう構成することができ、該活動状況として、個々の対象者に対して行われた処置に対応する情報、個々の対象者によって操作された外部デバイスに対応する情報、個々の対象者によって使い尽くされた供給品（例えば、医療用品）に対応する情報、個々の対象者によって摂取された食物または飲料に対応する情報、個々の対象者が受けた治療に対応する情報、活動（例えば、睡眠、歩行、テレビ視聴など）に対応する情報、投薬量、時期などに対応する情報、個々の対象者に対してサービスを実行したヘルスケアプロバイダに対応する情報、またはそれらの任意の組合せが挙げられるが、これらに限定されない。一実施形態では、レポータ108は、個々の対象者のログされた活動状況に関連付けられた1つ以上の通信信号を生成するように構成される。レポータ108は、ヘルスケアプロバイダのログされた活動状況に関連付けられた1つ以上の通信信号を情報システム2500に通信するように構成され得る。例えば、レポータ108は、患者グレッグとして識別された個人がスケジュールされた外科的処置を受けたことを示す1つ以上の通信信号を情報システム2500に送信することができる。患者グレッグとして識別された個人が予定された外科的処置を受けたことを示す情報システム2500に応答して、情報システム2500は、1つ以上のデータベースエントリを更新（例えば、処置を説明するための課金情報に対する更新、在庫情報に対する更新（例えば、処置のために使い尽くされた供給品に基づく更新）、個々の対象者用の患者情報に対する更新（例えば、電子ヘルス記録に対する更新）、個々の対象者用のスケジューリング情報に対する更新（例えば、術後スケジュールを生成する）など）することができる。
【０１２８】
図31Bに示されるように、情報システム2500は、各対象者識別デバイス3000および外部デバイス2300と通信することができる。一実施形態では、情報システム2500は、各対象者識別デバイス3000と外部デバイス2300との間のネットワーク接続を容易にするように構成される。一実施形態では、情報システム2500は、各対象者識別デバイス3000から受信した1つ以上の通信信号に基づいて、外部デバイス2300の機能を制御するための1つ以上の通信信号を提供するように構成される。例えば、各対象者識別デバイス3000は、個々の対象者の身元または識別検知信号に関連する1つ以上の通信信号を情報システム2500に送信することができ、それによって、情報システム2500は、1つ以上の認証パラメータとの比較を実行することができる。情報システム2500は、個々の対象者が上記比較に基づいて外部デバイス2300を完全にまたは部分的に操作することを可能にする1つ以上の通信信号を外部デバイス2300に送信することができる。例えば、情報システム2500は、各対象者識別デバイス3000が配置されている個人を患者グレッグとして識別できると示す1つ以上の通信信号を各対象者識別デバイス3000から受信することに基づいて、外部デバイス2300を操作モードにする1つ以上の通信信号を送信することができる（グレッグは、外部デバイス2300を操作する権限を与えられた個人のリストに含まれている）。
【０１２９】
レポータ108は、各対象者識別デバイス3000が配置されている個人の身元に関連付けられた1つ以上の通信信号を様々なシナリオで送信するように構成することができる。一実施形態では、レポータ108は、情報システム2500に1つ以上の通信信号を送信して、対象者を情報システム2500に対して識別するように構成される。例えば、レポータ108は、情報システム2500に対して個人を患者グレッグとして識別する1つ以上の通信信号を送信することができ、それにより、情報システム2500は、データエントリを患者グレッグに関連付けたり、患者グレッグに関連付けられた情報へのアクセスを個人に与えたりすることができる。一実施形態では、レポータ108は、情報システム2500に1つ以上の通信信号を送信して、個々の対象者に関連付けられた情報システムエントリを検証するように構成される。例えば、レポータ108は、1つ以上の通信信号を情報システム2500に送信して、当該エントリが識別された個人によって入力されたまたは識別された個人のために入力されたと認証することができる。一実施形態では、レポータ108は、情報システム2500からのクエリに応じて、1つ以上の通信信号を情報システム2500に送信するように構成される。例えば、情報システム2500は、各対象者識別デバイス3000に照会して、各対象者識別デバイス3000が配置されている個人が、外部デバイスを操作する権限を与えられた個人であるかどうかを判定することができる。実施形態では、情報システム2500は、行動または活動、個人に対するサービス、外部デバイスの使用、情報へのアクセスを許可する前に、または定期的に、各対象者識別デバイス3000に照会することができる（例えば、各対象者識別デバイス3000が配置されている個人が依然として患者グレッグとして識別され得ることを確認するため）。
【０１３０】
各対象者識別デバイス3000は、情報システム2500から通信信号を受信するように構成することもできる。一実施形態では、回路106は、情報システム2500から1つ以上の認証パラメータを（例えば、受信機404または送受信機406を介して）受信するように構成される。例えば、情報システム2500は、各対象者識別デバイス3000が操作可能な1人以上の個人用の認証パラメータを提供することによって、各対象者識別デバイス3000をプログラムすることができる。例えば、各対象者識別デバイス3000は、情報システム2500から個人（例えば、患者グレッグ、患者ジョー、および患者リサ）のリストに関連する認証パラメータを受信するように構成することができる。回路106は、情報システム2500から受信した1つ以上の認証パラメータをシステム100のメモリ（例えば、メモリ402）に格納するように構成することができる。
【０１３１】
各対象者識別デバイス3000は、単回使用デバイス、複数回使用デバイス、使い捨てデバイス、リサイクル可能なデバイス、再構成可能なデバイスなどとして構成することができる。一実施形態では、各対象者識別デバイス3000は、単回使用デバイスとして構成される。例えば、回路106は、単回の活動を許可するか、または変形可能な基板102が配置されている個人に関連する識別検知信号と参照データとの間の単回の比較を提供するように構成することができる。一実施形態では、各対象者識別デバイス3000を個々の対象者の身体部分の皮膚表面に取り付けるための接着剤（例えば、接着剤1300）は、単回使用用途のために構成されてもよく、それによって、各対象者識別デバイス3000が皮膚表面に接着され、次いで除去された後、接着剤は、もはや各対象者識別デバイス3000を皮膚表面に取り付けることができない。一実施例では、個々の対象者は、各処置又は他のスケジュールされた活動の前に、新しい各対象者識別デバイス3000を受け取ることができる。一実施形態では、回路106は、単一の個々の対象者に対して1つ以上の活動を許可するように構成される。例えば、回路106は、患者グレッグとして識別された個人に、1つの処置を受ける、1つの治療を受ける、1つの外部デバイスを操作するなどのことを許可するように構成することができる。一実施例では、個々の対象者が、識別および認証を必要とする活動を実行することを認証される前に、新しい各対象者識別デバイス3000を受け取ることができる。一実施形態では、回路106は、個々の対象者に対して複数の活動を許可するように構成される。例えば、回路106は、患者グレッグとして識別された個人に、1つ以上の処置を受ける、1つ以上の治療を受ける、または1つ以上の外部デバイスを操作することを許可するように構成することができる。一実施形態では、回路106は、所定の期間にわたって1つ以上のヘルスサービス活動を許可するように構成される。例えば、回路106は、患者グレッグとして識別された個人に、1つ以上の処置を受ける、1つ以上の治療を受ける、または所定の時間内（例えば、1時間内、4時間内、12時間内、1日内、1週間内など）に1つ以上の外部デバイスを操作することを許可するように構成することができる。一実施例では、個々の対象者は、毎日または毎朝、毎午後、毎夕、毎夜などのタイミングで、新しい各対象者識別デバイス3000を受け取ることができる。一実施形態では、回路106は、スケジュールに基づいて1つ以上の活動を許可するように構成される。例えば、回路106は、各対象者識別デバイス3000が配置される個々の対象者の所定のスケジュールに基づく認証パラメータを備えて構成することができる。例えば、回路106は、治療スケジュール、回復スケジュール、リハビリテーションスケジュール、術前スケジュール、術後スケジュール、退院スケジュール、それらの任意の組合せ等に基づく認証パラメータで構成することができる。
【０１３２】
一実施形態では、各対象者識別デバイス3000は、1つまたは複数の通信信号を情報システム2500に（例えば、レポータ108を介して）送信して、個々の対象者を識別し、個々の対象者の位置を報告するように構成される。次いで、情報システム2500は、訪問者を個々の対象者へ案内することができる。一実施形態では、情報システム2500は、1つ以上の通信信号を別の情報システム2800に送信して、情報の少なくとも一部を伝えることができる。例えば、各対象者識別デバイス3000は、患者グレッグを識別し、患者グレッグに関連する部屋番号を病院管理システムに提供することができ、そこで、病院管理システムは、この情報をスケジューリングシステムに通信して、グレッグに関連するスケジュール情報を更新または受信することができる。一実施例では、訪問者が患者グレッグを訪問しに来院すると、病院管理システムは訪問者を記録し、訪問者を患者グレッグに関連付けることができる。次いで、病院管理システムは、訪問者を患者グレッグへ案内することができる。場合によっては、病院管理システムは、患者グレッグに関するスケジューリングシステムからの情報（例えば、グレッグは、化学療法治療を受けたあとであり、2時間は訪問者と面会できない）に基づいて、訪問者に対する許可を拒否することができる。一実施形態では、情報システム2500は、患者の状態（例えば、患者は診察時間外である）、患者の位置、訪問者の許可／制限などに関連する1つ以上の通信信号を、ゲストデバイス、例えば、モバイルデバイス（例えば、スマートフォン、タブレットなど）または本明細書で説明するゲスト識別デバイス3200に送信することができる。
【０１３３】
図32Aおよび32Bに示される実施形態では、ゲスト識別デバイス3200は、外部システムまたはデバイス（例えば、外部デバイス800、外部デバイス2300、情報システム2500、情報システム2800、ヘルスケア識別デバイス2000、ヘルスケア識別デバイス2900、各対象者識別デバイス3000、またはそれらの組み合わせを含むがこれらに限定されない、本明細書で説明される外部デバイスまたはシステム）と通信するように構成され得る。ゲスト識別デバイス3200は、ヘルスケアプロバイダ識別デバイス2000または各対象者識別デバイス3000と同一または類似の構造および機能を有することができる。例えば、ゲスト識別デバイス3200は、ゲスト識別デバイス3200が配置されている個人（例えば、訪問者）の識別を容易にするために、本明細書に記載のシステム100のようなシステムを含むこともできる。一実施形態では、ゲスト識別デバイス3200は、個人の身元に関連付けられた、または個人の1つ以上の身体的特徴に対応する識別検知信号に関連付けられた、1つ以上の通信信号を（例えば、レポータ108を介して）生成するように構成される。図32Aに示す実施形態では、ゲスト識別デバイス3200は、情報システム2500と通信するように構成される。情報システム2500は、ゲスト識別デバイス3200が配置されている個人の身元に関連付けられた1つ以上の通信信号を受信するように構成することができる。一実施形態では、情報システム2500は、通信信号を1つ以上の認証パラメータと比較し、その比較に基づいて通信信号を生成するように構成される。例えば、情報システム2500は、訪問者が近親者のリストに含まれる個人として識別されたときに、訪問者が集中治療室に入ることを許可する1つ以上の通信信号を生成することができる。図32Bに示されるように、ゲスト識別デバイス3200は、外部デバイス2300と通信するように構成され得る。一実施形態では、ゲスト識別デバイス3200、情報システム2500、または外部デバイス2300のうちの少なくとも1つは、ゲスト識別デバイス3200が配置されている個人に関連付けられた身元または識別検知信号を1つ以上の認証パラメータと比較して、当該個人が外部デバイス2300を操作する権限を与えられているかどうかを判定することができる。例えば、ゲスト識別デバイス3200が配置されている個人は、当該個人が甥のビリー（患者の甥）として識別される場合、調節可能な病院ベッドに横たわる患者のために当該病院ベッドを操作する権限を与えられることができる。
【０１３４】
図33は、ヘルスケアプロバイダに配置されている適合可能な電子機器を使用してヘルスケアプロバイダを識別するための方法3300を示す。方法3300は、ブロック3302において、1つ以上の識別検知信号を生成する工程を示す。該検知信号は、ヘルスケアプロバイダに対応し、変形可能な基板と、該変形可能な基板に結合された少なくとも1つのセンサとを有する識別デバイスによって生成される。例えば、センサアセンブリ104（例えば、1つ以上の識別センサ200）は、ヘルスケア識別デバイス2000（システム100を含む）が配置されているヘルスケアプロバイダに関連する1つ以上の識別検知信号を生成することができる。方法3300はまた、ブロック3304において、1つ以上の識別検知信号を、少なくとも1人の個人の身元に関連する1つ以上の身体的特徴を示す参照データと比較する工程を含む。例えば、回路106は、識別検知信号を、メモリ(例えば、メモリ402)に格納された参照データと(例えば、比較モジュール400を介して、比較モジュール1000を介してなど)比較することができ、ここで、参照データは、既知の個人の身元にリンクされたまたは関連付けられた身体的特徴を含む。識別検知信号が参照データと比較して対応閾値を満たすか、またはそれを超える場合、メモリに格納された身体的特徴にリンクまたは関連する身元は、ヘルスケア識別デバイス2000（システム100を含む）が配置されているヘルスケアプロバイダと相関させることができる（すなわち、ヘルスケアプロバイダは、一致したこと（successful correspondence）に基づいて、既知の身元を有していると推定することができる）。識別検知信号が、参照データと比較されたときに対応閾値を満たさない場合、メモリに格納された身体的特徴にリンクまたは関連付けられた身元は、ヘルスケア識別デバイス2000（システム100を含む）が配置されているヘルスケアプロバイダに相関付けることができない（すなわち、ヘルスケアプロバイダは、不一致であること（unsuccessful correspondence）に基づいて、既知の身元を有すると推定されない）。方法3300はまた、ブロック3206において、識別検知信号または識別検知信号と参照データとの比較に関係する1つ以上の通信信号を報告する工程を含む。例えば、レポータ108は、回路106による命令に応じて1つ以上の通信信号を生成することができ、このような通信信号は、識別検知信号に関係し得るか、または回路106による識別検知信号の参照データとの比較に関係し得る。例えば、通信信号は、識別検知信号と参照データとの間において一致したと示すことができ（例えば、ヘルスケア識別デバイス2000（システム100を含む）が配置されているヘルスケアプロバイダの定まった身元を提供し）、識別検知信号と参照データとの間において不一致であったことを示すことができる（例えば、ヘルスケア識別デバイス2000（システム100を含む）が配置されているヘルスケアプロバイダの身元が、ある対応閾値で定められないことを提供する）。一実施形態では、方法3300は、ブロック3306において、識別検知信号または識別検知信号と参照データとの比較に関連する1つ以上の通信信号を報告する工程を含み、その後、ブロック3308において、ヘルスケアプロバイダに個々の対象者に対してヘルスサービス活動を行うこと権限を与える工程を含む。例えば、ヘルスケアプロバイダの識別または識別能力の欠如を、ヘルスケアプロバイダが外部デバイスの操作、スケジュールされた処置の実行、治療の提供などを行う権限の付与または権限の付与の欠如に先立って、またはそれに伴って、（例えば、レポータ108を介して）報告することができる。
【０１３５】
図34は、ヘルスケアプロバイダに配置されている適合可能な電子機器を使用して個々の対象者を識別するための方法3400を示す。方法3400は、ブロック3402において、1つ以上の識別検知信号を生成する工程を示す。該検知信号は、個々の対象者に対応し、変形可能な基板と、該変形可能な基板に結合された少なくとも1つのセンサとを有する識別デバイスによって生成され、該変形可能な基板はヘルスケアプロバイダに配置されている。例えば、センサアセンブリ104（例えば、1つ以上の識別センサ200または1つ以上の識別センサ2100）は、ヘルスケア識別デバイス2000（システム100を含む）が配置されているヘルスケアプロバイダに近接する個々の対象者に関連する1つ以上の識別検知信号を生成することができる。方法3400はまた、ブロック3404において、1つ以上の識別検知信号を、少なくとも1人の個人の身元に関連する1つ以上の身体的特徴を示す参照データと比較する工程を含む。例えば、回路106は、識別検知信号をメモリ（例えば、メモリ402）に格納された参照データと(例えば、比較モジュール400を介して、比較モジュール1000を介してなど)比較することができ、参照データは、既知の個人の身元にリンクされたまたは関連付けられた身体的特徴を含む。識別検知信号が参照データと比較した場合に対応閾値を満たすか、またはそれを超える場合、メモリに格納された身体的特徴に関連する身元は、個々の対象者と相関させることができる（すなわち、個々の対象者は、一致したことに基づいて、既知の身元を有すると推定され得る）。識別検知信号が、参照データと比較されたときに対応閾値を満たさない場合、メモリに格納された身体的特徴にリンクされたまたは関連付けられた身元は、個々の対象者に相関させることができない（すなわち、個々の対象者は、不一致であることに基づいて、既知の身元を有すると推定されない）。方法3400はまた、ブロック3206において、識別検知信号または識別検知信号と参照データとの比較に関係する1つ以上の通信信号を報告する工程を含む。例えば、レポータ108は、回路106による命令に応じて1つ以上の通信信号を生成することができ、このような通信信号は、識別検知信号に関係し得るか、または回路106による識別検知信号と参照データとの比較に関係し得る。例えば、通信信号は、識別信号と参照データとの間において一致したと示すことができ（例えば、個々の対象者の定まった身元を提供する）、識別検知信号と参照データとの間において不一致であったことと示すことができる（例えば、個々の対象者の身元がある対応閾値では定められないことを提供する）。一実施形態では、方法3400は、ブロック3406において、識別検知信号または識別検知信号と参照データとの比較に関連する1つ以上の通信信号を報告することを含み、その後、ブロック3408において、ヘルスケアプロバイダに個々の対象者に対してヘルスサービス活動を実行する権限を与える工程を含む。例えば、個々の対象者の識別または識別能力の欠如を、ヘルスケアプロバイダが外部デバイスの操作、スケジュールされた処置の実行、治療の提供などを行う権限の付与または権限の付与の欠如に先立って、またはそれと併せて、（例えば、レポータ108を介して）報告することができる。
【０１３６】
図35は、個人に配置されている適合可能な電子機器を用いて個人を識別し、認証するための方法3500を示す。方法3500は、ブロック3502において、1つ以上の識別検知信号を生成する工程を示す。該検知信号は個々の対象者に対応し、変形可能な基板と、該変形可能な基板に結合された少なくとも1つのセンサとを有する識別デバイスによって生成される。例えば、センサアセンブリ104（例えば、1つ以上の識別センサ200）は、各対象者識別デバイス3000（システム100を含む）が配置されている個々の対象者と関連する1つ以上の識別検知信号を生成することができる。方法3500はまた、ブロック3504において、1つ以上の識別検知信号を、少なくとも1人の個人の身元に関連する1つ以上の身体的特徴を示す参照データと比較する工程を含む。例えば、回路106は、識別検知信号をメモリ（例えば、メモリ402）に格納された参照データと(例えば、比較モジュール400を介して、識別比較モジュール1000を介して)比較することができ、参照データは、既知の個人の身元にリンクされたまたは関連付けられた身体的特徴を含む。識別検知信号が参照データと比較して対応閾値を満たすか、または超えている場合、メモリに格納された身体的特徴にリンクされたまたは関連付けられた身元は、各対象者識別デバイス3000（システム100を含む）が配置されている個々の対象者と相関させることができる（すなわち、個々の対象者は、一致したことに基づいて、既知の身元を有していると推定することができる）。識別検知信号が、参照データと比較されたときに対応閾値を満たさない場合、メモリに格納された身体的特徴にリンクされたまたは関連付けられた身元は、各対象者識別デバイス3000（システム100を含む）が配置されている個々の対象者に相関させることができない（すなわち、個々の対象者は、不一致であることに基づいて、既知の身元を有すると推定されない）。方法3500はまた、ブロック3506において、1つ以上の識別検知信号または判定された身元を1つ以上の認証パラメータと比較することを含む。例えば、回路106は、1つ以上の識別検知信号を、少なくとも1つのスケジュールパラメータを含む1つ以上の認証パラメータと比較して、識別検知信号が、関連する外部デバイスを操作する権限を与えられた個人に対応するかどうか（参照データが、外部デバイスの機能の少なくとも一部を操作する権限を与えられた個人に関連する身体的特徴のリストを含む場合など）を（例えば、認可比較モジュール1002を介して）判断することができる。回路106は、（例えば、識別検知信号が、参照データ中に提供された身体的特徴と十分に対応して、個々の対象者を識別する場合に）個々の対象者の身元を、外部デバイスを操作する権限を与えられた個人のリストと(例えば、認証比較モジュール1002を介して)比較して、識別された個々の対象者が、外部デバイスの機能の少なくとも一部を操作することができるかどうかを判定することができる。例えば、外部デバイスを操作することを許可された個人のリストは、処置を受けることをスケジュールされた1人以上の個人の身元のリスト、治療を受けることをスケジュールされた1人以上の個人の身元のリスト、外部デバイスを操作することをスケジュールされた1人以上の個人の身元のリスト、手術前許可または制限を有��る1人以上の個人の身元のリスト、手術後許可または制限を有する1人以上の個人の身元のリスト、治療前許可または制限を有する1人以上の個人の身元のリスト、治療後許可または制限を有する1人以上の個人の身元ティのリスト、またはそれらの組合せを含むことができるが、これらに限定されない。方法3500はまた、ブロック3508において、認証パラメータとの比較に関係する1つ以上の通信信号を、関連する外部デバイスに報告する工程を含む。例えば、レポータ108は、回路106による命令に応じて1つ以上の通信信号を生成して外部デバイスに報告することができ、このような通信信号は、個々の対象者が外部デバイスを操作する権限を与えられているかどうかに関係する。これは、例えば、個人を識別することができないこと（例えば、認証なし）、個人を識別するが、識別された個人が認証されたリストにないこと（例えば、認証なし）、識別検知信号を認証された個人の身体的特徴とうまく対応させること（例えば、認証）、個人を識別し、識別された個人を認証されたリスト上に有すること（例えば、認証）などによる。
【０１３７】
本明細書では、ロジック、またはいくつかのコンポーネント、モジュール、または機構を含むものとして、特定の実施形態が説明される。モジュールは、ソフトウェアモジュール（例えば、記憶されたコード、または、そうでなければ機械可読媒体上または伝送媒体内に格納されたコード）、ハードウェアモジュール、またはそれらの任意の適切な組合せを構成することができる。「ハードウェアモジュール」は、特定の動作を実行することができる有形の（例えば、非一時的な）ユニットであり、特定の物理的な方法で構成または配置され得る。種々の例示的な実施形態において、1つ以上のコンピュータシステム（例えば、スタンドアロンのコンピュータシステム、クライアントコンピュータシステム、またはサーバコンピュータシステム）、または1つのコンピュータシステムの1つ以上のハードウェアモジュール（例えば、プロセッサまたは一群のプロセッサ）が、ソフトウェア（例えば、アプリケーションまたはアプリケーション部分）によって、本明細書で説明されるような特定の動作を実行するように動作するハードウェアモジュールとして構成され得る。
【０１３８】
いくつかの実施形態では、ハードウェアモジュールは、機械的に、電気的に、またはそれらの任意の好適な組合せで実装され得る。例えば、ハードウェアモジュールは、特定の動作を実行するように恒久的に構成された専用回路またはロジックを含んでもよい。例えば、ハードウェアモジュールは、フィールドプログラマブルゲートアレイ（FPGA）またはASICのような専用プロセッサであってもよい。ハードウェアモジュールはまた、特定の動作を実行するようにソフトウェアによって一時的に構成されるプログラマブルロジックまたはプログラマブル回路を含んでもよい。例えば、ハードウェアモジュールは、汎用プロセッサまたは他のプログラマブルプロセッサ内に内蔵されるソフトウェアを含んでもよい。ハードウェアモジュールを、専用の恒久的に構成された回路に、または一時的に構成された回路（例えば、ソフトウェアによって構成される）に機械的に実装する決定は、コストおよび時間を考慮してなされ得ることが理解される。
【０１３９】
したがって、語句「ハードウェアモジュール」は、有形エンティティを包含すると理解されるべきであり、そのような有形エンティティは、物理的に構築され、恒久的に構成されるか（例えば、ハードウェアに組み込まれている）、または（例えば、プログラムされて）一時的に構成され、特定の方法で動作するか、または本明細書で説明される特定の動作を実行することができる。ハードウェアモジュールが一時的に構成される（例えば、プログラムされる）実施形態については、そのハードウェアモジュールの各々は、適時に任意の1つのインスタンスで構成される、またはインスタンス化される必要はない。例えば、ハードウェアモジュールが、専用プロセッサとなるようにソフトウェアによって構成された汎用プロセッサを備える場合、その汎用プロセッサは、それぞれ、異なる時間に、異なる専用プロセッサ（例えば、異なるハードウェアモジュールを備える）として構成されてもよい。したがって、ソフトウェア（例えば、ソフトウェアモジュール）は、例えば、ある時点のインスタンスで特定のハードウェアモジュールを構成し、異なる時点のインスタンスで異なるハードウェアモジュールを構成するために、1つ以上のプロセッサを構成することができる。
【０１４０】
ハードウェアモジュールは、他のハードウェアモジュールに情報を提供し、また、他のハードウェアモジュールから情報を受信することができる。したがって、上述のハードウェアモジュールは、通信可能に結合されているとみなすことができる。複数のハードウェアモジュールが同時に存在する場合、通信は、2つ以上のハードウェアモジュール間で（例えば、適切な回路およびバスを介して）信号伝送によって達成され得る。複数のハードウェアモジュールが異なる時点で構成、またはインスタンス化される実施形態においては、そのようなハードウェアモジュール間の通信は、例えば、複数のハードウェアモジュールがアクセスできるメモリ構造内の情報の記憶および検索により達成され得る。例えば、あるハードウェアモジュールは、動作を実行し、その動作の出力を通信可能に結合されたメモリデバイスに記憶することができる。次いで、その後さらなるハードウェアモジュールが、そのメモリデバイスにアクセスして、記憶された出力を検索し、処理することができる。ハードウェアモジュールはまた、入力デバイスと出力デバイスとの通信を開始し、リソース（例えば、収集された情報)に対して動作することができる。
【０１４１】
技術水準は、システムの態様であるハードウェア、ソフトウェア、および／またはファームウェアの実装にはほとんど差異が残っていないところまで進歩しており、ハードウェア、ソフトウェア、および／またはファームウェアの使用は、一般的には、費用と効率とのトレードオフを考慮しながらの設計上の選択となる（しかし、必ずしもそうではなく、特定の状況においては、ハードウェアとソフトウェアの選択が重要になり得る）。本明細書で説明されるプロセスおよび／またはシステムおよび／または他の技術が実行され得る様々な媒介物（例えば、ハードウェア、ソフトウェア、および／またはファームウェア）が存在しており、好ましいその媒介物は、配置されるプロセスおよび／またはシステムおよび／または他の技術に応じて変化する。例えば、実装者が速度と精度が最も重要であると判断した場合、その実装者は主としてハードウェアおよび／またはファームウェア媒体を選択するか、あるいは、柔軟性が最も重要であれば、実装者は主としてソフトウェア実装を選択するか、あるいは、さらに代わりに、実装者はハードウェア、ソフトウェア、および／またはファームウェアのうちのいくつかの組み合わせを選択してもよい。したがって、本明細書で説明されるプロセスおよび／またはデバイスおよび／または他の技術が実行され得る媒介物はいくつか存在するが、そのいずれも、これらの利用される任意の媒介物が、配置される媒介物の関係および実装者の特定の関心（例えば、速度、柔軟性、または予測可能性）（そのいずれもが変化し得る）に依存する選択肢である点において、他の媒介物よりも本質的に優れていない。当業者は、実装される光学態様として、通常、光学指向ハードウェア、ソフトウェア、および／またはファームウェアが利用されることを認識するであろう。
【０１４２】
本明細書で説明するいくつかの実装品は、ロジックおよび類似の実装品であり、ソフトウェアまたは他の制御構造を含むことができる。例えば、電子回路は、本明細書に説明されるような種々の機能を実装するように構成され配置された1つ以上の電流経路を有してもよい。いくつかの実装品において、1つ以上の媒体は、そのような媒体が、本明細書で説明するように実行するように動作可能なデバイス検出可能命令を保持または送信するときに、デバイス検出可能実装品を担持するように構成することができる。いくつかの異なる態様では、例えば、実装品は、本明細書で説明する1つ以上の動作に関連して1つ以上の命令の受信または送信を実行することなどによる、現存するソフトウェアまたはファームウェア、あるいはゲートアレイまたはプログラマブルハードウエアのアップデートまたは修正を含むことができる。代替的にまたは付加的に、いくつかの異なる態様では、実装品は、専用ハードウェア、ソフトウェア、ファームウェアコンポーネント、および／または専用コンポーネントを実行または呼び出す汎用コンポーネントを含むことができる。仕様または他の実装品は、本明細書で説明されるような有形の送信媒体の1つ以上のインスタンスによって、または任意選択で、パケット送信によって、またはさもなければ、様々な時点で分散した媒体を通して、送信されてよい。
【０１４３】
代替的にまたは付加的に、実装品は、上述した任意の機能的動作の1つ以上の発生をもたらすイネーブル、トリガ、調整、リクエスト用の、専用命令シーケンスを実行すること、さもなければ回路を呼び出すことを含むことができる。いくつかの異なる態様では、本明細書での動作または他の論理の記述は、ソースコードとして直接表現され、実行可能命令シーケンスとしてコンパイルされるか、またはそうでなければ呼び出され得る。いくつかの文脈では、例えば、C＋＋または他のコードシーケンスは、直接コンパイルされるか、またはそうでなければ、高レベル記述子言語（例えば、論理合成可能言語、ハードウェア記述言語、ハードウェアデザインシミュレーション、および／または他の同様の表現モード）で実装することができる。代替的にまたは付加的に、論理式の一部または全部は、特に基本動作またはタイミングクリティカルアプリケーションのために、ハードウェア内への物理的な実装の前に、Verilogタイプのハードウェア記述または他の回路モデルとして明示されてもよい。
【０１４４】
前述の詳細な説明は、ブロック図、フローチャート、および／または実施例により、デバイスおよび／またはプロセスの様々な実施形態を示した。そのようなブロック図、フローチャート、および／または実施例が1つ以上の機能および／または動作を含む限り、そのようなブロック図、フローチャート、または実施例内のそれぞれの機能および／または動作は、広範囲のハードウェア、ソフトウェア、ファームウェア、または事実上それらの任意の組合せによって、個々におよび／または集合的に実装されてよい。一実施形態では、本明細書で説明される主題のいくつかの部分は、特定用途向け集積回路（ASIC）、フィールドプログラマブルゲートアレイ（FPGA）、デジタルシグナルプロセッサ（DSP）、または他の集積フォーマットを介して実装されてよい。しかし、本明細書で開示される実施形態のいくつかの態様は、全体的または部分的に、1つ以上のコンピュータ上で動作する1つ以上のコンピュータプログラムとして（例えば、1つ以上のコンピュータシステム上で動作する1つ以上のプログラムとして）、1つ以上のプロセッサ上で動作する1つ以上のプログラムとして（例えば、1つ以上のマイクロプロセッサ上で動作する1つ以上のプログラムとして）、ファームウェアとして、または事実上それらの任意の組合せとして、集積回路で等価的に実装されてよい。そして、回路を設計すること、ならびに／または、ソフトウェアおよび／もしくはファームウェアのためのコードを書き込むことは、本開示に照らして当業者の技能の範囲内であろう。さらに、本明細書で説明される主題のメカニズムは、様々な形態でプログラム製品として配布されることが可能であり、本明細書で説明される主題の例示的な実施形態は、配布を実際に実行するために使用される特定の種類の信号担持媒体にかかわらず適用される。
【０１４５】
一般的な意味で、本明細書で説明される様々な実施形態は、広範囲の電気コンポーネントおよび広範囲のコンポーネントを有する様々なタイプの電気機械システムによって、個々におよび／または集合的に実装されてよい。広範囲の電気コンポーネントは、ハードウェア、ソフトウェア、ファームウェア、および／または事実上それらの任意の組合せなどである。広範囲のコンポーネントは、剛体、バネもしくはねじり体、油圧技術、電磁作動デバイス、および／または事実上それらの任意の組合せなどの、機械的な力もしくは動きを与えることができるものである。したがって、本明細書で使用される「電気機械システム」は、トランスデューサと動作可能に結合された電気回路（例えば、アクチュエータ、モータ、圧電結晶、マイクロ電気機械システム（MEMS）など）、少なくとも1つの個別の電気回路を有する電気回路、少なくとも1つの集積回路を有する電気回路、少なくとも1つの特定用途向け集積回路を有する電気回路、コンピュータプログラムによって構成された汎用コンピュータデバイス（例えば、本明細書で説明されるプロセスおよび／またはデバイスを少なくとも部分的に実行するコンピュータプログラムによって構成された汎用コンピュータ、または本明細書で説明されるプロセスおよび／またはデバイスを少なくとも部分的に実行するコンピュータプログラムによって構成されたマイクロプロセッサ）を形成する電気回路、メモリデバイス（例えば、メモリの形態（例えば、ランダムアクセス、フラッシュ、リードオンリなど））を形成する電気回路、通信デバイス（例えば、モデム、通信スイッチ、光学電気機器など）を形成する電気回路、および／またはそれらに対する光学的もしくは他のアナログ機器のような任意の非電気的アナログ機器を含むが、これらに限定されない。
【０１４６】
電気機械システムの実施例は、様々な家電システム、医療用デバイス、ならびに電動輸送システム、ファクトリオートメーションシステム、セキュリティシステム、および／または通信／演算システムなどの他のシステムを含むが、これらに限定されない。本明細書で使用される電気機械は、文脈が別に指示する場合を除いて、電気的および機械的作動の両方を有するシステムに必ずしも限定されない。
【０１４７】
一般的な意味で、本明細書で説明される様々な態様は、広範囲のハードウェア、ソフトウェア、ファームウェア、および／またはそれらの任意の組合せによって、個々におよび／または集合的に実装されてよく、様々なタイプの「電気回路」から構成されると見なすことができる。したがって、本明細書で使用される「電気回路」は、少なくとも1つの個別の電気回路を有する電気回路、少なくとも1つの集積回路を有する電気回路、少なくとも1つの特定用途向け集積回路を有する電気回路、コンピュータプログラムによって構成される汎用コンピュータデバイス（例えば、本明細書で説明されるプロセスおよび／またはデバイスを少なくとも部分的に実行するコンピュータプログラムによって構成される汎用コンピュータ、または本明細書で説明されるプロセスおよび／またはデバイスを少なくとも部分的に実行するコンピュータプログラムによって構成されるマイクロプロセッサ）を形成する電気回路、メモリデバイス（例えば、メモリの形態（例えば、ランダムアクセス、フラッシュ、リードオンリ等））を形成する電気回路、および／または通信デバイス（例えば、モデム、通信スイッチ、光学電気機器等）を形成する電気回路を含むが、これらに限定されない。本明細書で説明される主題は、アナログ方式またはデジタル方式、あるいはそれらの何らかの組み合わせで実装されてよい。
【０１４８】
本明細書において、実質的に任意の複数および／または単数形での用語の使用に関して、文脈および／または用途に適切であるように、複数形は単数形に、および／または単数形は複数形に言い換えることができる。様々な単数／複数の言い換えは、明瞭にするために本明細書に明示的に記載されていない。
【０１４９】
本明細書に記載される主題は、異なる他のコンポーネント内に含まれるか、または異なる他のコンポーネントと接続される異なるコンポーネントを時々例示する。このような描写されたアーキテクチャは単なる例示であり、実際、同じ機能を達成する多くの他のアーキテクチャを実装できることを理解されたい。概念的な意味では、同じ機能を達成するためのコンポーネントの任意の配置は、所望の機能が達成されるように、効果的に「関連付けられる」。したがって、特定の機能を達成するために本明細書で組み合わされる任意の2つのコンポーネントは、アーキテクチャまたは中間コンポーネントに関係なく、所望の機能が達成されるように、互いに「動作可能に結合される」と見なすことができる。同様に、そのように関連付けられた任意の2つのコンポーネントは、所望の機能を達成するために、互いに「動作可能に接続」または「動作可能に結合」されていると見なすこともでき、そのように関連付けられることが可能な任意の2つのコンポーネントは、所望の機能を達成するために、互いに「動作可能に結合可能」であると見なすこともできる。動作可能に結合可能な具体的な例には、物理的に結合可能な(mateable)、および／もしくは物理的に相互作用するコンポーネント、ならびに／または、無線で相互作用可能な、および／もしくは無線で相互作用するコンポーネント、ならびに／または、論理的に相互作用する、および／もしくは論理的に相互作用可能なコンポーネントが含まれるが、これらに限定されない。
【０１５０】
いくつかの例では、1つ以上のコンポーネントは、本明細書では、「〜で構成される」、「〜によって構成される」、「〜で構成され得る」、「動作可能な／動作させる」、「適応する／適応可能な」、「〜できる」、「適合可能な／〜と適合する」コンポーネントなどと呼ぶことができる。当業者は、そのような用語（例えば、「〜で構成された（コンポーネント）」）は、文脈上別段の要求がない限り、概して、アクティブ状態コンポーネントおよび／または非アクティブ状態コンポーネントおよび／またはスタンバイ状態コンポーネントを包含することができることを認識するであろう。
【０１５１】
一般に、本明細書、特に添付の特許請求の範囲（例えば、添付の特許請求の範囲の本体）で使用される用語は、一般に「オープン」用語として意図される（例えば、用語「含む（including）」は「含むがこれに限定されない」として解釈されるべきであり、用語「有する」は「少なくとも有する」として解釈されるべきであり、用語「含む（includes）」は「含むがこれに限定されない」として解釈されるべきである）。特定の数の導入された請求項記載が意図される場合、そのような意図は、請求項において明示的に記載され、そのような記載がない場合、そのような意図は存在しない。例えば、理解を助けるため、以下の添付の特許請求の範囲は、請求項記載を導入するための導入語句「少なくとも1つの」および「1つ以上の」の使用を含み得る。しかし、そのような語句の使用は、たとえ同一の請求項が導入語句「1つ以上」または「少なくとも1つの」を含みかつ「1つの（a）」または「1つの（an）」のような不定冠詞を含む場合でも、不定冠詞「1つの（a）」または「1つの（an）」による請求項記載の導入が、そのような導入された請求項記載を含む任意の特定の請求項を、そのような記載を1つだけ含む請求項に限定することを意味すると解釈されるべきではない（例えば、「1つの（a）」および／または「1つの（an）」は、典型的には、「少なくとも1つの」または「1つ以上」を意味すると解釈されるべきである）。同じことが、請求項記載を導入するために使用される定冠詞の使用にも当てはまる。加えて、たとえ特定の数の導入された請求項記載が明示的に記載されたとしても、当業者ならば、そのような記載が少なくとも記載された数を意味する（例えば、他の修飾子なしの「2つの記載」の最低限の記載は、典型的には、少なくとも2つの記載、または2つ以上の記載を意味する）と解釈されるべきだとわかるであろう。さらに、「A、B、およびCなどのうちの少なくとも1つ」に類する慣用表現が使用される場合、一般に、そのような構文は、当業者が当該慣用表現を理解する意味で意図される（例えば、「A、B、およびCのうちの少なくとも1つを有するシステム」は、Aのみ、Bのみ、Cのみ、AおよびBともに、AおよびＣともに、BおよびCともに、および／またはA、BおよびCともに有するシステムなどを含むが、これらに限定されない）。「A、B、またはCなどのうちの少なくとも1つ」に類する慣用表現が使用される場合、一般に、そのような構文は、当業者が当該慣用表現を理解する意味で意図される（例えば、「A、B、またはCのうちの少なくとも1つを有するシステム」は、Aのみ、Bのみ、Cのみ、AおよびBともに、AおよびCともに、BおよびCともに、および／またはA、BおよびCともに有するシステムなどを含むが、これらに限定されない）。典型的には、明細書、特許請求の範囲、または図面のいずれにおいても、2つ以上の代替用語を提示する離接語および／または離接句は、文脈が別段の指示をしない限り、当該用語の1つ、当該用語のいずれか、または両方の用語を含む可能性を企図するものと理解されるべきである。例えば、語句「AまたはB」は、典型的には、「A」または「B」または「AおよびB」の可能性を含むと理解される。
【０１５２】
本開示は、様々な実施例実施形態に関連してなされてきた。しかし、当業者ならば、本開示の範囲から逸脱することなく、実施形態に変更および変形を加えることができるとわかるであろう。例えば、種々の動作ステップおよび動作ステップを実行するためのコンポーネントは、特定の用途に応じて、またはシステムの動作に関連する任意の数のコスト関数を考慮して、代替の方法で実装されてもよく、例えば、ステップの1つ以上を削除、修正、または他のステップと組み合わせてもよい。
【０１５３】
さらに、当業者によって理解されるように、コンポーネントを含む本開示の原理は、記憶媒体内に具現化されたコンピュータ可読プログラムコード手段を有するコンピュータ可読記憶媒体上のコンピュータプログラム製品に反映され得る。磁気記憶装置（ハードディスク、フロッピー（登録商標）ディスクなど）、光学記憶装置（CD-ROM、DVD、ブルーレイディスクなど）、フラッシュメモリなどを含む、任意の有形の非一時的なコンピュータ可読記憶媒体を利用することができる。これらのコンピュータプログラム命令は、汎用コンピュータ、専用コンピュータ、または他のプログラマブルデータ処理装置にロードして、コンピュータまたは他のプログラマブルデータ処理装置上で実行する命令が、指定された機能を実装するための手段を作成するように、マシンを生成することができる。これらのコンピュータプログラム命令は、コンピュータ読取り可能メモリに格納することもでき、当該コンピュータ読取り可能メモリは、当該コンピュータ読取り可能メモリに格納された命令が、指定された機能を実装する実装手段を含む製造品を生成するように、コンピュータまたは他のプログラマブルデータ処理装置に特定の方法で機能するように指示することができる。コンピュータプログラム命令は、コンピュータまたは他のプログラマブルデータ処理装置にロードして、一連の動作工程を上記コンピュータまたは他のプログラマブル装置上で実行させ、コンピュータ実装プロセスを生成し、それにより、上記コンピュータまたは他のプログラマブル装置上で実行される命令が、指定された機能を実装するための工程を提供するようにすることもできる。
【０１５４】
上述の明細書は、様々な実施形態に関連して説明されてきた。しかし、当業者ならば、本開示の範囲から逸脱することなく、様々な変形および変更を行うことができることを理解するであろう。したがって、本開示は、限定的な意味ではなく例示的な意味で考慮されるべきであり、そのような変形例はすべて、本開示の範囲内に含まれることが意図される。同様に、様々な実施形態に関して、利益、他の利点、および問題の解決策が上述されている。しかし、利益、利点、問題の解決策、および、任意の利益、利点、または解決策を生じさせうるまたはより明白にしうる要素は、重大な、必要な、または本質的な特徴または要素として解釈されるべきではない。本明細書で用いられる場合、用語「備える（comprises）」、「備える（comprising）」、およびその任意の他の変形は、非排他的な包含を対象とすることを意図しており、そのため、列挙された要素を備えるプロセス、方法、物品、または装置は、それらの要素のみを含むのではなく、明示的に列挙されていない他の要素、またはそのようなプロセス、方法、システム、物品、または装置に固有ではない他の要素を含むことができる。
【０１５５】
実施形態では、システムは、当該システムが、外部デバイス（例えば、外部デバイス800）を動作させるなど、個人を識別および／または認証するために使用される本明細書に記載のシステム（例えば、システム100）のうちの1つまたは複数の機能のために特に構成される独自のシステムとして動作するように、および当該システムの任意の関連する演算装置が、本発明のシステムの目的のための特定用途コンピュータとして動作し、汎用コンピュータとして動作しないように、統合される。実施形態では、上記システムの少なくとも1つの関連する演算装置は、本発明のシステムの目的のための特定用途コンピュータとして動作し、汎用コンピュータとして動作するのではない。実施形態では、上記システムの関連する演算装置のうちの少なくとも1つは、当該少なくとも1つの演算装置に命令するための特定のROMが物理的に組み込まれている。実施形態では、当業者は、本明細書に記載されるシステム（例えば、システム100）および関連するシステム／デバイスが、少なくとも識別および／または認証の技術分野において改良をもたらすことを認識する。
【０１５６】
様々な態様および実施形態が本明細書に開示されているが、他の態様および実施形態が当業者には明らかであろう。本明細書に開示される様々な態様および実施形態は、例示を目的とするものであり、限定することを意図するものではなく、真の範囲および趣旨は、以下の特許請求の範囲によって示される。
【図面の簡単な説明】
【０１５７】
【図１】図1は、適合可能な電子機器を用いて個人を識別するシステムの模式図である。
【図２】図2は、図1に示されるシステムの一実施形態の模式図である。
【図３】図3は、図1に示されるシステムの一実施形態の模式図である。
【図４】図4は、図1に示されるシステムの一実施形態の模式図である。
【図５】図5は、図1に示されるシステムの一実施形態の模式図である。
【図６】図6は、図1に示されるシステムの一実施形態の模式図である。
【図７】図7は、図1に示されるシステムの一実施形態の模式図である。
【図８】図8は、図1に示されるシステムの一実施形態の模式図である。
【図９】図9は、図1に示されるシステムの一実施形態の模式図である。
【図１０】図10は、適合可能な電子機器を用いて個人を識別し、識別された個人を認証するシステムの模式図である。
【図１１】図11は、図10に示されるシステムの一実施形態の模式図である。
【図１２】図12は、図1および図10に示されるシステムの一実施形態の模式図である。
【図１３】図13は、図1および図10に示されるシステムの一実施形態の模式図である。
【図１４】図14は、図1および図10に示されるシステムの一実施形態の模式図である。
【図１５】図15は、図1および図10に示されるシステムの一実施形態の模式図である。
【図１６】図16は、個人に配置された適合可能な電子機器を用いて個人を識別する方法のフローチャートである。
【図１７】図17は、個人に配置された適合可能な電子機器を用いて個人を識別し、認証する方法のフローチャートである。
【図１８】図18は、適合可能な電子機器を用いて個人の識別に応じて接着剤の接着状態を調整する方法のフローチャートである。
【図１９】図19は、適合可能な電子機器を用いて個人の識別に応じて接着剤の接着状態を調整する方法のフローチャートである。
【図２０】図20は、適合可能な電子機器（例えば、図1〜15に示されるシステム）を用いて個人を識別するシステムを含むヘルスケアプロバイダ識別デバイスの模式図である。
【図２１】図21は、ヘルスケアプロバイダ識別デバイス（例えば、図20に示されるもの）の一実施形態の模式図である。
【図２２Ａ】図22Aは、ヘルスケアプロバイダ識別デバイス（例えば、図20に示されるもの）の一実施形態の模式図である。
【図２２Ｂ】図22Bは、ヘルスケアプロバイダ識別デバイス（例えば、図20に示されるもの）の一実施形態の模式図である。
【図２３】図23は、ヘルスケアプロバイダ識別デバイス（例えば、図20に示されるもの）と、ヘルスケアプロバイダ識別デバイスと通信する外部デバイスとの実施形態の模式図である。
【図２４】図24は、外部デバイス（例えば、図23に示されるもの）の一実施形態の模式図である。
【図２５】図25は、ヘルスケアプロバイダ識別デバイス（例えば、図20に示されるもの）と、ヘルスケアプロバイダ識別デバイスと通信する情報システムとの一実施形態の模式図である。
【図２６】図26は、情報システム（例えば、図25に示されるもの）の一実施形態の模式図である。
【図２７】図27は、情報システム（例えば、図25に示されるもの）と、ヘルスケアプロバイダ識別デバイスと、情報システムと通信する外部デバイスとの実施形態の模式図である。
【図２８】図28は、第1の情報システム（例えば、図25に示されるもの）と、第1の情報システムと通信する第2の情報システムとの一実施形態の模式図である。
【図２９Ａ】図29Aは、第1のヘルスケアプロバイダ識別デバイス（例えば、図20に示されるもの）と、第1のヘルスケアプロバイダ識別デバイスと通信する第2のヘルスケアプロバイダ識別デバイスとの一実施形態の模式図である。
【図２９Ｂ】図29Bは、情報システム（例えば、図25に示されるもの）と、情報システムと通信する第1のヘルスケアプロバイダ識別デバイスおよび第2のヘルスケアプロバイダ識別デバイスとの一実施形態の模式図である。
【図３０Ａ】図30Aは、ヘルスケアプロバイダ識別デバイス（例えば、図20に示されるもの）と、ヘルスケアプロバイダ識別デバイスと通信する各対象者識別デバイスとの一実施形態の模式図である。
【図３０Ｂ】図30Bは、情報システム（図25に示されるもの）と、情報システムと通信するヘルスケアプロバイダ識別デバイスおよび各対象者識別デバイスとの一実施形態の模式図である。
【図３１Ａ】図31Aは、各対象者識別デバイス（例えば、図30Aに示されるもの）と、各対象者識別デバイスと通信する外部デバイスの一実施形態の模式図である。
【図３１Ｂ】図31Bは、情報システム（例えば、図25に示されるもの）と、情報システムと通信する各対象者識別デバイスおよび外部デバイスとの実施形態の模式図である。
【図３２Ａ】図32Aは、情報システム（例えば、図25に示されるもの）と、情報システムと通信するゲスト識別デバイスとの一実施形態の模式図である。
【図３２Ｂ】図32Bは、ゲスト識別デバイス（例えば、図32Aに示されるもの）と、ゲスト識別デバイスと通信する外部デバイスとの一実施形態の模式図である。
【図３３】図33は、ヘルスケアプロバイダに配置された適合可能な電子機器を用いてヘルスケアプロバイダを識別する方法のフローチャートである。
【図３４】図34は、ヘルスケアプロバイダに配置された適合可能な電子機器を用いて個々の対象者を識別する方法のフローチャートである。
【図３５】図35は、個々の対象者に配置された適合可能な電子機器を用いて個々の対象者を識別し、識別検知信号または個々の対象者の身元を、少なくとも1つのスケジュールパラメータを含む1以上の認証パラメータと比較する方法のフローチャートである。
【図１】
2019532386.tif 000003
【図２】
2019532386.tif 000004
【図３】
2019532386.tif 000005
【図４】
2019532386.tif 000006
【図５】
2019532386.tif 000007
【図６】
2019532386.tif 000008
【図７】
2019532386.tif 000009
【図８】
2019532386.tif 000010
【図９】
2019532386.tif 000011
【図１０】
2019532386.tif 000012
【図１１】
2019532386.tif 000013
【図１２】
2019532386.tif 000014
【図１３】
2019532386.tif 000015
【図１４】
2019532386.tif 000016
【図１５】
2019532386.tif 000017
【図１６】
2019532386.tif 000018
【図１７】
2019532386.tif 000019
【図１８】
2019532386.tif 000020
【図１９】
2019532386.tif 000021
【図２０】
2019532386.tif 000022
【図２１】
2019532386.tif 000023
【図２２Ａ】
2019532386.tif 000024
【図２２Ｂ】
2019532386.tif 000025
【図２３】
2019532386.tif 000026
【図２４】
2019532386.tif 000027
【図２５】
2019532386.tif 000028
【図２６】
2019532386.tif 000029
【図２７】
2019532386.tif 000030
【図２８】
2019532386.tif 000031
【図２９Ａ】
2019532386.tif 000032
【図２９Ｂ】
2019532386.tif 000033
【図３０Ａ】
2019532386.tif 000034
【図３０Ｂ】
2019532386.tif 000035
【図３１Ａ】
2019532386.tif 000036
【図３１Ｂ】
2019532386.tif 000037
【図３２Ａ】
2019532386.tif 000038
【図３２Ｂ】
2019532386.tif 000039
【図３３】
2019532386.tif 000040
【図３４】
2019532386.tif 000041
【図３５】
2019532386.tif 000042
【国際調査報告】
2019532386.tif 000043
2019532386.tif 000044
2019532386.tif 000045
2019532386.tif 000046
2019532386.tif 000047